(57)【要約】【課題】  同時に、複数の災害が起った時の、被害を小さくする方法がない。【解決手段】  台風で、１０００ｍｍを超える、大雨の後  震度７の地震がくるとして大雨、洪水、強風、地すべり、液状化、火山噴火、津波、延焼などが、ほぼ同時に起こると考え、地震対策と多くの災害の原因である、温暖化の予防と、温暖化による被害の、軽減の方法を考えた。これらの方法を、適材適所に使うことで、複合災害を、小さくする方法とする。【選択図】図１
2017218882.tif 000002
【特許請求の範囲】
【請求項１】
災害を小さくする骨組の発明（以下、骨組）とは、杭の中、骨組内の要所、骨組同士の接合部に設置したクッション材によって、骨組自身、地震や強風に耐え、必要により、屋根、壁を作り、各災害に対応するための土台となるものであり、骨組の利用法の１は、都市部において、（図１）、仮りに、それぞれの区画で、区画周辺の、歩道や道路などに、区画を囲むように、硬い地盤まで杭を打ち、杭の上部を梁で結び、柱を建て、梁、斜め材で、区画周辺に骨組を作り、隣りの区画の骨組と、一体化する。
区画の内側では、建物と建物の間に、硬い地盤まで杭を打ち、杭の上部を梁で結び、柱を建て、梁、斜め材で、区画内に骨組を作り、区画周辺の骨組と結び、一体化する。
主要道路や一般道の下は、骨組による耐震効果を高めるため、硬い地盤まで打ち込んだ杭の上部を梁で結び、梁より、埋設物や地下鉄などを避ける形で、必要場所に、硬い地盤まで溝を掘り、仮りに、仕切りの入った、エア、マットのようなクッション材を、梁に固定した状態で溝に入れる。
それにより、地盤を流れてくる地震動を、吸収すると伴に、区画と同じく、上部に骨組を作り、隣りの区画の骨組と、一体化する。
杭の中、骨組内の要所、骨組同士の接合部に、クッション材を入れる。
歩道に面した、建物表面に、区画周辺の骨組から、クッション材の付いた梁を伸ばしたり、区画内の骨組から、クッション材の付いた梁を、近くの建物に伸ばしたり、建物と建物の間が狭い所は、クッション材を直接、柱に設置して、建物と建物の間に入れたり、建物の上に、区画周辺の骨組から、区画の内側に、梁を架け渡し、梁より、建物屋上の角や屋上側面に、帯状の材料を結ぶ。
ここまでが、仮りに、地上３００ｍまでの建物部分の骨組で、次に、仮りに、地上３００〜４００ｍの屋根部分の骨組は、建物部分の骨組を土台にして、柱、梁、斜め材で、屋根部分の骨組を作るが、その方法の第１は、屋根部分を、仮りに２５ｍごとに、柱、梁、斜め材で、４階建てのような骨組を作り、梁に、梁と同じ位の長さのシートの先端に、棒状の重りを付けたもの（以下、重り付きシート）を、巻いた状態で、梁に固定、梁１から梁２に、４５度位で、スライドさせるが、梁１から梁２にかけて、斜め材に沿って、重りの両端をスライドさせ、降ろしていくための斜めの誘導管（以下、斜めの誘導管）を設置し、梁２の近くで、９０度位、反転させ、梁３に向かうもので、梁１から、４面分位シートを降ろす。又は、６０度位にして、１〜２面にするもの。
シートを安定させるため、梁１から梁２にかけて、斜めの誘導管と同じ傾きで、何本も斜めの補助管を降ろすが、斜めの補助管は、重り付きシートを上下で、挟むようにして架け渡し、誘導するもので、４面分位設置する。又は、６０度位にして、１〜２面にする。
屋根を付ける方法として、第２は、梁１から重り付きシートを降ろして、梁２で、降ろした状態にしておくもので、各梁に、重り付きシートを巻いたものを設置し、斜めの誘導管と斜めの補助管で、４５度位に降ろし、４層位作る。又は、６０度位にして、１〜２層にするもの（図１）。
第１と第２の屋根部分の下には、落下物を受け止めるため、必要場所に、斜めの誘導管と斜めの補助管で、先端に棒状の重りの付いたネットを、４５度、又は６０度位の角度で張っておく、又は、ネットを部分的に重ね、又、たるませた状態で、水平に梁に固定する。
（図２）  第１、第２の方法で、いずれも、補助管、誘導管を、４５度、又は、６０度位の直線でなく、中央部附近を、上方に折り曲げ、山形にすることで、たわみにも、強くすることができる。（以下、山形の誘導管と、山形の補助管）
重り付きシートは、自動や手動で、作動させ、巻いた状態で、容器内にあるもの。
（図２）  次に、骨組の壁になる部分は、柱と柱の間に、梁と平行な補助管（以下、補助管）を、仮りに、５ｍごとに設置し、柱には、重り付きシートが、補助管を編むように、降りていくための、波形の誘導管（以下、波形の誘導管）を設置するものであり、各梁に重り付きシートを巻いたものを設置して、降ろすことで、必要な場所に、自動や手動で、骨組の壁を、開閉できるものである。
（図２）、又、地上附近で、電柱などがあり、波形の誘導管を、まっすぐ降ろせない時は、電柱の上部梁より、電柱を避けるように、斜めの誘導管と斜めの補助管で、重り付きシートを誘導し、更に、斜めの誘導管と斜めの補助管の傾斜を、柱と平行にして、直線的に地面に降ろすことで、必要な場所に誘導するもの（以下、直線的誘導管と直線的補助管）。
（図１）、次に、屋根部分のシートを降りてきた火山灰、大雨、大雪が、梁２に設置した樋に入る。この樋は、柱１や柱２に向って、火山灰、大雨、大雪が、柱の近くに設置した、断面積の大きい樋に向って、スムーズに降りるような角度で、又、外にこぼれないように、シートに近い側の面より、その他の面を高くした箱形にして（以下、箱形の樋）、柱１や柱２の近くに設置した、断面積の大きい樋に誘導するものであり、断面積の大きい樋が、水圧などで壊れないように、仮りに、直径１ｍ位の、円柱状で、取替えのできる、仕切りの入った、ビニール状容器（以下、ビニール状容器）（図５）を、断面積の大きい樋内に入れて、その中に、火山灰、大雨の時の水、雪国の雪などを通して、地上の樋下部の、小さい排出口に誘導し、雪国の雪は、暖め解かしたり、又は、そのまま、取り出し処分し、火山灰は、小さい排出口から取り出し、処理し、大雨の水は、ゆっくりと、仮りに２〜３日かけて、下水道に、流すもの。
断面積の大きい樋は、ビニール状容器の入ったもので、ビニール状容器の設置や管理のため、必要な場所に、開閉式の出入口があり、又、必要箇所にクッション材を入れたもの  シートは、すべり易い素材を使ったり、すべり易くするための塗料を使ったりするが、火山灰が、水分を含み、自然に降りてこない時は、ポンプなどで、吸い上げた水を、梁１より流したり、消防設備のホースを使い、人力で、箱形の樋まで流し、地上まで、誘導するもの。
骨組と重り付きシートは、火に強く、断面積の大きい樋は、ビニール状容器を入れたもので、一時的貯水機能を有するが、貯水槽として、水を溜めるものではなく、常に、小さい排出口より、排出しているものであり、もし、水が一杯になると、予備のビニール状容器の入った断面積の大きい樋に、誘導するものであるが、雪、火山灰の処理のために、小さい排出口を大きくしたり、暖め、雪を解かすことができるもの。
雪の落下事故を防ぐため、又、重り付きシートをスムーズに降ろすため、誘導管、補助管、梁などに、雪が積もらないように、雪の時だけ、必要場所を暖める、又は滑りやすい塗料を塗る、滑りやすい素材を使う、風圧で飛ばす、振動させるなどで、雪の附着を避けるもの。屋根と壁によって、夏など、日陰げを作り、日射量のコントロールができるもの
落下物を受けとめるネットも、誘導管、補助管、梁と同じく、雪の落下事故を防ぐもの。
利用法３と同じく、骨組を２重にすると、寒い地方など、温室効果を得られるもの。
骨組の管理や有効利用のため、階段、通路、スロープ、エレベータ、監視カメラ、避難場所、避難通路、倉庫、消防設備、クレーン設備、発電設備、畜電設備、送配電設備、自動車や電車などの交通機関、オフィスやマンションなどの建物施設、スポーツ施設、レクリエーション施設、研究施設  学校施設、観光施設、宿泊施設、医療施設、福祉施設、市場や物流施設、農業施設、商業施設、工業施設、変電設備、ガス、水道の設備のあるもの。
工業地帯では、沿岸まで、骨組を伸ばし、災害時、重り付きシートを、海の中まで降ろすことで、油や有害物質の海への流出や延焼、高潮、高波の被害を軽減する
骨組の利用法２（図２）は、骨組を、地震で物資輸送のできなくなるおそれのある交通機関に使うとすると、鉄道線路の下部の空間に、硬い地盤までの杭を打ち、杭の上部を梁で結び、柱と梁、斜め材で、骨組を作り、杭の中、骨組内の要所、骨組同士の接合部に、クッション材を入れ、鉄道高架線の上に、車両などが通れる空間を作ることができる。
屋根部分には、火山灰が、自然に降りる傾斜の、ソーラーパネルを設置したり、又は、屋根面上部の梁に、重り付きシートを設置し、屋根面下部の梁に向って、斜めの誘導管と斜めの補助管によって、重り付きシートを降ろし、屋根を作る。
壁面は、屋根下部の梁２に、重り付きシートを巻いた状態で設置するか、又は屋根部分の天井裏に  シートを伸ばした状態で、収納する場所を作ることで、梁２より、柱と柱の間に、梁と平行に、仮りに、１ｍ間隔で、補助管を設置し、柱の内側には、重り付きシートが補助管を編むように降りていくための、波形の誘導管を設置して、電車の窓の下までの高さのものと、窓の下から地面までの高さのものの、２つに分け設置し、状況によって台風、大雪の時でも、窓からの眺めを確保するものであり、雪の落下事故を防ぐため、又重り付きシートをスムーズに降ろすため、誘導管、補助管、梁などに、雪が積もらないように、雪の時だけ、必要場所を暖める、又は、滑りやすい塗料を塗る、滑りやすい素材を使う、風圧で飛ばす、振動させるなどで、雪の附着を避けるもの。
屋根から降りてきた、火山灰、大雨、大雪などは、梁２に設置した樋に入るが、火山灰大雨、大雪が、柱の近くに設置した、断面積の大きい樋に向って、スムーズに降りるような角度で、又、外にこぼれないように、シートに近い側の面より、その他の面を高くした箱形の樋にして、断面積の大きい樋に誘導し、地上まで降ろすもので、樋の中には、水圧に耐えるため、円柱状で、取替えのできる、仕切りの入った、ビニール状容器を入れておき、樋下部の小さい排出口に誘導していくもので、雪、火山灰の処理のために、小さい排出口を大きくしたり、暖め雪を解かすことができるもの。
断面積の大きい樋が一杯になると、予備のビニール状容器の入った、断面積の大きい樋に誘導するもの。
電車走行時の地震による横転で、骨組が破壊されることを防ぐため、線路に近い位置に上部梁から硬い地盤まで、杭を打ち、杭の上部を梁で結び、柱を建て、梁、斜め材で補強し、脱線時は、柱にぶつからないように、柱と柱を横の材で結び、脱線時、電車の側面と横の材との摩擦によって  横転させずに、電車を停車させる。
乗客が電車から降りて、避難通路に出るため、柱と柱を横の材で渡したものの、必要箇所に、仮りに、３ｍ位を、横にスライドさせ、開閉部とし、又は、避難通路側に開く扉によって、脱線時、電車のドアに近い開閉部を開けて、線路の外の、避難通路に出るもの。
又は、柱と柱を横の材で渡したものの、下をくぐって、避難通路に出るもの。
車両などを通せる空間は、普通車、大型車兼用の道路と伴に、仮りに、高さ、２．５ｍ位の、普通車専用道路としての空間を作ることもでき、低い高さにすることによって、骨組を強くすると伴に、空間を有効利用し、天井には、事故時のため、自動や手動で、消火設備やクレーン設備が使えるもの。クレーン設備とは、人や車など移動させるもの。
車両などを通せる空間を使う時、平時や災害後の渋滞防止のため、遠隔からのブザーやランプ、音声、速度表示によって、車間距離が近いことを、ドライバーに知らせたり又は、遠隔操作での、強制的なスピードのコントロールで、車両などを通せる空間において、渋滞のない車間距離を作るもの。遠隔による表現は、車を通じて行なうもの。
物資輸送のため  高速道路、鉄道、主要道路や商店街などの上部に、上記と同じように骨組を作り、車両などの通せる空間を作り、これらを、ネットワークで結ぶ。
管理や有効利用のため、箱形の樋、ビニール状容器の入った断面積の大きい樋、階段、通路、エレベータ、監視カメラ、スロープ、発電設備、畜電設備、送配電設備、クレーン設備、消防設備、避難場所、避難通路、倉庫、があるもの。
壁を作る時、波形でなく、直線的誘導管と直線的補助管も使えるものであり、屋根は、山形の誘導管と山形の補助管も使えるもの、エレベータは、車も乗せることができるもの
骨組の利用法３は、骨組を、田、畑、果樹園など、屋根、壁の付いていない農業施設に使うと、田、畑、果樹園など、屋根、壁の付いていない農業施設の周囲や中に、硬い地盤まで杭を打ち、杭の上部を梁で結び、柱を建て、梁、斜め材で、骨組を２重に作り、杭の中、骨組内の要所、骨組同士の接合部にクッション材を入れ、２重にした骨組と骨組の間に、重り付きの透明、又は、半透明のシートを、巻いた状態で各梁に設置、ビニールハウスと同じ役目をさせるため、斜めの誘導管と斜めの補助管、又は、山形の誘導管と山形の補助管で屋根を作り、波形の誘導管と補助管、又は、直線的誘導管と直線的補助管で壁を作る。
外側の骨組の各梁に、重り付きシートを巻いた状態で設置、屋根は、斜めの誘導管と斜めの補助管、又は、山形の誘導管と山形の補助管、壁は、波形の誘導管と補助管、又は、直線的誘導管と直線的補助管を設置して、壁を作る。
屋根部分下部の梁には、箱形の樋と、柱の近くに、ビニール状容器の入った断面積の大きい樋、予備のビニール状容器の入った断面積の大きい樋を設置する。
骨組と重り付きシートは、火に強く、断面積の大きい樋は、ビニール状容器を入れたもので、一時的貯水機能を有するが、貯水槽として、水を溜めるものではなく、常に、小さい排出口より、排出しているものであり、もし、水が一杯になると、予備のビニール状容器の入った断面積の大きい樋に、誘導するものであるが、雪、火山灰の処理のために、小さい排出口を大きくしたり、暖め雪を解かすことができるもの。
雪の落下事故を防ぐため、又、重り付きシートをスムーズに降ろすため、誘導管、補助管、梁などに、雪が積もらないように、雪の時だけ、必要場所を、暖める、又は、滑りやすい塗料を塗る、滑りやすい素材を使う、風圧で飛ばす、振動させるなどで、雪の附着を避けるもので、重り付きシートの内側は、太陽光を反射させるものを張る、又は、塗る。
管理や有効利用のため、階段、通路、クレーン設備があるもの。
発電設備、畜電設備、送配電設備によって、骨組内の温度調整ができるもの。
骨組の利用法４  骨組を火山災害に使うとすると、まず、突発的な噴火による噴石で、重り付きシートを降ろす前に、骨組が破損することを軽減するため、火山噴火の起こりそうな場所の地面に、骨組よりも、広い範囲で、樹木を避けるように、帯や、ひも状のものを、ネット状にして張り、又は、植物のない所では、ネットそのものを張って、数１０〜数１００ｍごとに、固定しておくことで、噴石による骨組の破損を、小さくする。
帯や、ひも状のものを、ネット状にしたものや、ネットそのものを、部分的に、重ねることで、噴火時、ネット状部分の固定が、噴石によって外されたとしても、ネットを重ねたことにより、ネットにゆとりができ、噴石の衝撃を吸収するためのクッション性を、作ることができ、噴石を止めることができる。
その後、火山噴火の起こりそうな場所に、硬い地盤、又は岩盤までの杭を打ち、柱を建て、梁、斜め材で骨組を作り、上下左右と必要なだけ並べ、一体化する。
杭の中、骨組内の要所、骨組同士の接合部に、クッション材を入れる
骨組や帯、ひも状のもの、ネットそのものの負担を軽減するものとして、マグマだまりの周辺と、マグマだまりの周辺から、海や地表まで、あらかじめ、噴火の規模を小さくするためのトンネルを作っておく。その第１の方法は、（図４）マグマだまりの周辺に、何層も、上から下まで、トンネルを掘り、何層ものトンネルから、複数のトンネルで、海底までつなげて、海水が土中に浸透しないように、トンネルの壁をコーティングして、トンネル内を海水で満たしておき、噴火時、マグマ溜りの周辺のトンネルから、必要なだけ、遠隔操作の掘削によって、マグマ溜りに向って、トンネルを掘り進み、マグマを海水で冷やすものであり、第２の方法は、マグマ溜りの近くから、海底近くまで、トンネルを掘っておいて、内側を、空胴のまま、コンクリートなどで補強して、噴火時、トンネルの端から、マグマ溜りに向って、遠隔操作で掘削し、マグマを海に向って、海底近くまで誘導し次に、海底よりマグマまで掘削し、海中にマグマを流出させ、圧力を逃がす、第３の方法は、マグマ溜りの上でなく、横方向の地表から、トンネルをたくさん掘り、圧力の高くなったマグマを、噴火させずに、横方向の別の場所に、流出させ、圧力を逃がし、噴火させないもの、これらのトンネルを作り、それぞれで、ネットワーク化して、噴火の規模を小さくする。
これら、噴火の規模を小さくする、第１、第２、第３の方法と帯、ひも状のもの、ネットそのものを張っておくことは、火山災害を小さくするために使う骨組の、破損を軽減させるものとして、共通のものとする。
上下左右と、骨組を並べ、骨組の梁と同じ位の長さのシートの先端に、棒状の重りを付けたものを、巻いた状態で、上部梁に固定、下部梁に部材を架け渡し、その部材に、重りの両端をスライドさせて、斜めに降ろしていくための、斜めの誘導管を付ける。
そして、重り付きシートを安定させるため、斜めの誘導管と同じ傾きで、上部梁から下部梁に、重り付きシートを、上下で挟むような形で、斜めの補助管を架け渡し、斜めの補助管の上下の間に、重りを滑らせ、屋根を作る。
上部梁と下部梁の下の壁は、骨組の柱と柱の間に、梁と平行に、補助管を何本も設置して、梁に巻いた状態で固定した重り付きシートが、補助管を編むように降りていくための波形の誘導管を柱に付け、重り付きシートを降ろし、壁とする。
又は、梁より、誘導管、補助管なしで、直接、重り付きシートを降ろす。
（図４）部材下の壁は、柱と柱との間に、補助管を水平に設置し、一番上の補助管が、部材と接する位置に、重り付きシートを固定する梁を設置し、重り付きシートを巻いた状態で固定し、波形の誘導管によって、重り付きシートを降ろすことで、部材下の壁とする。
又は、部材より、誘導管、補助管なしで、直接、重り付きシートを降ろす。
上部梁から、山の斜面の下部梁に向って、同じ幅のシートを降ろすと、下部梁の横には骨組と骨組の間に、すき間ができるので、（図４）すき間のできる所だけは、上部梁からすき間を塞ぐように、骨組と骨組を、またぐように、上部梁の上に、重り付きシートを重ねて設置し、誘導管と補助管で、骨組のすき間の上に、重り付きシートを、重ねるようにして降ろす、と伴に、下部梁の下の壁の横にできた、骨組と骨組のすき間も、すき間の上部に梁を設置して、重り付きシートを降ろして塞ぐ。
屋根は、山形の誘導管と山形の補助管、壁は、直線的誘導管と直線的補助管も使えるもので、雪の落下事故を防ぐため、又、重り付きシートをスムーズに降ろすため、誘導管、補助管、梁などに、雪が、積もらないように、雪の時だけ、必要場所を、暖める、又は、滑りやすい塗料を塗る、滑りやすい素材を使う、風圧で飛ばす、振動させる、などで、雪の附着を避けるもの。
噴火後、火山灰の積った所に、雨が流れないように、シート上を降りてきた大雨の水を箱形の樋と、地中まで埋めた、ビニール状容器の入った断面積の大きい樋と、予備の、ビニール状容器の入った断面積の大きい樋を使って、地中の中の樋下部の、小さい排水口を通して、地中の中に浸透させるか、又は、部材と梁に、断面積の大きい樋を設置して、山の下部まで運んでいく、又は、並用して、火山灰とは別に、大雨の水を処理し、土石流など、二次被害を防ぐもの。
噴火時、骨組が、火口に、いくつも落下しても、シートを開いた状態が保てるように、骨組同士全体に、帯状の補強材を、つなげることで、骨組の上下左右を一体化させ、噴火口の中でも、開いた状態を、維持させる。
火山噴火時、自動や手動で、重り付きシートが可動して、屋根、壁を作るもので、管理や有効利用のため、階段、通路、スロープ、エレベータ、監視カメラ、避難用通路、避難用スベリ台、発電設備、畜電設備、送配電設備、骨組の上に屋根を作ると、観光施設、宿泊施設、研究施設を作ることができ、平時は場所により、トンネルを交通に使うことが、できるもの。
骨組の利用法５  骨組を、火山の入山規制されている場所に使うと、噴火の起こりそうな場所の、硬い地盤、又は岩盤まで、杭を打ち、柱、梁、斜め材で骨組を作り、杭の中、骨組内の要所、骨組同士の接合部にクッション材を入れる。
山の頂上側に対して、立方体のような骨組を、上下左右に並べ、骨組の頂上側（上側）の面と、反対側（下側）の面の、山の頂上側に、仮りに、格子状の骨組を２枚、仮りに、１ｍ離して、箱状にしたもの（以下、板状の骨組）を、上部に、ワイヤーなど、ひも状のもの、下部に、回転軸を設置して、骨組と一体化させる。
板状骨組の上部の屋根の下に、重り付きシートを巻いたものを固定し、雪が附着しないようにして、噴火時、誘導管、補助管なしで落下させ、ワイヤーなど、ひも状のものを伸ばし、回転軸によって、地面に倒し、噴火口を塞ぐもので、作動は、自動や手動による。
管理や有効利用のため、階段、通路、監視カメラ、スロープ、発電設備、畜電設備、送配電設備、倉庫のあるもの（図５）
骨組の利用法６  骨組を火砕流に使う時は、火砕流が流れ落ちてくる山の下部で、住宅地の上部の位置に、火砕流より高い高さで、硬い地盤、又は岩盤まで杭を打ち、柱、梁、斜め材で骨組を作り、杭の中、骨組内の要所、骨組同士の接合部にクッション材を入れ、骨組の上部に屋根を作り、山を囲むように配置する。
骨組の山側、屋根の先端でなく、数ｍ内側の、雪の影響のない屋根の下に、重り付きシートを、巻いた状態で固定し、誘導管も補助管も使用せず噴火時、自動や手動で降ろす。
カルデラ噴火の時は、高さを１０００ｍ以上として、マグマだまりより広い範囲で、マグマだまりを囲むように、骨組を配置することで、カルデラを囲む壁とする。
カルデラを囲む壁の内側は、仮りに、５０ｋｍ四方と考え、５０ｋｍ四方分の屋根を作る。硬い地盤までの杭と、杭の上部を梁で結び、柱、梁、斜め材で、高さ、１０００ｍを超える骨組を作り、仮りに、高さ２００ｍごとに、人工地盤を５層作り、杭の中、骨組内の要所、骨組同士の接合部、人工地盤の必要部に、クッション材を入れ、１０００ｍの高さを、５つの空間に別ける。
５層の人工地盤を、柱、梁、斜め材で支え、人工地盤の中を地下、人工地盤の上を地上として、有効利用すると伴に、柱、梁、斜め材も、建物施設として有効利用し、カルデラ噴火時は、５層の人工地盤によって、５０ｋｍ四方の、噴煙の上昇を防ぎ、横に逃げる噴煙や火砕流は、カルデラを囲んだ壁や、５層の各階の必要場所に、利用法２１と２２の津波用の落下式堤防と回転式堤防を、高さ２００ｍ分、必要量、設置して止める。
カルデラ噴火の前には、交通機関によって、前もって、居住者全員を、避難させておくことで、もしも、マグマだまりに、５０ｋｍ四方、１０００ｍ分の空間が、落ちたとしても、骨組の形を維持させることで、噴煙の上昇を防ぐことができる。
５層それぞれの、人工地盤の下側は、薄いモニターを貼り、屋上に設置したカメラで、空模様を中継したり、又は、空の色の変化や、太陽の位置による日陰の変化を、作ることもできる自動的な照明を、設置すると伴に、落下物の事故防止のため、利用法１のネットを利用する。
管理や有効利用のため、階段  通路  倉庫、避難場所、避難通路、エレベータ、スロープ、監視カメラ、消防設備、クレーン設備、発電設備、畜電設備、送配電設備、自動車、電車など交通機関、オフィスやマンションなど建物施設、観光施設、宿泊施設、スポーツ施設、レクリエーション施設、学校施設、研究施設、物流施設、商業施設、工業施設、農業施設のあるもので、人間の生活と居住に必要な、設備と施設のあるもの。
骨組の利用法７  骨組を火山の急傾斜地に使うと、火山の急傾斜地を、峰ずたいと、中腹などに別けて、硬い地盤、又は岩盤まで杭を打ち、柱、梁、斜め材で骨組を作り、杭の中、骨組内の要所、骨組同士の接合部にクッション材を入れる。
骨組の上に、重り付きシートを巻いた状態で固定し、重り付きシートの上には、屋根を付け、雪に備える。
重りには、車輪やローラー、又は、そりを付け、先端は上に向け、引っ掛かりをなくす
山の下部に設置した機械と、重り付きシートの重りを、帯やひも状のもので結んでおき噴火時、噴火口に近い重り付きシートを、自動や手動で、固定を解除し、落下させ、車輪やローラー、又は、そりによって、重り付きシートを噴火口に向って、移動させると伴に噴火口に近い、山の下部からも、機械によって引っ張り、噴火口の上部に大きく、屋根をかけるように降ろし、噴煙、噴石の上昇を防ぐ。
管理や有効利用のため、階段、通路、監視カメラ、スロープ、機械設備、発電設備、畜電設備、送配電設備、倉庫のあるもの。
骨組の利用法８．骨組を、既に、噴火中で、火口に近よれず、火口近くに骨組を作ることができない時に、使うと、硬い地盤、又は岩盤まで杭を打ち、柱、梁、斜め材で骨組を作り、杭の中、骨組内の要所、骨組同士の接合部にクッション材を入れる。
山の中腹（山の上部の火山灰と、山の下部の樹木との中間辺り）と、樹木より下部の住宅地の山側に、火山を２重に囲むように、骨組を作り、新しい場所の噴火や、既に噴火中の火口の、より大きな噴火に備える。
骨組上部の屋根に、シートを収納しておくと伴に、機械を設置する。
噴火時、噴火口の近くの骨組の屋根より、帯又は、ひも状のものを、誘導ロケット、又は、リモコンの飛行物（以下、ロケット）に付けて、噴火口の反対側の骨組に飛ばし、反対側の骨組の上の機械と結ぶ。
ロケットを飛ばした方では、帯又は、ひも状のものをシートに結び、反対側から、帯又は、ひも状のものが、機械によって、引き上げられ、ロケットを飛ばした方の骨組上部から、シートが、火口に向って移動して、噴火口を塞ぐ。
反対に、山の下部の、樹木の方で噴火した時は、樹木の方に、ロケットを飛ばし、住宅地の山側に作った骨組の上の機械で、引っ張るもの。
シートは、マグマの熱にも耐えられるもので、先端が上を向いていて、引っ掛かりをなくすもの。
又は、シート自身が、帯又は、ひも状のものに沿って、噴火口まで、自動で上ってゆき噴火口を塞ぐもの。
管理や有効利用のため、階段、通路、スロープ、監視カメラ、倉庫、エレベータ、機械設備、発電設備、畜電設備、送配電設備、観光施設、宿泊施設、研究施設、があるもの。
骨組の利用法９  骨組を土砂災害防止に使うと、まず、土砂災害の起こりそうな山を間伐して、山の下部より、帯を、山の上部に向って伸ばし、頂上を越えて、反対側の山の下部まで、必要本数、山全体を覆うように伸ばしてゆき、横にも伸ばし、縦の帯と横の帯をつなげ、仮りに格子状にして、仮りに、１０ｍごとに、硬い地盤、又は岩盤まで杭を打ち固定する（図２）。
その格子状の帯は、内部に仕切りを入れたもので、人間が上を歩ける、強度のもので、木と木の間が広い所では、横に帯を部分的に増設し、なるべく広い幅にして、高さ、仮りに５０ｃｍとし、急傾斜の所では、階段状にして（図２）、帯上部はメッシュ状で、水分しか入らない位の目の小さいものにして、内部は、仕切りを入れて、人間が上を歩ける強度のものとし、帯上部に降った雨を、全て中に入れ、帯の底部には、小さい排水口を設け、仮りに、２〜３日かけて、山の地表面や、硬い地盤、又は岩盤まで打ち込んだ、杭の中の小さい排水口を通して  山の内部に浸透させてゆくものとし、又、格子状の帯から、近くの木、一本一本に、ひも状のものや、帯と同じく、小さい排水口を設けたひも状のものを木の成長を見越して、木の上下など必要箇所に、巻き付け固定する（図２）。
上記、格子状の帯と、ひも状のものを設置した後、土砂災害の起こりそうな住宅地の上部山に、硬い地盤、又は岩盤まで、杭を打ち、柱を建て、梁、斜め材で、必要な数だけ、骨組を作り、杭の中、骨組内の要所、骨組同士の接合部にクッション材を入れ、仮りに、梁の長さと同じ位のシートの先端に、棒状の重りを付けたもの（以下、重り付きシート）を、上部梁に、巻いた状態で固定し、上部梁から、山の斜面の下部梁に、部材を架け渡し（図２）、その部材に、重り付きシートの重りの両端をスライドさせて、斜めに降ろしていくための斜めの誘導管を、設置する。
同じ傾きで、上部梁から下部梁に、シートを安定させるため、重り付きシートを上下に挟む形で、斜めの補助管を架け渡し、斜めの補助管の上下の間に、重りを滑らせ、屋根を作る。
下部梁に、水が外に、こぼれないように、箱形の樋を設置し、円柱状で取替えのできる仕切りの入った、ビニール状容器（以下、ビニール状容器）を入れた、断面積の大きい樋を、柱の近くに設置し、地中の中まで埋めて  大雨の水を誘導し、流し込み、断面積の大きい樋から、地表の帯や、小さい排水口を設けたひも状のもの、帯を固定するための杭の下部の排水口、地中の中まで埋めた断面積の大きい樋の下部の小さい排水口を通して、仮りに、２〜３日かけて、地表や地中に浸透させていくものであり、断面積の大きい樋が一杯になると、予備のビニール状容器を入れた、断面積の大きい樋に、誘導していくもの。
山火事を止めるため、梁の下の壁の部分は、柱に、梁と平行に、補助管を何本も設置し柱には、重りが、補助管を編むように降りていくための、波形の誘導管を設置する。
屋根には、中央部附近を、上方に折り曲げた、山形の誘導管と、山形の補助管、壁には柱と平行に、直線的に降ろす、直線的誘導管と直線的補助管も、使えるものである。
又、壁は、誘導管、補助管なしで、直接、降ろすことができるもの
雨に関係なく、地震によって起こる土砂崩れは、骨組の、硬い地盤、又は岩盤まで打ち込んだ、杭と杭の山側に、地下水を通す穴を開けた板状のものを設置、杭と杭によって、板状のものを支え、土砂を止める。
地面より上の部分に流れ落ちてきた土砂は、山火事を止めるための、重り付きシートを誘導管も補助管も使わず、自動や手動によって、骨組の山側に降ろし、壁としたり、又は利用法２２の回転式堤防を使う、と伴に、山の山頂や峰を越えて、山の反対側まで設置した帯や、帯から伸ばした、ひも状のものを、骨組の柱の上下に、固定することで、土砂崩れの力を、帯を使って、山全体で支え、止めるもの。
骨組の、柱の高さを変え、屋根に傾きをもたせ、帯や、ひも状のものの替わりに、道路や歩道の地下に、一時的貯水機能をもった空間を作ると、平地でも使えるものとなる。
下流の河川の洪水防止や、下水道の負担軽減のために、河川の上流地域の、平地に降った大雨を、坂道や平地の道路や歩道の地下に、仮りに、２〜３ｍ位の深さの、仕切りの入った空間を作り、大雨を流入させる。
平地に作った骨組の断面積の大きい樋は、地中の中まで埋めずに、仮りに、２〜３日かけて、樋下部より、道路や歩道の地下の空間に誘導し、予備の断面積の大きい樋に入り切らない大雨も、道路や歩道の地下の空間に誘導し、道路上を流れてきた大雨も、側溝上部の排水口から、道路や歩道の地下の空間に誘導する。
例えば、坂道の道路の地下の空間は（図３）であり、（図３）の各仕切りの下水道側の下部に、仮りに、２〜３日かけて、下水道や、河川に至る排水路に、排出するための、小さい排出口を作り、仕切り１が一杯になった時、仕切り１の上部より、隣りの、仕切り２に、水が入っていくものであり、空間そのものは、硬い地盤まで、クッション材を入れた杭を打ち、固定させるもの。
山の斜面や平地での骨組は、必要なだけ増やしていくものであり、管理や有効利用のため、階段、通路、スロープ、監視カメラ、消防設備、発電設備、畜電設備、送配電設備があるもの。
骨組の利用法１０．骨組を、平地や傾斜地の住宅地で、大雨の後の、長時間の地震による液状化で、平地や傾斜地全体が、地滑りするようなおそれのある場所に使うとすると、住宅地造成時、硬い地盤、又は岩盤まで、杭を打った骨組に、人工地盤を作り、建物、道路、歩道など、全て載せ、液状化で地滑りが起ったとしても、骨組の杭によって、人工地盤が、そのままの位置に残るようにするもの。
人工地盤に地震動を伝えないようにするため、人工地盤の周りと、人工地盤の下の硬い地盤、又は岩盤まで、人工地盤から必要箇所に、溝を深く掘り、仮りに、仕切りの入ったエア、マットなどのクッション材を、人工地盤と一体化させ、溝に入れることで、人工地盤の下の硬い地盤、又は岩盤を伝わる地震動を吸収させ、又、人工地盤そのものの要所にも、クッション材を入れるもの。
住宅地内の個々の建物の耐震のため（図２）、人工地盤と一体となった、高さ、仮りに１．５ｍの立ち上げ部分の中に、建物を作り、建物の１階部材接合部の変形を防ぐ。
床下換気口や開口部の位置、それぞれの家の形、間どりによって、立ち上げ部分の、厚さや高さなどの形状は、必要により変えたとしても、１階部材接合部の変形を防ぐための強度は、維持する。
２階、３階なども、部材接合部の位置に、直接又は、壁の外側から、仮りに、１．５ｍ位の接合部を固定する帯状、又は、板状のものを周し、２階、３階の部材接合部の変形を防ぐ（図２）。
隣地境界線の上に、硬い地盤、又は岩盤までの杭を打ち、柱を建て、梁、斜め材で、人工地盤全体に骨組を作り、骨組から、建物の外壁に、クッション材の付いた梁を伸ばし、骨組全体の力で、個々の建物を耐震させる（図２）。
杭の中、骨組内の要所、骨組同士の接合部にクッション材を入れる。
隣地境界線上に、個々の建物の敷地の壁を作るため、骨組の各梁に、重り付きシートを巻いたものを設置して、梁と平行に、柱と柱の間に、補助管を設置する。
柱には、重りの両端が、スライドして、補助管を編むように降ろすための、波形の誘導管を設置することで、敷地を囲う壁を作る。
道路、歩道や敷地の屋根を作るため、重り付きシートが、骨組の上部梁から、道路、歩道や建物の屋根の上を、斜めに降りていくように、梁１の両端と梁２の両端に、斜めの部材を架け渡し（図２）、斜めの部材に、斜めの誘導管を設置する。
重り付きシートを安定させるため、斜めの誘導管と同じ傾きで、仮りに、２ｍ間隔で、重り付きシートを上下に挟む形で、梁１から梁２に、斜めの補助管を架け渡す。
誘導管と補助管は、山形の誘導管と山形の補助管、壁は、直線的誘導管と直線的補助管も使えるもので、屋根、壁は、自動や手動で降ろすもの。
シートを降りてきた火山灰、大雨、大雪を、梁２に付けた、箱形の樋で、柱２や柱３の近くに付けた、ビニール状容器の入った、断面積の大きい樋に誘導し、下部の小さい排出口より、仮りに、２〜３日かけて、排出するもの。
骨組と重り付きシートは、火に強く、断面積の大きい樋は、ビニール状容器を入れたもので、一時的貯水機能を有するが、貯水漕として、水を溜めるものではなく、常に、小さい排出口より、排出しているものであり、もし、水が一杯になると、予備のビニール状容器の入った、断面積の大きい樋に、誘導するものであるが、雪、火山灰の処理のために、小さい排出口を大きくしたり、暖め雪を解かすことができるもの。
雪の落下事故を防ぐため、又、重り付きシートをスムーズに降ろすため、誘導管、補助管、梁などに、雪が、積もらないように、雪の時だけ、必要場所を、暖める、又は、滑りやすい塗料を塗る、又は滑りやすい素材を使う、風圧で飛ばす、振動させる、などで、雪の附着を避けるもの。
又は、隣地境界線に、個々の建物の屋根と壁を作るのでなく、住宅地の一定の広さごとに、屋根と壁を降ろし、集中コントロールすることもできるもの。
管理や有効利用のため、階段、通路、スロープ、消防設備、発電設備、畜電設備、送配電設備、クレーン設備、監視カメラのあるもの。
骨組の利用法１１  骨組で建物を吊り上げると、液状化による地盤沈下を原因とする、建物の傾斜による破損の防止ができる（図５）。
敷地の必要場所に、硬い地盤までの杭を打ち、杭の上部を梁で結び、柱を建て、梁、斜め材により、建物の周りに、骨組を作り、杭の中、骨組内の要所にクッション材を入れる。
建物の外壁の各階の最適場所に、帯状のもの、又は板状のものを周し、固定し、帯状のもの、又は板状のものから、骨組の柱に向って  帯状のものによって吊り上げるようにして、固定する。又は、地面から建物を浮かせ、骨組と建物の間に、クッション材を入れる。
重り付きシートを巻き付け固定した、上部梁の両側の柱から、仮りに、４５度位の角度で、斜め材を架け渡し、斜め材に、斜めの誘導管を付け、斜め材の下部の位置に、下部梁を設置し、箱形の樋と、柱の近くに、ビニール状容器の入った、断面積の大きい樋と、予備の、ビニール状容器の入った、断面積の大きい樋を設置する。
重り付きシートを安定させるため、上部梁から下部梁に、仮りに、２ｍ位の間隔で、重り付きシートを、上下で挟むように、斜めの補助管を架け渡し、上下の間に、重り付きシートを降ろして屋根とする。
骨組と重り付きシートは、火に強く、断面積の大きい樋は、ビニール状容器を入れたもので、一時的貯水機能を有するが、貯水漕として、水を溜めるものではなく、常に、小さい排出口より、排出しているものであり、もし、水が一杯になると、予備のビニール状容器の入った、断面積の大きい樋に、誘導するものであるが、雪、火山灰の処理のために、小さい排出口を大きくしたり、暖め雪を解かすことができるもの。
雪の落下事故を防ぐため、又、重り付きシートをスムーズに降ろすため、誘導管、補助管、梁などに、雪が、積もらないように、雪の時だけ、必要場所を、暖める、又は、滑りやすい塗料を塗る、又は滑りやすい素材を使う、風圧で飛ばす、振動させる、などで、雪の附着を避けるもの。
壁は、各梁に、重り付きシートを巻いた状態で固定して、波形の誘導管と補助管、又は直線的誘導管と直線的補助管により、重り付きシートを降ろし、壁とする。
屋根は、山形の誘導管と山形の補助管も使えるもので、屋根と壁は自動や手動で降ろす。
骨組には、通路、階段、発電設備、畜電設備、送配電設備があるもの。
上記の骨組を、高架の交通機関での液状化や、橋脚のコンクリートの、はがれ落ちが起きた時にも使い、橋桁を、骨組の柱で、吊り上げ支え、又、石油コンビナートでの液状化では、石油や化学物質の貯蔵タンクを、１つ１つ、柱に、吊り上げ固定することで、火災が起きたとしても、骨組の上から、自動、又は、防火壁に囲まれた通路からの、手動による消火が可能となり、壁と屋根で囲えば、延焼や爆発の、被害の軽減が可能となるもの。
エレベータのある建物では、エレベータ棟の硬い地盤までの杭の中と、エレベータ棟の骨組内の要所に、クッション材を入れ、エレベータ棟を耐震し  エレベータ棟と建物を独立させ、エレベータ棟と建物の間に、クッション材を入れ、エレベータ棟の上部と建物屋上の角や、屋上側面の必要箇所、建物外壁の必要箇所を、帯、又は、ひも状の物で、エレベータ棟の上部に、吊り上げるようにして結び、横揺れを、減少させるもの。
骨組の利用法１２  骨組をアンダーパスの上に使うとすると、硬い地盤までの杭と、杭の上部を梁で結び、柱、梁、斜め材で骨組を作り、杭の中、骨組内の要所、骨組同士の接合部にクッション材を入れ、斜めの誘導管と斜めの補助管、又は山形の誘導管と山形の補助管によって、自動や手動で、梁に巻いた状態で固定した重り付きシートを降ろして、屋根を作り、屋根部分下部の梁に設置した、箱形の樋によって、ビニール状容器の入った、断面積の大きい樋に、火山灰、大雨、大雪を誘導し、又、下り坂の上部に、溝を作り、大雨の水が、坂道の下に、流れていかないように、近くの下水道に誘導するもの。
骨組と重り付きシートは、火に強く、断面積の大きい樋は、ビニール状容器を入れたもので、一時的貯水機能を有するが、貯水漕として、水を溜めるものではなく、常に、小さい排出口より、排出しているものであり、もしも、水が一杯になると、予備のビニール状容器の入った、断面積の大きい樋に、誘導するものであるが、雪、火山灰の処理のために小さい排出口を大きくしたり、暖め、雪を、解かすことができるもの。
雪の落下事故を防ぐため、又、重り付きシートをスムーズに降ろすため、誘導管、補助管、梁などに、雪が、積もらないように、雪の時だけ、必要場所を、暖める、又は滑りやすい塗料を塗る、又は滑りやすい素材を使う、風圧で飛ばす、振動させる、などして、雪の附着を避けるもの。
管理や有効利用のため、階段、通路、監視カメラ、消防設備、クレーン設備、発電設備  畜電設備、送配電設備が、あるもの。
骨組の利用法１３  骨組の上に緑の屋根を作るとすると、道路や歩道の上に、硬い地盤までの杭を打ち、杭の上部を梁で結び、柱、梁、斜め材で、骨組を作り、杭の中、骨組内の要所、骨組同士の接合部にクッション材を入れる。
硬い地盤まで打ち込んだ、杭と杭の上部を結んだ梁より、必要場所に、硬い地盤まで、溝を掘り、硬い地盤まで打ち込んだ杭と杭の上部を結んだ梁に、固定した状態で、仮りに仕切りの入ったエア、マットなどのクッション材を入れる。
日陰を作るため、骨組の上部に、仮りに、３０ｃｍ四方のネットをかけ、固定し、植物を成長させる。
必要時、ネットの上、又は、下に、梁に巻いた状態で固定した重り付きシートを、斜めの誘導管と斜めの補助管により、自動や手動で降ろし、屋根を作り、屋根部分下部の梁に設置した箱形の樋で、柱の近くに設置した、ビニール状容器の入った、断面積の大きい樋に、火山灰、大雨、大雪を誘導する（図３）。
壁面の梁に、巻いた状態で固定した重り付きシートを  波形の誘導管と補助管で、自動や手動で降ろし、壁を作り、延焼を防ぐ、と伴に、建物からのガラスの飛散を防止する。
屋根は、山形の誘導管と山形の補助管、壁は、直線的誘導管と直線的補助管も使えるもので、骨組と重り付きシートは、火に強く、断面積の大きい樋は、ビニール状容器を入れたもので、一時的貯水機能を有するが、貯水漕として、水を溜めるものではなく、常に、小さい排出口より、排出しているものであり、もし、水が一杯になると、予備のビニール状容器の入った、断面積の大きい樋に、誘導するものであるが、雪、火山灰の処理のため小さい排出口を大きくしたり、暖め、雪を、解かすことができるもの。
雪の落下事故を防ぐため、又、重り付きシートをスムーズに降ろすため、誘導管、補助管、梁などに、雪が、積もらないように、雪の時だけ、必要場所を、暖める、又は、滑りやすい塗料を塗る、又は、滑りやすい素材を使う、風圧で飛ばす、振動させる、などして雪の附着を避けるもの。
骨組は、建物との間に、直接、クッション材を設置したり、又は、クッション材を梁に付けて、建物に伸ばし耐震させる。
管理や有効利用のため、階段、通路、スロープ、エレベータ、避難場所、避難通路、倉庫、監視カメラ、クレーン設備、消防設備、発電設備、畜電設備、送配電設備、商業施設  工業施設、農業施設、物流施設、研究施設、学校施設、オフィスやマンションなどの建物施設、医療施設、福祉施設、観光施設、宿泊施設、スポーツ施設、レクリエーション施設  自動車、電車などの交通機関の設置が可能なもの。
骨組の利用法１４  骨組を、乾燥、砂漠に使うと、海の中から、乾燥、砂漠地帯まで、トンネルを掘り、土の中に、塩分、有害物質が浸透しないように、トンネル表面をコーティングする。
地下の施設で、海水から、塩分、有害物質を取除いて、発電設備を使い、地上まで水を揚げ、貯水池や湖を作り、水を引いて、植物、農作物商品、樹木を作り、緑化する。
又は、発電設備で、地表の施設に海水を揚げ、塩分、有害物質を取除く。
乾燥、砂漠地帯の、風や日射、夜の冷気など自然条件から、植物を守るため、硬い地盤まで杭を打ち、杭の上部を梁で結び、柱、梁、斜め材で、骨組を、２重に作り、杭の中、骨組内の要所、骨組同士の接合部にクッション材を入れる。
骨組と骨組の間には、重り付きの透明、又は半透明のシートを、巻いた状態で、各梁に設置して、斜めの誘導管と斜めの補助管、又は、山形の誘導管と山形の補助管で、屋根を作り、波形の誘導管と補助管、又は、直線的誘導管と直線的補助管によって壁を作る。外側の骨組は、屋根の各梁に、重り付きシートを巻いたものを固定して、斜めの誘導管と斜めの補助管、又は、山形の誘導管と山形の補助管により、屋根を作り、壁を作るため、各梁に、重り付きシートを巻いたものを設置して、波形の誘導管と補助管、又は、直線的誘導管と直線的補助管によって、必要な場所に、必要な広さの、屋根と壁を、自動や手動で作るもので、砂漠、乾燥地帯の緑化だけでなく、人間も住める環境を作る。
管理や有効利用のため、階段、通路、エレベータ、スロープ、倉庫、監視カメラ、消防設備、クレーン設備、発電設備、蓄電設備、送配電設備、自動車、電車などの交通機関、オフィスやマンションなどの建物施設、スポーツ施設、レクリエーション施設、観光施設  宿泊施設、畜産や養殖や加工施設、研究施設、学校施設  医療施設、福祉施設、商業施設  工業施設、農業施設、市場、物流施設が、あるもの。
骨組の利用法１５．骨組の利用法１４の、貯水池、湖を作った後、骨組を使って、高さ１０００ｍ以上の階段状の構造物を作り、一段ずつ、植物や農作物商品を、構造物上部まで作り、貯水池や湖から  水を引いて、構造物上部より用水する。
構造物は、硬い地盤まで杭を打ち、杭の上部は梁で結び、柱、梁、斜め材で、ピラミッドのような形の骨組にして、山脈のように長く伸ばし、何十本も並べる。
杭の中、骨組内の要所、骨組同士の接合部にクッション材を入れ、地震や強風に耐えるようにして、構造物と構造物の間は、養殖、畜産、放牧に使う。
砂漠の砂、石、砂から作ったレンガで、階段状の部分を作り、植物、樹木、農作物商品を育てる。
階段状の外側の部分は、乾燥、砂漠地帯の自然条件から、植物を守るため、骨組を２重にして、骨組と骨組の間には、各梁に  重り付きの透明、又は、半透明のシートを巻いた状態で設置して、ビニールハウスと同じ役目をさせ、２重にした骨組の、外側の各梁に重り付きシートを巻いたものを設置し、両方とも、屋根は、斜めの誘導管、と斜めの補助管又は、山形の誘導管と山形の補助管、壁は、波形の誘導管と補助管、又は、直線的誘導管と直線的補助管を使う（図５）。
管理や有効利用のため、階段、通路、スロープ、エレベータ、監視カメラ、消防設備  クレーン設備、採光設備、構造物の上まで水を運ぶポンプ設備、撒水設備、防水設備、階段状部分の上から、横や下に続く用水路と通路や階段やスロープ、作業用エレベータ、発電設備、畜電設備、送配電設備、電車や自動車などの交通機関、オフィスやマンションなどの建物施設、商業施設、工業施設、農業施設、市場、物流や加工施設、学校や研究施設  スポーツやレクリエーション施設、観光や宿泊施設、医療や福祉施設があるもので、乾燥砂漠地帯の緑化の面積を減らさないため、電車や自動車などの交通機関は、構造物内部や地下に、トンネルを作り入れる。
地震時のトンネルの、壁の落下事故を防ぐため、トンネルの形に合わせて、柱、梁、斜め材、円形の材料などで骨組を作り、硬い地盤まで、杭を打ち、杭の中、骨組内の要所、骨組同士の接合部にクッション材を入れる。
トンネルの壁と骨組の間に、ネットを入れて固定し、地震時の壁の崩落と骨組による、トンネルの耐震を行う。
構造物の内部や、地下部分のトンネルに、電車や自動車を通すと、風景が見えず、しかも、長時間、壁のままであると、ストレスを感じ、又、単調となり、事故の原因となるので、構造物の上部に、カメラを並べ、並べた場所から見える風景を、カメラの下を通過する電車の、窓に設置したモニターに中継したり、又、電車を通すトンネルの壁に、モニターを設置して並べ、その地点の構造物上部から見える風景を、その下のトンネルのモニターに中継する。
そうすることで、構造物や地下のトンネルを走っていても、構造物上部を走っているように感じることができる。
車を通すトンネルも、壁にモニターを設置して並べ、構造物上部から見える風景を、中継する。
もしくは、構造物の上部に、電車や自動車などの交通機関を、実際に走らせて、風景を視ることができるようにするもの。
又、モニターの風景は、その地点の中継でなく、他の場所の中継でもよいし、又、その他の場所、例えば、海の中、宇宙などの録画でもよいもの。
骨組の利用法１６  骨組を海の上で使うと、海の上で、仮りに、円筒状の容器に、仕切りの入ったビニール状の容器に、空気を入れたもの、を入れ、浮力として、海に浮かせ、柱、梁、斜め材を使い、仮りに、高さ５００ｍ位の骨組を作り、骨組内の要所、骨組同士の接合部にクッション材を入れ、５００ｋｍ四方の島状の構造物を作り、大型船が通行できる、海水面上、２００ｍ位の所に、必要な面積の人工地盤を作り、その上の、仮りに、３００ｍの高さに、屋根として、開閉式のソーラーパネルや、重り付きシートによる屋根（斜めの誘導管と斜めの補助管、又は、山形の誘導管と山形の補助管を使う）を設置してその上に、風力発電を設ける、（図３）。
落下物のおそれのある所には、利用法１と同じネットを張っておく。
島状構造物の外周など、必要場所に、柱と柱の間に、梁と平行に補助管を、仮りに、５ｍ間隔で設置して、各梁に巻いた状態で設置した重り付きシートを、波形の誘導管と補助管によって、自動や手動により、降ろすことで、開閉式の壁を作り、強風を調整させる。
ソーラーパネルの高さの位置で、島状構造物の外周に、仮りに、１０００ｍ位の張り出しを作り、仮りに、円筒状の容器による浮力と、柱、梁、斜め材で、張り出しを支え、台風時の上昇気流を防ぐ。
台風時、５００ｋｍ四方の、日陰げを作ると伴に、発電設備、畜電設備によって、ポンプなどで、海底まで伸ばしたホースにより、冷たい海水を海水面に吸い上げ、海水面の温度を下げ、水蒸気を減少させ、台風発生時より、台風の目の中に入り、ホースで、冷たい海水を吸い上げながら、台風の目と伴に移動して、台風の発達をコントロールするもの。
平時は、海底の資源掘削、プレートとプレートの接合部を削って、ガス抜きをするように、小さい地震を起こさせ、大きい地震を防ぐものであり、日本海側で、海水温の上昇を防ぐと、大雪を減少させるものであり、壁は、直線的誘導管と直線的補助管も使えるもので、島状構造物本体の移動のための設備、太陽光、太陽熱  風力、火力、バイオ、水素、潮力、潮流などの発電施設、畜電施設、送配電施設、飛行場、道路、港、鉄道などの交通機関、学校や研究施設、スポーツやレクリエーション施設、公園、森、田、畑、果樹園などの農林施設、商業施設、工業施設、養殖場や牧場や加工場などの畜産施設や水産施設、海水や雨水の淡水化や再利用の設備施設、オフィスやマンションなど建物施設、観光や宿泊施設、防衛施設、市場や物流施設など、人間の生活と居住に必要な設備と施設を備えたもので、カルデラ噴火などの大災害に対する、避難場所となるもの。
オフィスやマンションなどの建物施設は、建物と建物の間に  柱、梁、斜め材、クッション材による骨組を使い、建物と建物をつなぎ、一体化させ、建物と建物を結ぶ通路として使うと伴に、津波や台風の力に対しても、建物群を安定させる役目をさせる。
開閉式の壁やソーラーパネル、重り付きシートの屋根は、自動や手動で作動させるものであり、仮りに、１００ｋｍ四方の大きさにして、複数、台風の進路に、あらかじめ並べ日陰を作ることと、海底からの冷水を、汲み上げることで、前もって、水蒸気の量を減らしながら、常に、台風の進路に、移動するような形で、台風を小さくしていくもの。
更には、台風の進路と思われる各場所に、多数、島状構造物を、あらかじめ配置して、台風の近づきに伴に、日陰を作り、海底より、冷水を汲み上げて、水蒸気の量を減らし、台風の進路と大きさを、コントロールするもの。
しかし、海底の水温の高い時や、水深の浅い場所では、冷水の効果はでないので、その対策としては、仮りに、南極と北極などの冷水を、仮りに、直経５００ｍの送水管で結び網状にネットワークを作り、西太平洋やインド洋などの、海水温の高い場所の海底や海中に、多数、配置する。
送水管は、プロペラで冷水を移動させ、クッション材を入れた骨組によって囲い、送水管自体も、必要箇所に、クッション材を入れ、骨組と送水管の間も、クッション材を入れ安定させたもので、ホースと同じく、断熱性の高いもので、骨組は、発電設備、送配電設備、畜電設備があり、網状の形成や調整のため、骨組自体の移動設備のあるもの。
送水管の利用法１は、台風の発生、近づきに伴い、ホースとポンプを備えた大型船や、仮りに、１００ｋｍ四方の島状構造物を、多数、台風の進路と思われる場所に移動させ、ホースを多数、伸ばし、送水管と多数、連結させ、ポンプなどで、冷水を吸い上げ、台風の進路と思われる場所を、前もって冷やすもの。
送水管の利用法２は、島状構造物を作らずに、骨組で囲った送水管を、網状に配置して骨組を、浮力によって、海中に浮かせ、仮りに、海上１００ｍの高さまで、骨組を伸ばし船の通行を確保した上で、ホースとポンプを備えた大型船を移動させたり、送水管から、骨組を通して、海上の必要場所に、自動や手動で、冷水を吸い上げ、海水面を冷やすもので、海上１００ｍの骨組は、島状構造物と同じ設備、施設のあるもの。
島状構造物と送水管は、台風に限らず、大雨、猛暑、乾燥、砂漠化による被害を小さくするため、海水温の高い場所に使い、水蒸気の量を増やさないもの、又
島状構造物と送水管は、人工地盤の上に、利用法１５の階段状の構造物を作ることもでき、日陰を作ると伴に、ＣＯ２の吸収をすることができるもの。
骨組の利用法１７  骨組を河川に使い、吊り上げ式の堤防を作ると、川の中や周辺に硬い地盤、又は、岩盤までの杭と、杭の上部を梁で結び、柱、梁、斜め材で骨組を作る。
杭の中、骨組内の要所、骨組同士の接合部にクッション材を入れる。
川岸に建てた柱と柱を梁で結び、梁に重り付きシートを、巻いた状態で固定、柱から対岸の柱に、仮りに、４５度位の角度で、斜め材を架け渡し、梁でつなぐ。
斜め材に、重りの両端をスライドさせる、斜めの誘導管を設置する。
必要時、自動や手動により、固定を解除して、対岸の梁に、重り付きシートをスライドさせ、シートを開かせると同時に、シートの中程に付けた重り、又は、シート自体の重さにより、シートが護岸に沿って、川底近くまで沈み、柱と梁によって、シートが、吊り上げられる形にして、川の堤防とする（図５）。
重りの位置や、シートの長さは、その場所により決める。
シートは内側に、仕切りを入れ、補強する。
シートは、川岸の従来の堤防より、外側に開くものとする。
骨組の壁の部分は、梁に巻いた状態で固定した重り付きシートを、直線的誘導管と直線的捕助管、又は、波形の誘導管と捕助管で、壁を作り、予備的に使う。
又、重り付きシートは、４５度位に、スライドさせるのでなく、対岸より水平に、自動又は、手動により、引寄せることもできるもの。
管理や有効利用として、発電設備、畜電設備、送配電設備、通路、階段、スロープ、監視カメラ、倉庫、対岸に渡る橋があるもの。
骨組の利用法１８（図５）  骨組を使って、河川の上に水路を作るとしたら、川の中や周辺に、硬い地盤又は、岩盤までの杭と、杭の上部を梁で結び、柱と梁、斜め材で骨組を作り、杭の中、骨組内の要所、骨組同士の接合部に、クッション材を入れる。
川岸に建てた柱と柱を梁で結び、梁に重り付きシートを巻いた状態で固定、柱から、対岸の柱に、仮りに、４５度位の角度で、斜め材を架け渡し、梁でつなぐ。
斜め材に、重りの両端をスライドさせる、斜めの誘導管を設置する。
川岸の従来の堤防より高い位置で、川の上に、骨組の一部として、底辺と側面からなる箱形の骨組を作り、洪水時、自動や手動により、固定を解除して、対岸の梁に、重り付きシートをスライドさせ、シートを広げ、箱形の骨組の上に、シートに付けた重り、又は、シート自身の重さによって、シートを降ろし、水路を作る。
川の上流に小さいダムを作り、水位を上げ、ダムから箱形の水路に、水流を切り替え、流し、川と箱形の水路の、水量を調整して、川岸の、従来の堤防の、破壊を防ぐ。
又、箱形の骨組を作らず、柱と柱の間に、シートを吊り下げるようにして、川の上に水路を作るもの。その時は、シートに仕切りを入れ、補強する。
骨組の壁の部分は、梁に、重り付きシートを巻いたものを固定して、直線的誘導管と直線的補助管、又は、波形の誘導管と補助管で、壁を作り、予備的に使う。
又、重り付きシートを、４５度位にスライドさせるのでなく、対岸より水平に、自動又は、手動で、引寄せることもできるもの。
管理と有効利用のため、発電設備、畜電設備、送配電設備、階段、通路、スロープ、対岸に渡る橋、倉庫、監視カメラのあるもの。
骨組の利用法１９  骨組を屋外の避難所に使うとすると、複合災害時、多数の人間が避難してくる、河川敷、運動施設、公園、学校のグランドなどの、屋外の避難所に、硬い地盤までの杭と、杭の上部を梁で結び、柱、梁、斜め材によって、骨組を作り、杭の中、骨組内の要所、骨組同士の接合部にクッション材を入れる。
屋根部分の各梁に、重り付きシートを巻いた状態で設置し、斜めの誘導管と斜めの補助管、又は、山形の誘導管と山形の補助管で、屋根を作り、壁部分の各梁に、重り付きシートを巻いた状態で設置し、波形の誘導管と補助管、又は、直線的誘導管と直線的補助管により、壁を作る。
屋根部分の下部梁には、箱形の樋と、柱の近くに、ビニール状容器の入った、断面積の大きい樋と、予備のビニール状容器の入った、断面積の大きい樋を設置する。
骨組と重り付きシートは、火に強く、断面積の大きい樋は、ビニール状容器の入ったもので、一時的貯水機能を有するが、貯水漕として、水を溜めるものではなく、常に、小さい排出口より、排出しているものであり、もし、水が一杯になると、予備のビニール状容器の入った、断面積の大きい樋に、誘導するものであるが、雪、火山灰の処理のために、小さい排出口を大きくしたり、暖め、雪を解かすことができるもの。
雪の落下事故を防ぐため、又、重り付きシートをスムーズに落ろすため、誘導管、補助管、梁などに、雪が積もらないように、雪の時だけ、必要場所を、暖める、又は、滑りやすい塗料を塗る、又は、滑りやすい素材を使う、風圧で飛ばす、振動させる、などで、雪の附着を避けるもの。
田、畑、果樹園と同じく、骨組を２重にすると、冬など、災害時の断熱効果を高くできるもの。
管理や有効利用のため、階段、通路、スロープ、監視カメラ、倉庫、発電設備、畜電設備、送配電設備、消防設備のあるもの。
骨組の利用法２０（図４）骨組を船に使うと、仮りに、長さ３００ｍのコンテナ船で、コンテナを、船体の上の５０ｍの高さまで積むとして、船体の周りに、仮りに、海水面近くから、船体の上の高さ５０ｍまでの、柱、梁、斜め材で、骨組を作り（以下、船体周辺の骨組）、船体周辺の骨組の外側（海側）に、海水面近くから、船体の上の５０ｍまでの高さに、仮りに、５ｍごとの格子状の骨組を、２枚作り、仮りに、１ｍ離して、箱状にして、船体周辺の骨組と一体化させ、箱状にした骨組の、屋根部分の裏に、直線的に降ろせる、仕切りの入った、袋状のシートを、空気を抜いた状態で、先端に棒状の重りを付け、巻いた状態で固定し（以下、格子状骨組）、津波時、重りの付いた袋状シートを、自動や手動で降ろし、格子状骨組を、自動や手動で、９０度位、海に回転させ、自動や手動で、斜め材で固定する。
転覆、沈没のおそれのある時は、排気ガスや空気を、自動や手動で、仕切りの入った袋状のシートに送り、膨らませるもので、必要な時は、格子状骨組を、救命艇として、自動や手動で、船体から外せるもの。
コンテナ船に限らず、他の小さい船では、船体周辺の骨組の外側に、柱と梁によって、骨組を作り、上部に、重り付きの浮力のあるシートを、巻いた状態で固定し、必要時、波形の誘導管と補助管、又は、直線的誘導管と直線的補助管によって、降ろし、９０度位回転させ  海面にシートを広げて、斜め材で固定し、船を安定させることができるもの。
又、より安定させるため、コンテナ船に限らず、他の船でも、格子状骨組を上下に別けて、上半分を下半分の、内側に重ね収納することで、津波時、シートの面積を、より大きくすることができる。
船の前面の格子状骨組を、３枚重ねて、重ねた２枚を、左右に開く、又は、左右にスライドさせて、横に３枚並べ、表面積を大きくしたり、又は、船体側面の前部、仮りに、５０ｍ分を、回転軸で開いて、船の前面の、格子状骨組の表面積を、大きくできるもので、いずれも、上下に別けた部分を上昇させ、上昇した格子状骨組の上部と、船体周辺の骨組の後部を、ワイヤーなどでつないで、後方からの風に対する補強とするもの。
骨組内の要所には、クッション材を入れて、津波や台風の力に、対応できるもの。
骨組上部からの、雪の落下事故を防止するため、又は、重り付きの浮力のあるシートをスムーズに降ろすため、雪の落下のおそれのある骨組の各場所を、暖める、滑りやすい塗料を塗る、滑りやすい素材を使う、風圧で飛ばす、振動させる、などして、雪の附着をなくし、そのための発電設備、畜電設備、送配電設備を設置する。
骨組の利用法２１  骨組を津波災害に使うとして、従来の落下式堤防（特願２０１３−２３２５３３）を改良すると、落下式堤防の可動性の向上ができる（図５）。
従来の落下式堤防は、柱と横材で補強壁を作り、補強壁の海側や、河川に面した、補強壁の最上部に、巻き付け固定した、重り付きシートを、誘導管によって、横材を編むように、落下させる、というものであった。
しかし、これでは、雪の多く降る日本海側や、雪の多い地方の河川では、誘導管に雪が附着し  塊となり、氷結し、可動時に、横材を編むように、落下させることが、不可能となる可能性がある。
その改善策として、沿岸において、硬い地盤まで杭を打ち、柱を建て、梁、斜め材で、骨組を作り、骨組上部に屋根を作る。
杭の中、骨組内の要所、骨組同士の接合部にクッション材を入れる。
海底近くの柱と柱を梁で結ぶ。
海側の骨組上部で屋根の下に、重り付きシートを巻いた状態で固定、雪の影響をなくし誘導管を使わず、直接、重り付きシートを海底まで落下させ、骨組の海側前面に、シートを張るような形にして、堤防とする。
予備として、海側の雪の届かない骨組内に、誘導管を設置し、梁を編むように、海底まで、重り付きシートを降ろしてゆくか、又は、海側の骨組上部で、雪の影響のない屋根の下に、巻いた状態で固定した、重り付きシートを並べるように設置して、誘導管なしで、海底まで降ろす。
沿岸に落下式堤防を並べる時、船の通行する部分には、回転式堤防、又は、吊り上げ式堤防を使う。
場所により、骨組を有効利用する時は、屋根を、重ねるようにして、２階、３階などの空間を作り、自動車や電車などの交通機関、船や潜水艇などの停泊場、飛行場、飛行機の訓練施設、養殖場や加工場などの水産施設、市場、物流施設、学校や研究施設、スポーツやレクリエーション施設、オフィスやマンションなどの建物施設、防衛施設、商業施設、工業施設、農業施設、医療や福祉施設、畜電設備、送配電設備、消防設備、クレーン設備  エレベータ、スロープ、通路、階段、倉庫、変電設備、宿泊施設のあるもの。
骨組の利用法２２．骨組を津波災害に使うとして、従来の回転式堤防（特願２０１３−２３２５３３）を改良すると、補強壁の屋根部分の有効利用ができる（図５）。
従来の回転式堤防は、柱と横材で作った補強壁の屋根部分に、板状の堤防を、海に突き出すようにして載せ、回転させるというものであったが、これでは、補強壁の屋根部分を板状の堤防を載せて可動させるがゆえに、板状の堤防の上を、ソーラーパネルを張る、などにしか、利用できなかった。
そこで、補強壁の屋根部分の全てを、有効利用するために改良した、その方法は、
沿岸に、硬い地盤まで杭を打ち、柱、梁、斜め材で骨組を作り、骨組の上に屋根を作る。
杭の中、骨組内の要所、骨組同士の接合部にクッション材を入れ、海底近くの柱と柱を梁で結ぶ。
陸や海から、船の通行が可能なスペースを設ける。
骨組の陸側上部に回転軸、海側上部にワイヤなどで、板状のものを、骨組上部の位置
で、屋根の下に、水平に設置する。
津波時、固定を解除して、海側より、９０度位回転させ、海底近くの柱や梁で、止めることで堤防とする。
予備として、吊り上げ式堤防を、併用できるもの。
場所により、骨組を有効利用する時は、屋根を重ねるようにして、２階、３階などの空間を作り、落下式堤防と同じ設備、施設があるもの。
骨組の利用法２３．骨組を津波災害に使うとして、吊り上げ式の堤防を作ると、沖合や沿岸に、硬い地盤までの杭を打ち、柱、梁、斜め材で骨組を作り、杭の中、骨組内の要所骨組同士の接合部にクッション材を入れ、骨組の上に屋根を作る。
海底近くの柱と柱は梁で結ぶ。
屋根の下に、箱状のものを、折りたたむ、又は、縮めて小さくして、平らな状態で、柱の上部に水平に、固定しておく。
屋根の下は、大型船が通行するとして、海水面より屋根までの高さは、仮りに、１００ｍの高さで、海水面より海底まで、５０ｍの深さとする。
箱状のものは、海側下部に重りを付けるか、重くして、津波時、自動や手動で、固定を解除し、屋根の下から、海水面の上に、１００ｍ位の高さの、箱状のものを作り、重りで箱状のものの海側下部を、海底近くまで沈ませ、結果として、屋根より、１５０ｍ位の箱状のものを作る。
箱状のものは、仮りに、２５ｍごとに、仕切りの床を作り、上から下まで、６つの箱を積み重ねるような形にして、仕切りの床の位置より、少し下に、水の流入する穴を作る。
それぞれの箱の海側上部に、海水を入れる穴を作ることで、津波の水位が、一時、下ったとしても、それぞれの箱の中に、穴の位置まで、海水が残り、海水の入った箱状のものとなり、堤防の役目をする（図５）。
仕切りは、床だけでなく、壁として、縦方向にも入れ、箱状のものの補強とする。
又は、海底近くで、吊り上げた状態でなく、海底まで、降ろすこともできるもの。
箱状のものの、上部や必要場所には、浮力のあるものを設置して、津波時、箱状のものと、柱の上部との固定が、壊れた時でも、海の中で、箱の形を維持できるようにするもの  予備として、回転式堤防を、併用することができるもの。
場所により、骨組を有効利用する時は、屋根を重ねるようにして、２階、３階などの空間を作り、落下式堤防と同じ設備、施設があるもの。
骨組の利用法２４  骨組を建物の部材接合部の変形防止に使うと、基礎の下部から、地面より、仮りに、１．５ｍ位の高さまでの、建物の外周を、壁状のもので囲う。
床下換気口や開口部の位置、それぞれの家の形、間どりによって、壁状のものの、厚さや高さなどの形状は、必要により、変えることになっても、部材接合部の変形を防ぐための強度は、維持する。
２階、３階も部材接合部の変形を防ぐため、壁状のものを周し、１階の壁状のものと、柱や梁、斜め材によって結び、骨組とする。
１階の壁状のものより、硬い地盤まで、杭を打ち、１階の壁状のものの下部から、建物外周の基礎の下に、壁状のものより、張り出しを作り、基礎を持ち上げるようにして、支え、沈下させないもの。
杭の中と骨組内の要所に、クッション材を入れて、骨組自身の耐震とする（図２）。
骨組の利用法２５  骨組を熱吸収防止と建物冷却に使うと、建物の外壁の、仮りに、１０〜２０ｃｍ位外側に、硬い地盤までの杭と、杭上部を梁で結び、柱、梁、斜め材で、骨組を作り、建物を囲み、骨組の内側又は外側の必要場所に、パネル、又は、板状のものを設置する。
杭の中、骨組内の要所、骨組と建物の間に、クッション材を入れる。
骨組と建物の間の下部や横、パネルや板状のものの、すき間など必要箇所から、風が入るようにする。
建物本体外壁には、浸水性のタイヤや、脱脂綿、和紙のような浸水性のものを張り付け浸水性のものの各部に、水を浸み込ませたり、建物外壁や窓に、霧状の水分を噴霧させる
建物屋根部と骨組の間は、雨の入らない構造として、建物上部に金属など、熱を吸収するものを設け、日射、又は、発電設備、畜電設備などにより、温度上昇させ、パネル、又は板状のものと、建物の間に、上昇気流を作り、風を流入させ、気化熱によって、建物外壁を冷やし、建物本体を冷却していくもので、その際、パネル、又は、板状のものの裏面には、空気をポンプなどで抜いた、仮りに、仕切りの入ったエア、マットを取り付け、冬に空気を送り、膨らませ、パネル又は、板状のものと、外壁の間を、仮りに、仕切りの入ったエア、マットで埋めて、建物表面に空気層を作り、断熱する。
骨組と建物の間に、小型の風力発電や、骨組の外側に、ソーラーパネルを設置して、その電気で、建物本体の柱や壁の中の鉄骨や鉄筋を冷却し、鉄骨、鉄筋と接触しているコンクリートなどを冷やして、建物本体を冷却してゆく、冬は、温める。
パネル又は、板状のものの落下を防ぐため、各パネル、又は、板状のものを、ひも状のもので結び、一体化させ、落下を防止する。
上記方法を、建物の屋根と、高架の交通機関の橋脚や橋桁など、熱の吸収を伴なう構造物にも使う。
管理と有効利用のため、発電設備、畜電設備、送配電設備があるもの（図３）。
骨組の利用法２６  骨組を熱吸収防止と洪水の防止に使うと、建物の、仮りに、１０〜２０ｃｍ位外側に、硬い地盤までの杭と、杭の上部を梁で結び、柱、梁、斜め材で、骨組を作り、杭の中、骨組内の要所、骨組と建物の間にクッション材を入れて、建物を囲み、骨組に、パネル又は、板状のものを、骨組の内側又は外側の、必要場所に設置する。
骨組と建物の間に、ビニール状容器を設置して、屋根又は屋上の排水口より、大雨の水を、ビニール状容器の一部に誘導し、２〜３日かけて排水するが、一部のビニール状容器が一杯になると、一部のビニール状容器の上部より、他の一部のビニール状容器に、大雨の水が入っていくようにする。
建物の屋根部と骨組との間は、雨の入らない構造とする。
ビニール状容器は、仕切りを入れて、水圧に耐えるものとする。
管理や有効利用のため、発電設備、畜電設備、送配電設備があるもの。
骨組の利用法２７  山岳地帯の災害で、車が使えない時、山の上に物資を運ぶため、骨組を使うとすると、山の下から頂上を越えて、山の反対側の下まで、骨組を作り、レールを設置する。仮りに、車輪の付いた、バス位の大きさのもの（以下、バス）を、山の下に設置して、頂上のバスと、帯又は、ひも状のもので結ぶ。
骨組は、硬い地盤、又は岩盤まで杭を打ち、柱、梁、斜め材で作り、杭の中、骨組内の要所に、クッション材を入れ、耐震させる。
骨組は、バスを頂上まで運ぶ、通路として使い、山の下のバスには、災害時の物資を入れ、頂上のバスには、物資の重さより重くなる人数の、人間など、重りになるものを入れ山の反対側に、バスを滑らせ、降ろすことで、山の下から、物資を頂上まで、運び上げる。
山の頂上が高く、頂上を越えて、帯又は、ひも状のものを、設置できない時は、骨組を頂上まで作らず、山の必要場所（村や街）まで作り、骨組を２階建てにして、１階部分のバスに、山の下から物資を入れ、山の必要場所（村や街）の骨組の、２階部分のバスに、人間を入れて、１階のバスと２階のバスを、帯又は、ひも状のもので結び、２階部分のバスの重さによって、山の下から、物資を引き上げる。
山の下に着いたバスは、人間と物資を入れ替え、再び、山の必要場所（村や街）から、人間の入ったバスを降ろすことで、山の下から、物資を引き上げる。
人間は、歩いて登らなければならないが、物資を背負う必要がなくなり、道路のない山岳地帯や、災害で道路がなくなった時、停電で鉄道が使えない時、ヘリコプターが使えない時、有効となる。
火山灰、大雨、大雪などに対応するため、屋根や壁の必要場所に、ソーラーパネルを設置したり、梁に、巻いた状態で固定した、重り付きシートを、自動や手動で、斜めの誘導管と斜めの補助管、又は、山形の誘導管と山形の補助管によって屋根としたり、波形の誘導管と補助管、又は、直線的誘導管と直線的補助管によって、壁とする。
屋根部分の下部梁には、箱形の樋と、柱の近くに、ビニール状容器の入った断面積の大きい樋と、予備の、ビニール状容器の入った、断面積の大きい樋を設置する。
骨組と重り付きシートは、火に強く、断面積の大きい樋は、ビニール状容器を入れたもので、雪、火山灰の処理のために、小さい排出口を大きくしたり、暖め、雪を解かすことができるもので、雨水は、排出口から、送水管によって、浄水機能のある、骨組の特定場所に、集めることができるもの、ビニール状容器は、取替えができ、仕切りの入ったもの、雪の落下事故を防ぐため、又、重り付きシートを、スムーズに降ろすため、誘導管、補助管、梁、シートなどに、雪が積もらないように、雪の時だけ、必要箇所を、暖める、又は滑りやすい塗料を塗る、又は、滑りやすい素材を使う、風圧で飛ばす、振動させる、などで、雪の附着を避けるもの。
管理や有効利用のため、階段、通路、スロープ、監視カメラ、避難場所、避難通路、倉庫、消防設備、クレーン設備、発電設備、畜電設備、送配電設備、ガスや上下水道の設備があるが、場所により、小さい村などは、仮りに  作物や汚水タンクを重りにして、貯水タンクを引き上げることもできるもの。
下りのバスの、車輪の回転で、モーターを回し、発電ができるもの
利用法３と同じく、骨組を２重にすると、冬など、断熱効果が出るもので、帯や、ひも状のものが切れた時のために、同じ場所に、少し長めの、予備の、帯や、ひも状のものが設置され、自動や手動のブレーキがあるもの。
物資より、重たいものを、降ろすことで、物資を引き上げる方法は、高層建物で、エレベータが使えない時、非常階段の中心附近でなく、壁づたいに、骨組を作り、非常階段への出入りの空間を維持した上で、天井近くに、上下２つの、らせん状のスベリ台を作り、建物の上階には、梯子や脚立によって、上又は、下の段の荷台に、人間などの重りを載せ建物の下階の荷台には、生活に必要な物資を載せ、建物上階の荷台と、建物下階の荷台を帯又は、ひも状のもので結び、上から、人間が荷台で、スベリ降りることで、下から、物資が引き上げられるもの。
又は、スベリ台を１つにして、非常階段のスペースの一部に、建物の下から、直線的に物資を引き上げることのできる、井戸のような、通路を作り、スベリ台の荷台と結び、上階から人間が、荷台で、スベリ降りることで、建物の下階から直線的に、物資を、引き上げることができるもの。
骨組を作り、らせん状のスベリ台を作ることで、非常階段を、より耐震させると伴に、帯又は、ひも状のものが、切れた時のために、同じ場所に、少し長めの、予備の、帯又はひも状のものが設置され、荷台には、停まりたい場所で、停まることができる、自動や手動のブレーキのあるもの、そのための、発電設備、畜電設備、送配電設備があるもの。
骨組の利用法２８  骨組を使って、災害時に、被災者が移住できる街を作るとすると、各地方ごとに、仮りに、２〜３ヶ所、利用法１の骨組によって、５万人以上の被災者が、移住できる街を、あらかじめ、作っておくことができる。
利用法１の骨組に人工地盤を作り、骨組と一体化させ、人工地盤の周りや、人工地盤そのもの、人工地盤の下の硬い地盤、又は岩盤に、溝を作り、仮りに、エア、マットのようなクッション材を、人工地盤と一体化させ、溝に入れることで、地震動を、吸収させる。
人工地盤からも、必要場所に、硬い地盤、又は岩盤に、クッション材を入れた杭を打つ。
平時は、被災者が移住する、５万人分の高層建物を、下記の施設を利用するための、短期の高層の宿泊施設として、利用する。
下記の施設とは、スポーツの合宿場や競技場、イベント会場、会議場や研修施設、遊戯場やレジャー施設などのレクリエーション施設、コンサート会場、劇場、美術館などの文化、芸術施設、観光施設、総合病院や高齢者施設など、医療、福祉施設、通学用の学校、大学、研究施設、商業施設やオフィスビル、工業施設、農業施設、物流施設、広域行政施設、マンション型の墓地施設、ペットの預り施設、飛行場、駐車場、電車の駅、バスターミナルなどの交通機関、大規模備畜倉庫など、住居以外の施設であり、５万人分の高層建物は、災害時、会議場やイベント施設などの利用者や利用客に、優先して、被災者が、使うものとなる。
平時は、５万人分の高層建物を、維持、有効利用するため、高層建物の近くに、会議場やイベント施設などの、短期の宿泊、又は滞在を伴う施設を、集積させ、街とする。
短期の高層の宿泊施設は、赤ちゃんやペット、高齢者や障害者、家族や単身者に対応するため、防音や防臭設備のある建物、車イスやベッドでの移動可能な建物、高齢者や障害者の入浴やトイレなど、高齢者や障害者に対応可能な建物、主に家族対応型の建物、主に単身者対応型の建物、共同浴場、自家発電設備、し尿処理浄化槽のある建物があり、５万人以上の人間が生活できる設備と施設を有する街であり、上記の会議場やイベント施設などと伴に、５万人分の高層建物を、利用法１の骨組と人工地盤で耐震するものであり、必要により、他の利用法や請求項も使うもの。
更には、会議場やイベント施設など、住居以外の施設を集約して、高速道路、高速鉄道運河による大型船の乗り込れ、飛行場などの交通機関を使い、外国の都市と結ぶと、気候難民、災害での集団移転、粉争など人災による難民を、一時的、大量に、受け入れることができるもので、そのための、１００万人分の高層建物があるもの。
【請求項２】
大雨の被害を小さくする断面積の大きい樋の発明は、既存の建物の外壁に、断面積の大きい樋を設置して、屋上又は、屋根の排水に使う、従来の樋から、断面積の大きい樋に、大雨の水を誘導するもの。
既存でない建物は、屋上又は屋根から直接、大雨の水を、断面積の大きい樋に誘導する。
水圧で壊れないように、断面積の大きい樋の中には、上から下まで、取替えのできる、仕切りの入った、ビニール状の容器（以下、ビニール状容器）を入れ、下部の排水口は小さくして、仮りに、２〜３日かけて排出するもので、一杯になった時は、断面積の大きい樋の上部より、必要本数、予備のビニール状容器の入った、断面積の大きい樋に、誘導していくもので、断面積の大きい樋の必要場所に、耐震のため、クッション材を入れたもの。
高速道路など、高架を利用する交通機関に降った大雨は、橋脚の近く、又は橋脚と橋脚の間に、ビニール状容器の入った、断面積の大きい樋を設置し、仮りに、高速道路では、高速道路上に降った大雨の水を、橋脚の近く、又は、橋脚と橋脚の間に設置した、ビニール状容器の入った、断面積の大きい樋に流入させ、高速道路から一般道に降りる下り道には、雨水が流れ落ちていかないように、下り道の上部に、溝を作り、橋脚の近く、又は橋脚と橋脚の間の、ビニール状容器の入った、断面積の大きい樋に誘導して、下部の小さい排水口から、仮りに、２〜３日かけて、排水するもの。
ビニール状容器の入った断面積の大きい樋が、一杯になった時は、必要本数、予備のビニール状容器の入った、断面積の大きい樋に誘導する。
建物と建物の間に降った大雨は、建物と建物の間に屋根を作り、傾斜をもたせ、請求項１の箱形の樋によって、ビニール状容器を入れた断面積の大きい樋に、大雨の水や火山灰を入れて、下部の小さい排出口により、仮りに、２〜３日かけて、排出するもの。
火山灰の取出しの時は、小さい排出口を、大きくできるもの。
屋根は、建物と建物の間に骨組を作らず、建物の外壁に直接設置するか、又は硬い地盤まで杭を打って、杭の上部を梁で結び、柱を建て、梁、斜め材で骨組を作り、屋根を作る。
屋根は、地震動を吸収するクッション材でもあり、耐震効果を有するもので、建物と建物の間に、設置する。
屋根を直接、建物外壁に設置する時は、断面積の大きい樋も、クッション材として耐震性をもたせ、建物と建物の間に入れる。
骨組を作った場合は、クッション材を設置した梁を、両方の建物に伸ばす。
骨組自体も、杭の中、骨組内の要所にクッション材を入れる。
ビニール状容器の入った、断面積の大きい樋が一杯になった時は、必要本数、予備のビニール状容器の入った、断面積の大きい樋に誘導する。
夏など、クッション材、又は、クッション材の付いた梁より、霧状の水分を、両方の建物の外壁に、噴霧して、建物外壁を冷却する。
【請求項３】
災害から助かる車の発明（図３）は、津波から逃げられない人が助かる方法として、車体の部材内部に、仮りに、０．５〜２ｃｍ位の仕切りを作り、空気を密封し、浮力と強度を作る。同じく、車内空間の必要場所に、仕切りの入った部材を設け、衝突に強くする。
火災の原因となりやすいガソリンタンクも、仕切りの入った容器で覆い、衝撃に強くする。
屋根上部には、脚を付け、取り外し可能で、フタをすると、密封できるボックスを載せる。
ボックス上部のフタは、上に、ソーラーパネルの付いたもので、フタ自体、取り外しができ、ボックスの後方下部に、取り付けできるもの。
ボックス下部には、３枚の板があり、一番下には、フロントガラス前方まで、自動や手動で伸びる、ソーラーパネルの付いた板。
その上の２枚は、車体側面に伸ばし、９０度位曲がるもので、ボックス下部３枚の板とボックスのフタ、ボックス本体、いずれも、仮りに０．５〜１ｃｍ位の仕切りで空気を密封したもので、ボックス内には、仕切りで空気を密封した予備のドアを、４つ位収納して津波時、ドア外側下部に、取り付けできるもの。
津波時、車体が上下逆さになっても、ボックス本体によって、浮き上がり沈まないもの
車とボックスには、畜電設備があるもので、車の走行に使えるもの。
フロントガラスや車体前部の、仮りに３０ｃｍ位、前方に、変形させながら衝撃を吸収させる、ワイパーの付いた透明なパネルを付け、フロントガラス前方や車体屋根に、レール状のものを付け、透明なパネルを固定する。
地震時や津波時、車やガレキとの衝突で、パネルを変形させながら、レール上を後方に移動させ、正面からの衝撃を、吸収させるもの。
斜め前方からの衝突の力に対応するため、レールの替わりに、フロントガラスの上下左右などに、ゴム状の支柱で、上記のパネルを支え、斜め前方からの衝突の力を、ゴム状の支柱を、上下左右などに曲げることによって、衝突の力を、後方に逃がすことができるもの。上記の発明は、大型車にも使えるもの
又は、車の後部に、ボックスのフタまで、梯子を付け、ボックスを断熱性の高いものにして、予備のドアを収納せず、中を空胴にして、災害時の必要物資を入れておくと、内陸などの災害で、避難場所がない時、上部のフタを開けて中に入り、寝場所とすることが、できるもので、ボックスは、側面上部や、フタの一部に、開閉部のあるもの。
【請求項４】
火山災害による飛行機事故を小さくする発明は、噴煙、噴石によって、飛行機が故障して、飛行機先端部より、地上に、墜落することになった時は、パイロット室からだけでなく、それ以外の場所からでも、レバーやスイッチなどで、飛行機先端部附近を、開閉又は爆発させ、風の入る穴を作り、開閉又は爆発した所の後部から、胴体後方まで、収納、固定していたエア、バックが、収納場所の外側カバーの開閉又は爆発、又は風圧で、はがれて開き、エア、バックを胴体前方から後方まで、固定させた状態で、先端部より短時間で大量の空気を流入させ、膨らませるもので、先端部分から、上部右側、上部左側、下部と３つに別け、流入させ、衝突時、エア、バックが破裂しないように、しかも、短時間で、空気の流入ができる程度の、仕切りを入れることで、衝突時、破裂しても、空気が残るような、クッション性を維持するもの。
仕切りは、仮りに、胴体と平行して、１つとし、空気は先端部から入って、胴体に沿って、最初に、内側の仕切り内部を膨らませ、後方で反転し、外側の仕切りに入り、外側に大きく膨らんでゆく（図４）。
エア、バックの形により、飛行機先端部を、より大きく膨らませるものとすると伴に、３つのうち、２つが故障しても、１つでも充分な大きさを、膨らませることができるもの。
飛行機の墜落や機内爆発に対して、機内の通路の両側と座席の前後に、壁を作り、機体と一体化させる。壁は、出入りと、コミュニケーションのため、スペースのあるもの。
【請求項５】
大雪の被害を小さくする発明は、安全に屋根の雪降ろしをするため、屋根の上に、屋根と同じ位の大きさの、ベルトコンベアの機能のものを、屋根面に設置する。
自動や手動で回転できるもので、ベルト表面には、仮りに、高さ１５ｃｍ位の、横方向の仕切りを付け、仕切られた、雪や火山灰が、回転によって、順次、落下していくものであり、仕切りの付いていない反対側の面には、曲げることのできるソーラーパネルを付けて、雪以外の時に使用するもので、屋根面下部に、請求項１の箱形の樋と、請求項１のビニール状容器の入った、断面積の大きい樋を付けることで、地面の一定場所に誘導できるもの（図３）。有効利用のため、畜電設備、送配電設備のあるもの。
【請求項６】
歩行困難者が、ビル火災の中で、エレベータの閉じ込め事故から、建物の下まで、避難する発明は、エレベータの閉じ込め事故に関しては、エレベータの入口ドアの反対側（奥側）の壁に、横にスライドさせて、開口部を作り、エレベータの後ろの空間に、仮りに、１ｍ位の幅の通路を設けるものであり、開口部は、床から天井までの高さで、外側通路は、エレベータの後ろ側で、建物の上から下まで、仮りに、１．５ｍの高さの空間を、積み重ねるように設置したもので、人間が、かがんで、歩ける高さのもので、仮りに、１階と２階の中間の位置で、閉じ込められても、エレベータの中の、常備の脚立や、長めの台車で、人間が、高さ、仮りに、１．５ｍの外側通路に、上り易く、又、降り易くしたものであり、エレベータが、どの位置に止まっても、開口部を開けると、通路に出ることが、可能となるもの。
長めの台車は、歩行困難者を、乗せて、又は、寝かせて、エレベータの外側通路から非常階段まで移動させるものであり、荷台部分には、クッション材を敷く、又は入れる。
エレベータが自動復旧する場合などは、音声で、「このエレベータは、自動復旧するので、エレベータの後ろ側のドアを、開けないようにして下さい」とか、「このエレベータは、自動復旧できなくなりました、後ろ側のドアを開けて、通路に出て下さい」など、エレベータに閉じ込められた人に、音声や文字による表示で、指示して、外側通路に出る時の、事故を防ぐもの。
エレベータの外側通路は、非常階段まで続くもので、非常階段には、備え付けの  らせん状のスベリ台があり、歩行困難者を、スベリ台に乗せて、建物の下まで運ぶもの
らせん状のスベリ台は、非常階段のスペースの中心でなく、外側、天井近くに設置してスロープで、歩行困難者を、スベリ台まで上げる、又は、非常階段の、スペースの中心近くに設置して、スロープを使わずに、スベリ台に移動させるもの。
らせん状のスベリ台が壊れた時には、自動や手動の巻き上げ機によって、直線的に、歩行困難者を、建物の下まで、降ろせるものであるが、津波や、煙によって、下に降ろすことができない時は、巻き上げ機によって、屋上など、上階に、上げるもので、そのための、発電設備、畜電設備、送配電設備を備えたもの。
【発明の詳細な説明】
【発明の概要】
【発明が解決しようとする課題】
【０００１】同時に、複数の災害が起った時の、被害を小さくする方法がない。
【課題を解決するための手段】
【０００２】手段１は、災害を小さくする骨組（以下、骨組）であり、骨組の利用法１は、都市部に使い、各区画と一般道路や主要道路に、硬い地盤までの杭と、杭の上部を梁で結び、柱、梁斜め材で、建物を超える高さで、骨組を作り、杭の中、骨組内の要所、骨組同士の接合部にクッション材を入れて、各区画と道路上部の骨組を一体化させ、全体を１つにして、全体の力で、個々の建物を耐震させる。【０００３】災害発生時、骨組に、屋根と壁を作り、屋根に降った、火山灰、大雨の水、雪国の雪などを、箱形の樋や、断面積の大きい樋で、地上まで誘導し、処理する【０００４】又、温暖化対策のため、屋根、壁で、日陰を作り、日射量をコントロールする。【０００５】骨組の利用法２は、骨組を使って、地震で物資輸送のできなくなるおそれのある交通機関の上に、車両が通れる空間を作り、他の交通機関とネットワーク化する。【０００６】骨組の利用法３は、骨組を、田、畑、果樹園など、屋根、壁のない農業施設に使うことで食糧や農産物商品の安定確保を行う。【０００７】骨組の利用法４は、骨組を火山災害に使うが、噴石による骨組の破損を軽減するため、トンネル、帯、ひも状のもの、ネットを使い、あらかじめ、火山噴火の規模を小さくして、骨組の屋根、壁により、噴煙、噴石などの被害の軽減をする。【０００８】利用法５は、火山の入山規制されている場所に、骨組を使う。【０００９】利用法６は、骨組を火砕流に使う。【００１０】利用法７は、骨組を火山の急傾斜地に使う。【００１１】利用法８は、骨組を、既に噴火中で、近づけない場所に使う。【００１２】利用法９は、骨組を帯やひも状のものと伴に、土砂災害の起こりそうな場所に使う、と伴に、骨組を、河川の上流の地域で使い、道路や歩道の下に、雨水を誘導して、２〜３日かけて、ゆっくりと下水道や河川に至る排水路に、排出する。【００１３】利用法１０は、骨組を人工地盤と伴に使い、平地や傾斜地の、長時間の地震による液状化での、地すべりに使う。【００１４】利用法１１は、骨組を建物の周りに作り、建物を、骨組の柱に、吊り上げるようにして固定することで、地盤沈下による建物の、傾斜による破損を、防止する。【００１５】利用法１２は、骨組を、アンダーパスの上に作り、雨水をコントロールする。【００１６】利用法１３は、骨組を、主に道路の上に作り、骨組の上にネットを張り、植物を成長させ緑の屋根を作り、日射を遮り、温暖化対策とする。【００１７】利用法１４は、骨組を、トンネルと伴に、乾燥、砂漠地帯に作り、温暖化対策としての緑化や、居住地を作る【００１８】利用法１５は、骨組で、階段状の構造物を作り、緑化の面積を広くする。【００１９】利用法１６は、骨組で、海上に構造物を作り、台風の大きさをコントロールする。【００２０】利用法１７は、骨組を、河川の中と周辺に作り、屋根部分を、川底近くまで吊り降ろし、堤防を作り、洪水の防止をする。【００２１】利用法１８は、川沿いの従来の堤防より高い高さに、箱状の骨組を作り、シートを降ろし水路を作り、洪水を防止する。【００２２】利用法１９は、骨組を、災害時の屋外の避難所に、設置する。【００２３】利用法２０は、骨組を船に使い、大津波が来た時でも、転覆や沈没をしないように、船を安定させる【００２４】利用法２１は、従来の落下式堤防（特願２０１３−２３２５３３）を改良して、津波災害に使い、津波の上陸を遅らせる。と伴に、建物のガレキ化の防止をする。【００２５】利用法２２は、従来の回転式堤防（特願２０１３−２３２５３３）を改良して、津波災害に使い、津波の上陸を遅らせる。と伴に、建物のガレキ化の防止をする。【００２６】利用法２３は、骨組を使い、箱状のものを吊り上げ、津波の上陸を遅らせる。【００２７】利用法２４は、建物外壁に骨組を作り、部材接合部の変形を防ぎ、建物沈下と建物倒壊の防止をする。【００２８】利用法２５は、建物の１０〜２０ｃｍ位外側に、骨組を作り、パネル、又は板状のものを設置して、日射による建物の熱吸収を防げると伴に、建物を冷却する。【００２９】利用法２６は、建物の１０〜２０ｃｍ位外側に、骨組を作り、パネル、又は板状のものを設置し、日射による建物の熱吸収防止と伴に、大雨を一時、貯水させ、洪水の防止をする。【００３０】手段２は、大雨の水を、建物の屋根又は屋上の、排水口近くの、従来の樋から、建物外壁に設置した断面積の大きい樋に誘導して、樋の下部より、ゆっくりと排水する。【００３１】又、建物と建物の間に、耐震性の屋根を作り、断面積の大きい樋によって、ゆっくりと、大雨を排水すると伴に、建物と建物の間で、クッション材として、機能させる。【００３２】手段３は、津波が上陸した時、助かるため、車の部材に、仕切りを作り、空気を密封し浮力と強度をもたせ、シェルターとして使う。【００３３】手段４は、火山噴火で、噴煙、噴石などにより、飛行機が墜落することになった時は、飛行機先端部を開閉、又は爆発させ、空気の入る穴を作り、エア、バックを膨らませ、墜落の被害を小さくする。【００３４】手段５は、雪の多い場所で、毎日の雪降ろしを安全にするために、屋根の上に、屋根と同じ位の大きさの、ベルトコンベアの機能のものを設置する。【００３５】手段６は、歩行困難者が、地震によるビル火災と、エレベータ内に閉じ込められた時、エレベータのドアの反対側（奥側）に開口部を作り、エレベータの後ろの空間に作った避難通路より、非常階段まで移動し、非常階段に備え付けられている、らせん状のスベリ台や巻き上げ機によって、建物の下まで移動させる方法。
【発明の効果】
【００３６】手段１の、災害を小さくする骨組（以下、骨組）の利用法１の効果は、それぞれの区画で硬い地盤までの杭と、杭と杭の上部を梁で結び、柱、梁、斜め材で、区画周辺に骨組を作り、隣りの区画の骨組と、クッション材を介して一体化させる。【００３７】骨組自体も、杭の中、骨組内の要所にクッション材を入れ、耐震させる。【００３８】杭と杭の上部を結んだ梁より、必要箇所に、硬い地盤まで、クッション材を入れることで地盤を伝わってくる地震動を、吸収させる。【００３９】杭と杭の上部を梁で結ぶことで、骨組の補強と安定性の向上、杭の中にクッション材を入れることで、硬い地盤から伝わる地震動を、上部の骨組に伝えにくくする。【００４０】これらの効果によって、骨組から建物に伸ばした、クッション材の付いた梁による耐震効果を、高めることができる。【００４１】又、区画内に梁を架け渡し  梁から、建物屋上の角や、屋上側面に、帯状の材料を結ぶことで、地震による建物の横揺れを、減少させることができる。【００４２】骨組の各梁より、重り付きシートを降ろして、屋根と壁を、必要時、必要な場所に作ることで、夏の日射量をコントロールすることができる。【００４３】屋根を、４５度、又は６０度位に傾斜させることで、上からの衝撃に強く、火山灰、雪など、スムーズに降ろすことができる。【００４４】仕切りの入ったビニール状容器を使うことで、樋下部の水圧に耐えられ、樋の直径を大きくすることができ、縦方向に、一時的貯水機能を発揮できて、大雨の時の下水道の負担を軽減させることができる。【００４５】骨組の、屋根と壁により、台風、竜巻などの風水害の減少、火災時の延焼防止、火山に近い場所では、火山灰、噴石、火砕流、溶岩流の被害の軽減、又、消防設備によって、自動車、電車などの交通機関や、高層建物への外からの消化が可能となる。【００４６】屋根を４層又は２層位にして、重り付きシートを固定でなく、垂らした状態にしておくことで、噴煙、噴石によって墜落する飛行機や、隕石、衛星、ミサイル、雹などの落下物の直撃による衝撃の吸収ができる。【００４７】一般道や主要道の上に作った骨組に、発電設備、畜電設備、送配電設備を付け、自動車や電車などの交通機関や避難通路、避難場所、医療、福祉、宿泊などの施設を作り、有効利用することで、災害時の拠点にすることもできる。【００４８】工業地帯の沿岸まで伸ばすことで、重り付きシートを海の中に降ろし、油や有害物質の、海への流出や延焼防止、又、高潮、高波にも、有効であり、高所からの消火も可能となる。【００４９】骨組の利用法２の効果は、骨組を、地震で物資輸送できなくなるおそれのある交通機関の上に使った場合、台風、延焼、大雪の中でも、物資輸送が可能となり、災害時、発電設備畜電設備、送配電設備、避難通路、避難場所、倉庫を、有効利用できる。【００５０】骨組の利用法３の効果は、骨組を、田、畑、果樹園など、屋根、壁のない農業施設に使った場合、冷害、台風、大雪、火山灰などの影響を減少させ、日焼けや照り返しなど、日照のコントロールもでき、食糧や、農産物商品の、安定確保ができる。【００５１】骨組を２重にすることで、従来の温室の機能と、災害時の被害軽減の機能の両方を、発揮できる。���００５２】骨組の利用法４の効果は、骨組を火山災害に使うとすると、まず、骨組の効果を上げるためには、噴石などによる骨組の破損を軽減するため、帯、ひも状のもの、又は、ネットそのものを、どれだけ広く、山全体に張りめぐらせるかが、重要になる。【００５３】しかし、それよりも重要なことは、トンネルにより、それだけ、マグマだまりからマグマを、海や、マグマだまりから離れた地表に、移動させられるか、又は、海水で、マグマだまりを冷やし固められるか、になり帯、ひも状のもの、ネットそのものと伴に、噴火の規模を小さくすることで、骨組を使った時、下から上ってくる噴煙、噴石を、骨組の屋根で上昇させず、骨組の壁によって、火砕流と溶岩流の流出を、遅らせることができる。【００５４】下から上ってくるものを止めるので、骨組自体は高くする必要はないが、広く並べる必要があり、景観は損なわれるが、管理のための通路を開放し、観光や登山にも利用できる。【００５５】それぞれのトンネルを網状にすることで、噴火の規模縮少の確実性が増す。【００５６】利用法５の効果    骨組を、火山の入山規制されている場所に使うと、板状の骨組を、噴火口に向って降ろすが、板状の骨組を背の高いものにすることで、板状の骨組自体の重さによって、噴煙、噴石を止める効果があり、入山規制されていることで、登山者を気にせず降ろすことができる。【００５７】又、監視カメラの設置により、噴火の様子や、人間の有無も確認できる。【００５８】利用法６の効果    火砕流の骨組は、骨組によって、山の下部を囲むもので、特に、カルデラ噴火の時は、高さ１０００ｍを超える骨組で、大きければ、大きい程、火砕流の威力を軽減でき、平時は、骨組の大きさを利用して、骨組の有効利用ができ、又、津波用の回転式堤防や落下式堤防を、高さ、仮りに、２００ｍごとに、設置して、使うことができる【００５９】利用法７の効果  骨組を、火山の急傾斜地で使う時の効果は、急傾斜地では、大きな骨組は作れないので、重り付きシートを載せるだけの目的にして、壁の延長のように、噴火口の上に降ろしてゆき、山の下部からも、帯や、ひも状のもので引っ張るので、シートが、噴煙などの圧力で、飛ばされることもなく、又、シートが火口に落ちても、引っ張り上げることができ、車輪やローラー、そりを使うことで、スムーズに移動させることができる。【００６０】利用法８の効果  骨組を、既に噴火中で近づけない場所に使う時は、機械によって、帯やひも状のものを、反対側から引っ張ることで、骨組から、屋根を延長するように、噴火口まで、シートを移動させることができる。【００６１】利用法９の効果  骨組を土砂災害に使った時の効果は、土砂災害の起こりそうな住宅地の上部山に、骨組を作り、断面積の大きい樋によって、縦方向に、一時的貯水機能を発揮させると伴に、一時的貯水機能をもつ帯と、ひも状のものを使い、仮りに、２〜３日かけて山全体に均等に、大雨を浸透させていくことができる。【００６２】災害の起こりそうな山全体に、帯を格子状にして、山の反対側まで、架け渡し、仮りに、１０ｍごとに、杭を打ち、固定することで、土砂災害の起こりそうな場所の地盤を、外側より、押さえ固める効果があり、帯から、木一本一本に、ひも��のものを巻き付けたり、帯から、ひも状のもので、木同士の上下など、つなげることで、もしも、土砂災害が起ったとしても、帯とひも状のものが切れない限り、樹木が、流出することはなくなる。【００６３】急傾斜地では、帯を階段状にして、仕切りを入れることで、人間が歩ける程度の強度を作り、新しい登山道にもなる。【００６４】帯の上部をメッシュ状にすることで、枯れ葉が積っても、水分だけを内部に入れることができ、仕切りを入れることで、急傾斜であっても、水を貯水できる。【００６５】山の広い面積に、骨組を作るため、景観が損なわれるが、棒材の組合わせでもあるので、景観に与える影響は小さく、管理のための階段、通路を開放することで、ミニ登山も楽しめる、と伴に、骨組を山の上部に配置することで、帯により、より均等に浸透させられる。【００６６】梁の下に壁を作ることで、山火事を止めることができ、重り付きシートの屋根を増やすことで、大雨による土砂災害を、無くすことができると伴に、下流の洪水防止にもなる。【００６７】道路下の空間を、クッション材を入れた杭で固定することで、道路自体、災害に強くなり道路上が避難場所にもなる。【００６８】平地での骨組と、地下の一時的貯水施設は、東南アジアなど、雨の多い場所でも、効果を発揮できる。【００６９】利用法１０の効果  骨組に人工地盤を作った時の効果は、大雨で、平地や傾斜地の地盤が多くの水分を含んだ時や、長時間による地震での液状化による土砂災害では、骨組と人工地盤を一体化させることで、液状化や地崩れが発生しても、人工地盤の上にある道路、歩道、建物を、その位置に、維持させることができる。【００７０】人工地盤の下の地盤や、人工地盤そのもの、更には、人工地盤の周りに、クッション材を深く埋めることで、地盤を伝わってくる地震動の、吸収ができる。【００７１】隣地境界線上に骨組を作り、屋根、壁を作ることで、例えば、壁だけ降ろすことで、プライバシーの確保ができ、窓を開けやすくなり、屋根、壁を降ろすことで、延焼、風水害、雪、火山灰などから、建物を守ることができ、建物の屋根は、経年劣化の軽減になり、夏は  屋根だけ降ろし、日陰を作り、建物全体の温度上昇の軽減ができる。【００７２】骨組による壁と屋根で、火山灰、大雨、大雪などを、断面積の大きい樋の下部という一定場所に集めることができ、処理しやすくなり、大雨を、断面積の大きい樋で、ゆっくりと排水することで、低地の下水道や、河川に対する負担の軽減となる。【００７３】住宅地を区画単位や、数１０軒の単位で、屋根、壁を集中コントロールして、可動させることで、災害対応型の住宅地になり、津波からの救出や消火も、骨組の上からできる。【００７４】利用法１１の効果  骨組で建物を吊り上げると、杭の中と骨組内の要所のクッション材により、骨組自体の耐震ができ、建物を、骨組の柱に、吊り上げるようにして固定することで  地盤が沈下しても、建物の水平を守り、早い時間で、すき間を埋めるなどの補修が、できる。【００７５】又、建物倒壊、重り付きシートの屋根、壁による延焼防止、風水害、大雪、火山灰の被害軽減ができ、津波による建物のガレキ化の防止もできる。【００７６】利用法１２の効果．アンダーパスの上に、屋根を作ることで、車の水没事故を防止できる。【００７７】利用法１３の効果  骨組で緑の屋根を作った時の効果は、周辺の建物や道路に、特に夏など、日陰げを作ることができ、建物や道路の温度上昇の軽減ができる。【００７８】又、道路上に骨組を作ることで、周辺建物に、クッション材の付いた梁を伸ばすことができ、倒壊防止、骨組に屋根を付けることで、火山灰、大雨  大雪などの処理、又、壁による延焼防止の効果がある。【００７９】骨組という空間を有効利用する時は、災害時の緊急車両を通す空間、その他の、車や電車自転車、人間の通る空間、建物施設、高さを利用しての発電、畜電、送配電の設備、避難場所、避難通路など、災害時に必要な、設備、施設を設けることができる。【００８０】ネットを仮りに３０ｃｍとしたのは、完全に日差しを、遮らせないためであり、もし、完全に遮らせたい時は、熱帯、砂漠地帯など、シートを降ろすこともできる。【００８１】冬は、ネットを外し、乾燥させ、焼却すると、燃料にもなる。【００８２】利用法１４の効果．骨組を乾燥、砂漠地帯に利用すると、温暖化予防のための緑化に使うことができ、食料確保と居住性の向上に役立つ。【００８３】飲料用の水でなく、植物生産用の水が目的なので、淡水化も容易であり、日中の日照りや風による土壌の乾燥、夜の放射冷却の防止などが、骨組の屋根と壁で可能となる。【００８４】利用法１５の効果  骨組による１０００ｍを超える構造物の緑化と、地面では、養殖と放牧と畜産を行い、施設や交通機関は、できるだけ、内部に入れることで、緑化しながら、都市化もでき、トンネルを活用する時のストレスの解消もできる。【００８５】利用法１６  島状の構造物を作ると、台風時、ソーラーパネルや重り付きシートによる屋根と壁によって、５００ｋｍ四方の日陰を海の上に作ることができる。【００８６】発電、畜電、送配電の設備によって、海底から冷水を汲み上げ、海水面の温度を下げ、水蒸気の量を減少させることができる。【００８７】台風発生時より、台風の目の中に入ることで、台風の発達をコントロールできる。【００８８】プレートとプレートの接合部を削り、日本の地下部分に加わる圧力（ひずみ）を、小さくすることで、マグマだまりの形成を小さくする。【００８９】利用法１７の効果  従来の堤防を大きくすることなく、骨組によって洪水防止ができる。【００９０】利用法１８の効果  河川の上に、箱形の骨組を作ると、災害による橋の落下や、延焼の時でも、避難通路として、使うことができる。【００９１】利用法１９の効果．骨組を屋外の避難所に使うと、災害時、火山灰、大雨、大雪、強風であっても、避難所として機能する。【００９２】利用法２０の効果．船に乗っていて、大津波が来た時、船体周辺の骨組の外側に付けた格子状骨組を、津波時、９０度位、海に降ろすことで、船の安定性を高め、転覆を防ぎ、もし、沈没のおそれのある時は、船体から、格子状骨組を外して、救命ボートの替わりにできる。【００９３】格子状骨組を上下に別け、高くすることで、津波時の安全性が高まり、津波時でない時は船体前部を広げ、高くした状態で、後方からの風を、袋状シートで受けとめると、推進力にもなり、省エネとなる。【００９４】利用法２１の効果  骨組の杭���中、骨組内の要所、骨組同士の接合部にクッション材を入れ、骨組自体を地震から守り、板状のもの、重り付きシート、箱状のものを、確実に機能させることで、津波が上陸するまでの時間を稼ぎ、津波被害を小さくできる。【００９５】落下式堤防は、大雪であっても、重り付きシートを確実に、海底まで降ろすことができ、又、予備の落下式堤防は、雪の影響のない場所に、誘導管を移動させることで、可動が確実となる。【００９６】回転式堤防では、従来の回転式堤防に比べ、補強壁の上部に板状の堤防を載せないことで補強壁の上部全てを有効利用でき、板状の堤防の長さを、従来に比べ、半分位に短かくできるので、コスト削減になる。【００９７】吊り上げ式堤防では、箱状のものに海水を入れることで、その重さによる、津波に対する反動により、堤防の役目をさせ、上陸までの時間を稼ぐものである。【００９８】コンクリートの壁でなく、骨組を堤防に利用する効果は、景観を守ることであり、場所により、屋根部分を有効利用するとしても、水平線を見ることは、可能である。【００９９】骨組を大きくすることで、より津波に対する抵抗を増し、骨組の有効利用の可能性も広がり、又、堤防の建設、維持をする上でも、有効利用は必要となる。【０１００】各港の地形に合わせた、複雑な形の従来堤防に比べ、湾の外側に、直線的に並べることで景観の維持と、建設コストの削減が可能となる。【０１０１】利用法２４の効果．骨組によって、部材接合部の変形を防ぐ強度を維持できれば、床下換気口や玄関ドアなどの形に対応させて、壁状のものの、厚さや形を作ることができる。【０１０２】杭の中と骨組内のクッション材で、骨組自体を耐震させ、杭と張り出しによって、沈下を防ぐことができる。と伴に、津波による建物のガレキ化の防止ができる。【０１０３】利用法２５の効果  骨組を、熱吸収防止と建物冷却に使うと、建物の１０〜２０ｃｍ位外側に、骨組を作り、杭の中、骨組内の要所、骨組と建物の間にクッション材を入れ、骨組自体を耐震させる。【０１０４】建物と骨組の間にクッション材を入れることで、建物の耐震ができる。【０１０５】パネル、又は板状のものを、骨組の内側、又は外側に設置することで、建物の日射による熱吸収を防げる。【０１０６】骨組と建物の間に上昇気流を作り、浸水性のものに、水を浸み込ませたり、霧状の水分を外壁や窓に噴霧することで、気化熱により、建物を冷却させる。【０１０７】骨組と建物の間に、小型の風力発電や、骨組の外側にソーラーパネルを設置して、建物本体の柱や壁の中の、鉄筋、鉄骨を冷やすことで、コンクリートなどを冷やし、建物本体を冷却してゆくことができる。【０１０８】利用法２６の効果  骨組を、熱吸収防止と洪水防止に使うと、建物の１０〜２０ｃｍ位外側に、骨組を作り、杭の中、骨組内の要所、骨組と建物の間にクッション材を入れ、骨組自体を耐震させる。【０１０９】建物と骨組の間にクッション材を入れることで、建物の耐震ができる。【０１１０】パネル、又は板状のものを、骨組の内側、又は外側に設置することで、建物の日射による熱吸収を防げる。【０１１１】建物と骨組の間に、ビニール状容器を入れることで、大雨を、一時的に貯水させ、洪水の防止ができる。【０１１２】手段２の効果．大雨の被害を軽減する断面積の大きい樋では、建物の屋上や屋根と、高速道路など、高架を利用した構造物に降った大雨を、ビニール状容器の入った、断面積の大きい樋を使って、ゆっくりと、下水道や河川に、排水することで、下水道の負担軽減と、洪水の防止ができる。【０１１３】水圧に耐えることができる、仕切りを入れたビニール状容器を、断面積の大きい樋に入れることで、縦方向に、一時的貯水機能を作ることができる。【０１１４】建物と建物の間は狭いが、そこに降る雨の排水を、遅らせるだけでも、下水道や河川に対する負担の軽減になる。【０１１５】手段３の効果  津波から逃げられない人が助かる方法としては、車をシェルター替わりに使うことであり、車の部材に、仕切りを入れることにより、地震時の車同士の衝突、津波時のガレキとの衝突に耐え、海に流されたとしても、仕切りによって、浮力を得ることで浮いた状態を保つことができるが、もし、ガソリンタンクからの出火で、車が使えなくなった時でも、車上部の浮力のあるボックスを外して、その中で、救助を待つことができる。【０１１６】又、ソーラーパネルや畜電設備があるので、ライトや通信手段などの電源にもなる。【０１１７】ボックス下部のフロントガラス前方まで自動や手動で伸びるソーラーパネルの付いた板は、雨の日に使うと、ワイパーをあまり使わなくて済み、省エネであり、視界の確保に役立つ。【０１１８】側面に伸びる板は、夏、駐車場で９０度曲げると、フロントガラス前方まで伸びる板と伴に、日差しの減少になり、車内温度の上昇を抑え、防犯にもなる。【０１１９】車内が、仕切りの入った部材によって、狭くなったとしても、強度と浮力のアップで、事故と災害に巻き込まれた時でも、対処が可能となる。【０１２０】手段４の効果  噴煙・噴石で飛行機が地面に墜落することになった時、パイロット室が、まったく機能しなくなった時でも、乗務員の最終的判断で、パイロット室以外からでも、レバー又は、スイッチで、エア、バックを作動させ、短時間での大量の空気の流入により、スピードを減少させ、仕切りのクッション性により、衝突事故の被害の軽減ができる。【０１２１】手段５の効果．屋根からの落下事故防止と、雪の処理の簡素化。【０１２２】手段６の効果  Ｐ波とＳ波の時間差によって、地震到達前のエレベータのドア開閉がされているが、時間差のほとんどない直下の地震では、閉じ込め事故が発生する、又、【０１２３】サイバー攻撃による閉じ込めも考えられ、その時は、手動によるエレベータからの脱出が必要となる【０１２４】エレベータの外側通路と、非常階段を結び、非常階段のらせん状のスベリ台を使うことで高層建物ほど、避難時間は短縮され、巻き上げ機の併設により、避難の確実性も増える。
【図面の簡単な説明】
【０１２５】図面は、全てイメージである。
【図１】手段１の骨組の利用法１
【図２】手段１の骨組の利用法１、２、９、１０、２４
【図３】手段１の骨組の利用法９、１３、１６、２５、手段３、手段５
【図４】手段１の骨組の利用法４、２０、手段４
【図５】手段１の骨組の利用法１、５、１１、１５、１７、１８、２１、２２、２３
【発明を実施するための形態】
【０１２６】特許請求の範囲と同じ
【図１】
2017218882.tif 000003
【図２】
2017218882.tif 000004
【図３】
2017218882.tif 000005
【図４】
2017218882.tif 000006
【図５】
2017218882.tif 000007
【手続補正書】
【提出日】平成29年2月2日(2017.2.2)
【手続補正１】
【補正対象書類名】明細書
【補正対象項目名】全文
【補正方法】変更
【補正の内容】
【発明の詳細な説明】
【発明の概要】
【発明が解決しようとする課題】
【０００１】同時に、複数の災害が起った時の、被害を小さくする方法がない
【課題を解決するための手段】
【０００２】手段は、杭の中、骨組内の要所、骨組同士の接合部に設置したクッション材によって、骨組自身が、地震や強風に耐え、必要により、屋根、壁を作り、各災害に対応するための土台となる骨組。【０００３】上記手段の骨組を、各災害に対応させるため、骨組の利用法１として、都市部に使い、各区画と一般道路や主要道路に、硬い地盤までの杭を打ち、杭の上部を梁で結び、柱、梁、斜め材で、建物を越える高さで、骨組を作り、杭の中、骨組内の要所、骨組同士の接合部にクッション材を入れて、各区画と道路上部の骨組を一体化させ、全体を１つにして、全体の力で、個々の建物を耐震させる。【０００４】災害発生時、骨組に、屋根と壁を作り、屋根に降った、火山灰、大雨の水、雪国の雪などを、箱形の樋や、断面積の大きい樋で、地上まで誘導し、処理する【０００５】又、温暖化対策のため、屋根、壁で、日陰を作り、日射量をコントロールする。【０００６】骨組の利用法２は、骨組を使って、地震で物資輸送のできなくなるおそれのある交通機関の上に、車両が通れる空間を作り、他の交通機関とネットワーク化する。【０００７】骨組の利用法３は、骨組を、田、畑、果樹園など、屋根、壁のない農業施設に使うことで食糧や農産物商品の安定確保を行う。【０００８】骨組の利用法４は、骨組を火山災害に使うが、噴石による骨組の破損を軽減するため、トンネル、帯、ひも状のもの、ネットを使い、あらかじめ、火山噴火の規模を小さくして、骨組の屋根、壁により、噴煙、噴石などの被害の軽減をする。【０００９】利用法５は、火山の入山規制されている場所に、骨組を使う。【００１０】利用法６は、骨組を火砕流に使う。【００１１】利用法７は、骨組を火山の急傾斜地に使う。【００１２】利用法８は、骨組を、既に噴火中で、近づけない場所に使う。【００１３】利用法９は、骨組を帯やひも状のものと伴に、土砂災害の起こりそうな場所に使う。と伴に、骨組を、河川の上流の地域で使い、道路や歩道の下に、雨水を誘導して、２〜３日かけて、ゆっくりと下水道や河川に至る排水路に、排出する。【００１４】利用法１０は、骨組を人工地盤と伴に使い、平地や傾斜地の、長時間の地震による液状化での、地すべりに使う。【００１５】利用法１１は、骨組を建物の周りに作り、建物を、骨組の柱に、吊り上げるようにして固定することで、地盤沈下による建物の、傾斜による破損を、防止する。【００１６】利用法１２は、骨組を、アンダーバスの上に作り、雨水をコントロールする。【００１７】利用法１３は、骨組を、主に道路の上に作り、骨組の上にネットを張り、植物を成長させ緑の屋根を作り、日射を遮り、温暖化対策とする。【００１８】利用法１４は、骨組を、トンネルと伴に、乾燥、砂漠地帯に作り、温暖化対策としての緑化や、居住地を作る【００１９】利用法１５は、骨組で、階段状の構造物を作り、緑化の面積を広くする。【００２０】利用法１６は、骨組で、海上に構造物を作り、台風の大きさをコントロールする。【００２１】利用法１７は、骨組を、河川の中と周辺に作り、屋根部分を、川底近くまで吊り降ろし、堤防を作り、洪水の防止をする。【００２２】利用法１８は、川沿いの従来の堤防より高い高さに、箱状の骨組を作り、シートを降ろし水路を作り、洪水を防止する。【００２３】利用法１９は、骨組を、災害時の屋外の避難所に、設置する。【００２４】利用法２０は、骨組を船に使い、大津波が来た時でも、転覆や沈没をしないように、船を安定させる【００２５】利用法２１は、従来の落下式堤防（特願２０１３−２３２５３３）を改良して、津波災害に使い、津波の上陸を遅らせる。と伴に、建物のガレキ化の防止をする。【００２６】利用法２２は、従来の回転式堤防（特願２０１３−２３２５３３）を改良して、津波災害に使い、津波の上陸を遅らせる。と伴に、建物のガレキ化の防止をする。【００２７】利用法２３は、骨組を使い、箱状のものを吊り上げ、津波の上陸を遅らせる。【００２８】利用法２４は、建物外壁に骨組を作り、部材接合部の変形を防ぎ、建物沈下と建物倒壊の防止をする。【００２９】利用法２５は、建物の１０〜２０ｃｍ位外側に、骨組を作り、パネル、又は板状のものを設置して、日射による建物の熱吸収を防げると伴に、建物を冷却する。【００３０】利用法２６は、建物の１０〜２０ｃｍ位外側に、骨組を作り、パネル、又は板状のものを設置し、日射による建物の熱吸収防止と伴に、大雨を一時、貯水させ、洪水の防止をする。
【発明の効果】
【００３１】利用法１の効果は、それぞれの区画で、硬い地盤までの杭と、杭と杭の上部を梁で結び、柱、梁、斜め材で、区画周辺に骨組を作り、隣りの区画の骨組と、クッション材を介して一体化させる。【００３２】骨組自体も、杭の中、骨組内の要所にクッション材を入れ、耐震させる。【００３３】杭と杭の上部を結んだ梁より、必要箇所に、硬い地盤まで、クッション材を入れることで地盤を伝わってくる地震動を、吸収させる。【００３４】杭と杭の上部を梁で結ぶことで、骨組の補強と安定性の向上、杭の中にクッション材を入れることで、硬い地盤から伝わる地震動を、上部の骨組に伝えにくくする。【００３５】これらの効果によって、骨組から建物に伸ばした、クッション材の付いた梁による耐震効果を、高めることができる。【００３６】又、区画内に梁を架け渡し  梁から、建物屋上の角や、屋上側面に、帯状の材料を結ぶことで、地震による建物の横揺れを、減少させることができる。【００３７】骨組の各梁より、重り付きシートを降ろして、屋根と壁を、必要時、必要な場所に作ることで、夏の日射量をコントロールすることができる。【００３８】屋根を、４５度、又は６０度位に傾斜させることで、上からの衝撃に強く、火山灰、雪など、スムーズに降ろすことができる。【００３９】仕切りの入ったビニール状容器を使うことで、樋下部の水圧に耐えられ、樋の直径を大きくすることができ、縦方向に、一時的貯水機能を発揮できて、大雨の時の下水道の負担を軽減させることができる。【００４０】骨組の、屋根と壁により、台風、竜巻などの風水害の減少、火災時の延焼防止、火山に近い場所では、火山灰、噴石、火砕流、溶岩流の被害の軽減、又、消防設備によって、自動車、電車などの交通機関や、高層建物への外からの消火が可能となる。【００４１】屋根を４層又は２層位にして、重り付きシートを固定でなく、垂らした状態にしておくことで、噴煙、噴石によって墜落する飛行機や、隕石、衛星、ミサイル  雹などの落下物の直撃による衝撃の吸収ができる。【００４２】一般道や主要道の上に作った骨組に、発電設備、畜電設備、送配電設備を付け、自動車や電車などの交通機関や避難通路、避難場所、医療、福祉、宿泊などの施設を作り、有効利用することで、災害時の拠点にすることもできる。【００４３】工業地帯の沿岸まで伸ばすことで、重り付きシートを海の中に降ろし、油や有害物質の、海への流出や延焼防止、又、高潮、高波にも、有効であり、高所からの消火も可能となる。【００４４】骨組の利用法２の効果は、骨組を、地震で物資輸送できなくなるおそれのある交通機関の上に使った場合、台風、延焼、大雪の中でも、物資輸送が可能となり、災害時、発電設備畜電設備、送配電設備、避難通路、避難場所、倉庫を、有効利用できる。【００４５】骨組の利用法３の効果は、骨組を、田、畑、果樹園など、屋根、壁のない農業施設に使った場合、冷害、台風、大雪、火山灰などの影響を減少させ、日焼けや照り返しなど、日照のコントロールもでき、食糧や、農産物商品の、安定確保ができる。【００４６】骨組を２重にすることで、従来の温室の機能と、災害時の被害軽減の機能の両方を、発揮できる。【００４７】骨組の利用法４の効果は、骨組を火��災害に使うとすると、まず、骨組の効果を上げるためには、噴石などによる骨組の破損を軽減するため、帯、ひも状のもの、又は、ネットそのものを、どれだけ広く、山全体に張りめぐらせるかが、重要になる。【００４８】しかし、それよりも重要なことは、トンネルにより、どれだけ、マグマだまりからマグマを、海やマグマだまりから離れた地表に、移動させられるか、又は、海水で、マグマだまりを冷やし固められるか、になり帯、ひも状のもの、ネットそのものと伴に、噴火の規模を小さくすることで、骨組を使った時、下から上ってくる噴煙、噴石を、骨組の屋根で上昇させず、骨組の壁によって、火砕流と溶岩流の流出を、遅らせることができる。【００４９】下から上ってくるものを止めるので、骨組自体は高くする必要はないが、広く並べる必要があり、景観は損なわれるが、管理のための通路を開放し、観光や登山にも利用できる。【００５０】それぞれのトンネルを網状にすることで、噴火の規模縮小の確実性が増す。【００５１】利用法５の効果    骨組を、火山の入山規制されている場所に使うと、板状の骨組を、噴火口に向って降ろすが、板状の骨組を背の高いものにすることで、板状の骨組自体の重さによって、噴煙、噴石を止める効果があり、入山規制されていることで、登山者を気にせず降ろすことができる。【００５２】又、監視カメラの設置により、噴火の様子や、人間の有無も確認できる。【００５３】利用法６の効果    火砕流の骨組は、骨組によって、山の下部を囲むもので、特に、カルデラ噴火の時は、高さ１０００ｍを超える骨組で、大きければ、大きい程、火砕流の威力を軽減でき、平時は、骨組の大きさを利用して、骨組の有効利用ができ、又、津波用の回転式堤防や落下式堤防を、高さ、仮りに、２００ｍごとに、設置して、使うことができる【００５４】利用法７の効果  骨組を、火山の急傾斜地で使う時の効果は、急傾斜地では、大きな骨組は作れないので、重り付きシートを載せるだけの目的にして、壁の延長のように、噴火口の上に降ろしてゆき、山の下部からも、帯や、ひも状のもので引っ張るので、シートが、噴煙などの圧力で、飛ばされることもなく、又、シートが火口に落ちても、引っ張り上げることができ、車輪やローラー、そりを使うことで、スムーズに移動させることができる【００５５】利用法８の効果  骨組を、既に噴火中で近づけない場所に使う時は、機械によって、帯やひも状のものを、反対側から引っ張ることで、骨組から、屋根を延長するように、噴火口まで、シートを移動させることができる。【００５６】利用法９の効果  骨組を土砂災害に使った時の効果は、土砂災害の起こりそうな住宅地の上部山に、骨組を作り、断面積の大きい樋によって、縦方向に、一時的貯水機能を発揮させると伴に、一時的貯水機能をもつ帯と、ひも状のものを使い、仮りに、２〜３日かけて山全体に均等に、大雨を浸透させていくことができる。【００５７】災害の起こりそうな山全体に、帯を格子状にして、山の反対側まで、架け渡し、仮りに、１０ｍごとに、杭を打ち、固定することで、土砂災害の起こりそうな場所の地盤を、外側より、押さえ固める効果があり、帯から、木一本一本に、ひも状のものを巻き付けたり、帯から、ひも状のもので、木同士の上下など、つなげることで、もしも、土砂災害が起ったとしても、帯とひも状のものが切れない限り、樹木が、流出することはなくなる。【００５８】急傾斜地では、帯を階段状にして、仕切りを入れることで、人間が歩ける程度の強度を作り、新しい登山道にもなる。【００５９】帯の上部をメッシュ状にすることで、枯れ葉が積っても、水分だけを内部に入れることができ、仕切りを入れることで、急傾斜であっても、水を貯水できる。【００６０】山の広い面積に、骨組を作るため、景観が損なわれるが、棒材の組合わせでもあるので、景観に与える影響は小さく、管理のための階段、通路を開放することで、ミニ登山も楽しめる、と伴に、骨組を山の上部に配置することで、帯により、より均等に浸透させられる。【００６１】梁の下に壁を作ることで、山火事を止めることができ、重り付きシートの屋根を増やすことで、大雨による土砂災害を、無くすことができると伴に、下流の洪水防止にもなる。【００６２】道路下の空間を、クッション材を入れた杭で固定することで、道路自体、災害に強くなり道路上が避難場所にもなる。【００６３】平地での骨組と、地下の一時的貯水施設は、東南アジアなど、雨の多い場所でも、効果を発揮できる。【００６４】利用法１０の効果  骨組に人工地盤を作った時の効果は、大雨で、平地や傾斜地の地盤が多くの水分を含んだ時や、長時間による地震での液状化による土砂災害では、骨組と人工地盤を一体化させることで、液状化や地崩れが発生しても、人工地盤の上にある道路、歩道、建物を、その位置に、維持させることができる。【００６５】人工地盤の下の地盤や、人工地盤そのもの、更には、人工地盤の周りに、クッション材を深く埋めることで、地盤を伝わってくる地震動の、吸収ができる。【００６６】隣地境界線上に骨組を作り、屋根、壁を作ることで、例えば、壁だけ降ろすことで、プライバシーの確保ができ、窓を開けやすくなり、屋根、壁を降ろすことで、延焼、風水害、雪、火山灰などから、建物を守ることができ、建物の屋根は、経年劣化の軽減になり、夏は、屋根だけ降ろし、日陰を作り、建物全体の温度上昇の軽減ができる。【００６７】骨組による壁と屋根で、火山灰、大雨、大雪などを、断面積の大きい樋の下部という一定場所に集めることができ、処理しやすくなり、大雨を、断面積の大きい樋で、ゆっくりと排水することで、低地の下水道や、河川に対する負担の軽減となる。【００６８】住宅地を区画単位や、数１０軒の単位で、屋根、壁を集中コントロールして、可動させることで、災害対応型の住宅地になり、津波からの救出や消火も、骨組の上からできる。【００６９】利用法１１の効果  骨組で建物を吊り上げると、杭の中と骨組内の要所のクッション材により、骨組自体の耐震ができ、建物を、骨組の柱に、吊り上げるようにして固定することで  地盤が沈下しても、建物の水平を守り、早い時間で、すき間を埋めるなどの補修が、できる。【００７０】又、建物倒壊、重り付きシートの屋根、壁による延焼防止、風水害、大雪、火山灰の被害軽減ができ、津波による建物のガレキ化の防止もできる。【００７１】利用法１２の効果、アンダーパスの上に、屋根を作ることで、車の水没事故を防止できる。【００７２】利用法１３の効果  骨組で緑の屋根を作った時の効果は、周辺の建物や道路に、特に夏など、日陰げを作ることができ、建物や道路の温度上昇の軽減ができる。【００７３】又、道路上に骨組を作ることで、周辺建物に、クッション材の付いた梁を伸ばすことができ、倒壊防止、骨組に屋根を付けることで、火山灰、大雨  大雪などの処理、又、壁による延焼防止の効果がある。【００７４】骨組という空間を有効利用する時は、災害時の緊急車両を通す空間、その他の、車や電車自転車、人間の通る空間、建物施設、高さを利用しての発電、畜電、送配電の設備、避難場所、避難通路など。災害時に必要な、装備、施設を設けることができる。【００７５】ネットを仮りに３０ｃｍとしたのは、完全に日差しを、遮らせないためであり、もし、完全に遮らせたい時は、熱帯、砂漠地帯など、シートを降ろすこともできる。【００７６】冬は、ネットを外し、乾燥させ、焼却すると、燃料にもなる。【００７７】利用法１４の効果、骨組を乾燥、砂漠地帯に利用すると、温暖化予防のための緑化に使うことができ、食料確保と居住性の向上に役立つ。【００７８】飲料用の水でなく、植物生産用の水が目的なので、淡水化も容易であり、日中の日照りや風による土壌の乾燥、夜の放射冷却の防止などが、骨組の屋根と壁で可能となる。【００７９】利用法１５の効果  骨組による１０００ｍを越える構造物の緑化と、地面では、養殖と放牧と畜産を行い、施設や交通機関は、できるだけ、内部に入れることで、緑化しながら、都市化もでき、トンネルを活用する時のストレスの解消もできる。【００８０】利用法１６  島状の構造物を作ると、台風時、ソーラーパネルや重り付きシートによる屋根と壁によって、５００ｋｍ四方の日陰を海の上に作ることができる。【００８１】発電、畜電、送配電の設備によって、海底から冷水を汲み上げ、海水面の温度を下げ、水蒸気の量を減少させることができる。【００８２】台風発生時より、台風の目の中に入ることで、台風の発達をコントロールできる。【００８３】プレートとプレートの接合部を削り、日本の地下部分に加わる圧力（ひずみ）を、小さくすることで、マグマだまりの形成を小さくする。【００８４】利用法１７の効果  従来の堤防を大きくすることなく、骨組によって洪水防止ができる。【００８５】利用法１８の効果  河川の上に、箱型の骨組を作ると、災害による橋の落下や、延焼の時でも、避難通路として、使うことができる。【００８６】利用法１９の効果、骨組を屋外の避難所に使うと、災害時、火山灰、大雨、大雪、強風であっても、避難所として機能する。【００８７】利用法２０の効果、船に乗っていて、大津波が来た時、船体周辺の骨組の外側に付けた格子状骨組を、津波時、９０度位、海に降ろすことで、船の安定性を高め、転覆を防ぎ、もし、沈没のおそれのある時は、船体から、格子状骨組を外して、救命ボートの替わりにできる。【００８８】格子状骨組を上下に別け、高くすることで、津波時の安全性が高まり、津波時でない時は船体前部を広げ、高くした状態で、後方からの風を、袋状シートで受けとめると、推進力にもなり、省エネとなる。【００８９】利用法２１の効果  骨組の杭の中、骨組内の要所、骨組同士の接合部にクッション���を入れ、骨組自体を地震から守り、板状のもの、重り付きシート、箱状のものを、確実に機能させることで、津波が上陸するまでの時間を稼ぎ、津波被害を小さくできる。【００９０】落下式堤防は、大雪であっても、重り付きシートを確実に、海底まで降ろすことができ、又、予備の落下式堤防は、雪の影響のない場所に、誘導管を稼働させることで、可動が確実となる。【００９１】回転式堤防では、従来の回転式堤防に比べ、補強壁の上部に板状の堤防を載せないことで補強壁の上部全てを有効利用でき、板状の堤防の長さを、従来に比べ、半分位に短かくできるので、コスト削減になる。【００９２】吊り上げ式堤防では、箱状のものに海水を入れることで、その重さによる、津波に対する反動により、堤防の役目をさせ、上陸までの時間を稼ぐものである。【００９３】コンクリートの壁でなく、骨組を堤防に利用する効果は、景観を守ることであり、場所により、屋根部分を有効利用するとしても、水平線を見ることは、可能である。【００９４】骨組を大きくすることで、より津波に対する抵抗を増し、骨組の有効利用の可能性も広がり、又、堤防の建設、維持をする上でも、有効利用は必要となる。【００９５】各港の地形に合わせた、複雑な形の従来堤防に比べ、港の外側に、直線的に並べることで景観の維持と、建設コストの削減が可能となる。【００９６】利用法２４の効果、骨組によって、部材接合部の変形を防ぐ強度を維持できれば、床下換気口や玄関ドアなどの形に対応させて、壁状のものの、厚さや形を作ることができる。【００９７】杭の中と骨組内のクッション材で、骨組自体を耐震させ、杭と張り出しによって、沈下を防ぐことができる。と伴に、津波による建物のガレキ化の防止ができる。【００９８】利用法２５の効果  骨組を、熱吸収防止と建物冷却に使うと、建物の１０〜２０ｃｍ位外側に、骨組を作り、杭の中、骨組内の要所、骨組と建物の間にクッション材を入れ、骨組自体を耐震させる。【００９９】建物と骨組の間にクッション材を入れることで、建物の耐震ができる。【０１００】パネル、又は板状のものを、骨組の内側、又は外側に設置することで、建物の日射による熱吸収を防げる。【０１０１】骨組と建物の間に上昇気流を作り、浸水性のものに、水を浸み込ませたり、霧状の水分を外壁や窓に噴霧することで、気化熱により、建物を冷却させる。【０１０２】骨組と建物の間に、小型の風力発電や、骨組の外側にソーラーパネルを設置して、建物本体の柱や壁の中の、鉄筋、鉄骨を冷やすことで、コンクリートなどを冷やし、建物本体を冷却してゆくことができる。【０１０３】利用法２６の効果  骨組を、熱吸収防止と洪水防止に使うと、建物の１０〜２０ｃｍ位外側に、骨組を作り、杭の中、骨組内の要所、骨組と建物の間にクッション材を入れ、骨組自体を耐震させる。【０１０４】建物と骨組の間にクッション材を入れることで、建物の耐震ができる。【０１０５】パネル、又は板状のものを、骨組の内側、又は外側に設置することで、建物の日射による、熱吸収を防げる。【０１０６】建物と骨組の間に、ビニール状容器を入れることで、大雨を、一時的に貯水させ、洪水の防止ができる。
【図面の簡単な説明】
【０１０７】図面は、全てイメージである。
【図１】骨組の利用法１
【図２】骨組の利用法１、２、９、１０、２４
【図３】骨組の利用法９、１３、１６、２５、
【図４】骨組の利用法４、２０、
【図５】骨組の利用法１、５、１１、１５、１７、１８、２１、２２、２３
【発明を実施するための形態】
【０１０８】特許請求の範囲と同じ
【手続補正２】
【補正対象書類名】特許請求の範囲
【補正対象項目名】全文
【補正方法】変更
【補正の内容】
【特許請求の範囲】
【請求項１】
杭の中、骨組内の要所、骨組同士の接合部に設置したクッション材により、骨組自身が地震や強風に耐え、必要により、屋根、壁を作り、各災害に対応するための土台となる骨組。
【請求項２】
骨組の利用法１は、都市部において、（図１）仮りに、それぞれの区画で、区画周辺の歩道や道路などに、区画を囲むように、硬い地盤まで杭を打ち、杭の上部を梁で結び、柱を建て、梁、斜め材で、区画周辺に骨組を作り、隣りの区画の骨組と、一体化する。
区画の内側では、建物と建物の間に、硬い地盤まで杭を打ち、杭の上部を梁で結び、柱を建て、梁、斜め材で、区画内に骨組を作り、区画周辺の骨組と結び、一体化する。
主要道路や一般道の下は、骨組による耐震効果を高めるため、硬い地盤まで打ち込んだ杭の上部を梁で結び、梁より、埋設物や地下鉄などを避ける形で、必要場所に、硬い地盤まで溝を掘り、仮りに、仕切りの入った、エア、マットのようなクッション材を、梁に固定した状態で溝に入れる。
それにより、地盤を流れてくる地震動を、吸収すると伴に、区画と同じく、上部に骨組を作り、隣りの区画の骨組と、一体化する。
杭の中、骨組内の要所、骨組同士の接合部に、クッション材を入れる。
歩道に面した、建物表面に、区画周辺の骨組から、クッション材の付いた梁を伸ばしたり、区画内の骨組から、クッション材の付いた梁を、近くの建物に伸ばしたり、建物と建物の間が狭い所は、クッション材を直接、柱に設置して、建物と建物の間に入れたり、建物の上に、区画周辺の骨組から、区画の内側に、梁を架け渡し、梁より、建物屋上の角や屋上側面に、帯状の材料を結ぶ。
ここまでが、仮りに、地上３００ｍまでの建物部分の骨組で、次に、仮りに、地上３００〜４００ｍの屋根部分の骨組は、建物部分の骨組を土台にして、柱、梁、斜め材で、屋根部分の骨組を作るが、その方法の第１は、屋根部分を、仮りに２５ｍごとに、柱、梁、斜め材で、４階建てのような骨組を作り、梁に、梁と同じ位の長さのシートの先端に、棒状の重りを付けたもの（以下、重り付きシート）を、巻いた状態で、梁に固定、梁１から梁２に、４５度位で、スライドさせるが、梁１から梁２にかけて、斜め材に沿って、重りの両端をスライドさせ、降ろしていくための斜めの誘導管（以下、斜めの誘導管）を設置し、梁２の近くで、９０度位、反転させ、梁３に向かうもので、梁１から、４面分位シートを降ろす。又は、６０度位にして、１〜２面にするもの。
シートを安定させるため、梁１から梁２にかけて、斜めの誘導管と同じ傾きで、何本も斜めの補助管を降ろすが、斜めの補助管は、重り付きシートを上下で、挟むようにして架け渡し、誘導するもので、４面分位設置する。又は、６０度位にして、１〜２面にする。
屋根を付ける方法として、第２は、梁１から重り付きシートを降ろして、梁２で、降ろした状態にしておくもので、各梁に、重り付きシートを巻いたものを設置し、斜めの誘導管と斜めの補助管で、４５度位に降ろし、４層位作る。又は、６０度位にして、１〜２層にするもの（図１）。
第１と第２の屋根部分の下には、落下物を受け止めるため、必要場所に、斜めの誘導管と斜めの補助管で、先端に棒状の重りの付いたネットを、４５度、又は６０度位の角度で張っておく、又は、ネットを部分的に重ね、又、たるませた状態で、水平に梁に固定する。（図２）、第１、第２の方法で、いずれも、補助管、誘導管を、４５度、又は、６０度位の直線でなく、中央部附近を、上方に折り曲げ、山形にすることで、たわみにも、強くすることができる。（以下、山形の誘導管と、山形の補助管）
重り付きシートは、自動や手動で、作動させ、巻いた状態で、容器内にあるもの。
（図２）次に、骨組の壁になる部分は、柱と柱の間に、梁と平行な補助管（以下、補助管）を仮りに、５ｍごとに設置し、柱には、重り付きシートが、補助管を編むように、降りていくための、波形の誘導管（以下、波形の誘導管）を設置するものであり、各梁に重り付きシートを巻いたものを設置して、降ろすことで、必要な場所に、自動や手動で、骨組の壁を、開閉できるものである。
（図２）、又、地上附近で、電柱などがあり、波形の誘導管を、まっすぐ降ろせない時は、電柱の上部梁より、電柱を避けるように、斜めの誘導管と斜めの補助管で、重り付きシートを誘導し、更に、斜めの誘導管と斜めの補助管の傾斜を、柱と並行にして、直線的に地面に降ろすことで、必要な場所に誘導するもの（以下、直線的誘導管と直線的補助管）。
（図１）、次に、屋根部分のシートを降りてきた火山灰、大雨、大雪が、梁２に設置した樋に入る。この樋は、柱１や柱２に向って、火山灰、大雨、大雪が、柱の近くに設置した、断面積の大きい樋に向って、スムーズに降りるような角度で、又、外にこぼれないように、シートに近い側の面より、その他の面を高くした箱型にして（以下、箱型の樋）、柱１が柱２の近くに設置した、断面積の大きい樋に誘導するものであり、断面積の大きい樋が、水圧などで壊れないように、仮りに、直径１ｍ位の、円柱状で、取替えのできる、仕切りの入った、ビニール状容器（以下、ビニール状容器）（図５）を、断面積の大きい樋内に入れて、その中に、火山灰、大雨の時の水、雪国の雪などを通して、地上の樋下部の、小さい排出口に誘導し、雪国の雪は、暖め解かしたり、又は、そのまま、取り出し処分し、火山灰は、小さい排出口から取り出し、処理し、大雨の水は、ゆっくりと、仮りに２〜３日かけて、下水道に、流すもの。
断面積の大きい樋は、ビニール状容器の入ったもので、ビニール状容器の設置や管理のため、必要な場所に、開閉式の出入口があり、又、必要箇所にクッション材を入れたもの
シートは、すべり易い素材を使ったり、すべり易くするための塗料を使ったりするが、火山灰が、水分を含み、自然に降りてこない時は、ポンプなどで、吸い上げた水を、梁１より流したり、消防設備のホースを使い、人力で、箱型の樋まで流し、地上まで、誘導するもの。
骨組と重り付きシートは、火に強く、断面積の大きい樋は、ビニール状容器を入れたもので、一時的貯水機能を有するが、貯水漕として、水を溜めるものではなく、常に、小さい排出口より、排出しているものであり、もし、水が一杯になると、予備のビニール状容器の入った断面積の大きい樋に、誘導するものであるが、雪、火山灰の処理のために、小さい排出口を大きくしたり、暖め、雪を解かすことができるもの。
雪の落下事故を防ぐため、又、重り付きシートをスムーズに降ろすため、誘導管、補助管、梁などに、雪が積もらないように、雪の時だけ、必要場所を暖める、又は滑りやすい塗料を塗る、滑りやすい素材を使う、風圧で飛ばす、振動させるなどで、雪の附着を避けるもの、屋根と壁によって、夏など、日陰げを作り、日射量のコントロールができるもの
落下物を受けとめるネットも、誘導管、補助管、梁と同じく、雪の落下事故を防ぐもの。
利用法３と同じく、骨組を２重にすると、寒い地方など、温室効果を得られるもの。
骨組の管理や有効利用のため、階段、通路、スロープ、エレベータ、監視カメラ、避難場所、避難通路、倉庫、消防設備、クレーン設備、発電設備、畜電設備、送配電設備、自動車や電車などの交通機関、オフィスやマンションなどの建物施設、スポーツ施設、レクリエーション施設、研究施設  学校施設、観光施設、宿泊施設、医療施設、福祉施設、市場や物流施設、農業施設、商業施設、工業施設、変電設備、ガス、水道の設備のある骨組。
工業地帯では、沿岸まで、骨組を伸ばし、災害時、重り付きシートを、海の中まで降ろすことで、油や有害物質の海への流出や延焼、高潮、高波の被害を軽減する。
【請求項３】
骨組の利用法２（図２）は、骨組を、地震で物質輸送のできなくなるおそれのある交通機関に使うとすると、鉄道線路の下部の空間に、硬い地盤までの杭を打ち、杭の上部を梁で結び、柱と梁、斜め材で、骨組を作り、杭の中、骨組内の要所、骨組同士の接合部に、クッション材を入れ、鉄道高架線の上に、車両などが通れる空間を作ることができる。
屋根部分には、火山灰が、自然に降りる傾斜の、ソーラーパネルを設置したり、又は、屋根面上部の梁に、重り付きシートを設置し、屋根面下部の梁に向って、斜めの誘導管と斜めの補助管によって、重り付きシートを降ろし、屋根を作る。
壁面は、屋根下部の梁２に、重り付きシートを巻いた状態で設置するか、又は屋根部分の天井裏に  シートを伸ばした状態で、収納する場所を作ることで、梁２より、柱と柱の間に、梁と平行に、仮りに、１ｍ間隔で、補助管を設置し、柱の内側には、重り付きシートが補助管を編むように降りていくための、波形の誘導管を設置して、電車の窓の下までの高さのものと、窓の下から地面までの高さのものの、２つに分け設置し、状況によって台風、大雪の時でも、窓からの眺めを確保するものであり、雪の落下事故を防ぐため、又重り付きシートをスムーズに降ろすため、誘導管、補助管、梁などに、雪が積もらないように、雪の時だけ、必要場所を暖める、又は、滑りやすい塗料を塗る、滑りやすい素材を使う、風圧で飛ばす、振動させるなどで、雪の附着を避けるもの。
屋根から降りてきた、火山灰、大雨、大雪などは、梁２に設置した樋に入るが、火山灰大雨、大雪が、柱の近くに設置した、断面積の大きい樋に向って、スムーズに降りるような角度で、又、外にこぼれないように、シートに近い側の面より、その他の面を高くした箱形の樋にして、断面積の大きい樋に誘導し、地上まで降ろすもので、樋の中には、水圧に耐えるため、円柱状で、取替えのできる、仕切りの入った、ビニール状容器を入れておき、樋下部の小さい排出口に誘導していくもので、雪、火山灰の処理のために、小さい排出口を大きくしたり、暖め雪を解かすことができるもの。
断面積の大きい樋が一杯になると、予備のビニール状容器の入った、断面積の大きい樋に誘導するもの。
電車走行時の地震による横転で、骨組が破壊されることを防ぐため、線路に近い位置に上部梁から硬い地盤まで、杭を打ち、杭の上部を梁で結び、柱を建て、梁、斜め材で補強し、脱線時は、柱にぶつからないように、柱と柱を横の材で結び、脱線時、電車の側面と横の材との摩擦によって  横転させずに、電車を停止させる。
乗客が電車から降りて、避難通路に出るため、柱と柱を横の材で渡したものの、必要箇所に、仮りに、３ｍ位を、横にスライドさせ、開閉部とし、又は、避難通路側に開く扉によって、脱線時、電車のドアに近い開閉部を開けて、線路の外の、避難通路に出るもの。
又は、柱と柱を横の材で渡したものの、下をくぐって、避難通路に出るもの。
車両などを通せる空間は、普通車、大型車兼用の道路と伴に、仮りに、高さ、２．５ｍ位の、普通車専用道路としての空間を作ることもでき、低い高さにすることによって、骨組を強くすると伴に、空間を有効利用し、天井には、事故時のため、自動や手動で、消火設備やクレーン設備が使えるもの。クレーン設備とは、人や車など移動させるもの。
車両などを通せる空間を使う時、平時や災害後の渋滞防止のため、遠隔からのブザーやランプ、音声、速度表示によって、車間距離が近いことを、ドライバーに知らせたり又は、遠隔操作での、強制的なスピードのコントロールで、車両などを通せる空間において、渋滞のない車間距離を作るもの。遠隔による表現は、車を通じて行なうもの。
物資輸送のため高速道路、鉄道、主要道路や商店街などの上部に、上記と同じように骨組を作り、車両などの通せる空間を作り、これらを、ネットワークで結ぶ。
管理や有効利用のため、箱形の樋、ビニール状容器の入った断面積の大きい樋、階段、通路、エレベータ、監視カメラ、スロープ、発電設備、畜電設備、送配電設備、クレーン設備、消防設備、避難場所、避難通路、倉庫、がある骨組
壁を作る時、波形でなく、直線的誘導管と直線的補助管も使えるものであり、屋根は、山形の誘導管と山形の補助管も使えるもの。エレベータは、車も乗せることができるもの
【請求項４】
骨組の利用法３は、骨組を、田、畑、果樹園など、屋根、壁の付いていない農業施設に使うと、田、畑、果樹園など、屋根、壁の付いていない農業施設の周囲や中に、硬い地盤まで杭を打ち、杭の上部を梁で結び、柱を建て、梁、斜め材で、骨組を２重に作り、杭の中、骨組内の要所、骨組同士の接合部にクッション材を入れ、２重にした骨組と骨組の間に、重り付きの透明、又は、半透明のシートを、巻いた状態で各梁に設置、ビニールハウスと同じ役目をさせるため、斜めの誘導管と斜めの補助管、又は、山形の誘導管と山形の補助管で屋根を作り、波形の誘導管と補助管、又は、直線的誘導管と直線的補助管で壁を作る。
外側の骨組の各梁に、重り付きシートを巻いた状態で設置、屋根は、斜めの誘導管と斜めの補助管、又は、山形の誘導管と山形の補助管、壁は、波形の誘導管と補助管、又は、直線的誘導管と直線的補助管を設置して、壁を作る。
屋根部分下部の梁には、箱形の樋と、柱の近くに、ビニール状容器の入った断面積の大きい樋、予備のビニール状容器の入った断面積の大きい樋を設置する。
骨組と重り付きシートは、火に強く、断面積の大きい樋は、ビニール状容器を入れたもので、一時的貯水機能を有するが、貯水漕として、水を溜めるものではなく、常に、小さい排出口より、排出しているものであり、もし、水が一杯になると、予備のビニール状容器の入った断面積の大きい樋に、誘導するものであるが、雪、火山灰の処理のために、小さい排出口を大きくしたり、暖め雪を解かすことができるもの。
雪の落下事故を防ぐため、又、重り付きシートをスムーズに降ろすため、誘導管、補助管、梁などに、雪が積もらないように、雪の時だけ、必要場所を、暖める、又は、滑りやすい塗料を塗る、滑りやすい素材を使う、風圧で飛ばす、振動させるなどで、雪の附着を避けるもので、重り付きシートの内側は、太陽光を反射させるものを張る、又は、塗る。
管理や有効利用のため、階段、通路、クレーン設備がある骨組。
発電設備、畜電設備、送配電設備によって、骨組内の温度調整ができるもの。
【請求項５】
骨組の利用法４  骨組を火山災害に使うとすると、まず、突発的な噴火による噴石で、重り付きシートを降ろす前に、骨組が破損することを軽減するため、火山噴火の起こりそうな場所の地面に、骨組よりも、広い範囲で、樹木を避けるように、帯や、ひも状のものを、ネット状にして張り、又は、植物のない所では、ネットそのものを張って、数１０〜数１００ｍごとに、固定しておくことで、噴石による骨組の破損を、小さくする。
帯や、ひも状のものを、ネット状にしたものや、ネットそのものを、部分的に、重ねることで、噴火時、ネット状部分の固定が、噴石によって外されたとしても、ネットを重ねたことにより、ネットにゆとりができ、噴石の衝撃を吸収するためのクッション性を、作ることができ、噴石を止めることができる。
その後、火山噴火の起こりそうな場所に、硬い地盤、又は岩盤までの杭を打ち、柱を建て、梁、斜め材で骨組を作り、上下左右と必要なだけ並べ、一体化する。
杭の中、骨組内の要所、骨組同士の接合部に、クッション材を入れる
骨組や帯、ひも状のもの、ネットそのものの負担を軽減するものとして、マグマだまりの周辺と、マグマだまりの周辺から、海や地表まで、あらかじめ、噴火の規模を小さくするためのトンネルを作っておく。その第１の方法は、（図４）マグマだまりの周辺に、何層も、上から下まで、トンネルを掘り、何層ものトンネルから、複数のトンネルで、海底までつなげて、海水が土中に浸透しないように、トンネルの壁をコーティングして、トンネル内を海水で満たしておき、噴火時、マグマ溜りの周辺のトンネルから、必要なだけ、遠隔操作の掘削によって、マグマ溜りに向って、トンネルを掘り進み、マグマを海水で冷やすものであり、第２の方法は、マグマ溜りの近くから、海底近くまで、トンネルを掘っておいて、内側を、空胴のまま、コンクリートなどで補強して、噴火時、トンネルの端から、マグマ溜りに向って、遠隔操作で掘削し、マグマを海に向って、海底近くまで誘導し次に、海底よりマグマまで掘削し、海中にマグマを流出させ、圧力を逃がす、第３の方法は、マグマ溜りの上でなく、横方向の地表から、トンネルをたくさん掘り、圧力の高くなったマグマを、噴火させずに、横方向の別の場所に、流出させ、圧力を逃がし、噴火させないもの。これらのトンネルを作り、それぞれで、ネットワーク化して、噴火の規模を小さくする。
これら、噴火の規模を小さくする、第１、第２、第３の方法と帯、ひも状のもの、ネットそのものを張っておくことは、火山災害を小さくするために使う骨組の、破損を軽減させるものとして、共通のものとする。
上下左右と、骨組を並べ、骨組の梁と同じ位の長さのシートの先端に、棒状の重りを付けたものを、巻いた状態で、上部梁に固定、下部梁に部材を架け渡し、その部材に、重りの両端をスライドさせて、斜めに降ろしていくための、斜めの誘導管を付ける。
そして、重り付きシートを安定させるため、斜めの誘導管と同じ傾きで、上部梁から下部梁に、重り付きシートを、上下で挟むような形で、斜めの補助管を架け渡し、斜めの補助管の上下の間に、重りを滑らせ、屋根を作る。
上部梁と下部梁の下の壁は、骨組の柱と柱の間に、梁と平行に、補助管を何本も設置して、梁に巻いた状態で固定した重り付きシートが、補助管を編むように降りていくための波形の誘導管を柱に付け、重り付きシートを降ろし、壁とする。
又は、梁より、誘導管、補助管なしで、直接、重り付きシートを降ろす。
（図４）部材下の壁は、柱と柱との間に、補助管を水平に設置し、一番上の補助管が、部材と接する位置に、重り付きシートを固定する梁を設置し、重り付きシートを巻いた状態で固定し、波形の誘導管によって、重り付きシートを降ろすことで、部材下の壁とする。
又は、部材より、誘導管、補助管なしで、直接、重り付きシートを降ろす。
上部梁から、山の斜面の下部梁に向って、同じ幅のシートを降ろすと、下部梁の横には骨組と骨組の間に、すき間ができるので、（図４）すき間のできる所だけは、上部梁からすき間を塞ぐように、骨組と骨組を、またぐように、上部梁の上に、重り付きシートを重ねて設置し、誘導管と補助管で、骨組のすき間の上に、重り付きシートを、重ねるようにして降ろす、と伴に、下部梁の下の壁の横にできた、骨組と骨組のすき間も、すき間の上部に梁を設置して、重り付きシートを降ろして塞ぐ。
屋根は、山形の誘導管と山形の補助管、壁は、直線的誘導管と直線的補助管も使えるもので、雪の落下事故を防ぐため、又、重り付きシートをスムーズに降ろすため、誘導管、補助管、梁などに、雪が、積もらないように、雪の時だけ、必要場所を、暖める、又は、滑りやすい塗料を塗る、滑りやすい素材を使う、風圧で飛ばす、振動させる、などで、雪の附着を避けるもの。
噴火後、火山灰の積った所に、雨が流れないように、シート上を降りてきた大雨の水を箱形の樋と、地中まで埋めた、ビニール状容器の入った断面積の大きい樋と、予備の、ビニール状容器の入った断面積の大きい樋を使って、地中の中の樋下部の、小さい排水口を通して、地中の中に浸透させるか、又は、部材と梁に、断面積の大きい樋を設置して、山の下部まで運んでいく、又は、並用して、火山灰とは別に、大雨の水を処理し、土石流など、二次被害を防ぐもの。
噴火時、骨組が、火口に、いくつも落下しても、シートを開いた状態が保てるように、骨組同士全体に、帯状の補強材を、つなげることで、骨組の上下左右を一体化させ、噴火口の中でも、開いた状態を、維持させる。
火山噴火時、自動や手動で、重り付きシートが可動して、屋根、壁を作るもので、管理や有効利用のため、階段、通路、スロープ、エレベータ、監視カメラ、避難用通路、避難用スベリ台、発電設備、畜電設備、送配電設備、骨組の上に屋根を作ると、観光施設、宿泊施設、研究施設を作ることができ、平時は場所により、トンネルを交通に使うことが、できる骨組。
【請求項６】
骨組の利用法５  骨組を、火山の入山規制されている場所に使うと、噴火の起こりそうな場所の、硬い地盤、又は岩盤まで、杭を打ち、柱、梁、斜め材で骨組を作り、杭の中、骨組内の要所、骨組同士の接合部にクッション材を入れる。
山の頂上側に対して、立方体のような骨組を、上下左右に並べ、骨組の頂上側（上側）の面と、反対側（下側）の面の、山の頂上側に、仮りに、格子状の骨組を２枚、仮りに、１ｍ離して、箱状にしたもの（以下、板状の骨組）を、上部に、ワイヤーなど、ひも状のもの、下部に、回転軸を設置して、骨組と一体化させる。
板状骨組の上部の屋根の下に、重り付きシートを巻いたものを固定し、雪が附着しないようにして、噴火時、誘導管、補助管なしで落下させ、ワイヤーなど、ひも状のものを伸ばし、回転軸によって、地面に倒し、噴火口を塞ぐもので、作動は、自動や手動による。
管理や有効利用のため、階段、通路、監視カメラ、スロープ、発電設備、畜電設備、送配電設備、倉庫のある骨組（図５）
【請求項７】
骨組の利用法６  骨組を火砕流に使う時は、火砕流が流れ落ちてくる山の下部で、住宅地の上部の位置に、火砕流より高い高さで、硬い地盤、又は岩盤まで杭を打ち、柱、梁、斜め材で骨組を作り、杭の中、骨組内の要所、骨組同士の接合部にクッション材を入れ、骨組の上部に屋根を作り、山を囲むように配置する。
骨組の山側、屋根の先端でなく、数ｍ内側の、雪の影響のない屋根の下に、重り付きシートを、巻いた状態で固定し、誘導管も補助管も使用せず  噴火時、自動や手動で降ろす。
カルデラ噴火の時は、高さを１０００ｍ以上として、マグマだまりより広い範囲で、マグマだまりを囲むように、骨組を配置することで、カルデラを囲む壁とする。
カルデラを囲む壁の内側は、仮りに、５０ｋｍ四方と考え、５０ｋｍ四方分の屋根を作る。硬い地盤までの杭と、杭の上部を梁で結び、柱、梁、斜め材で、高さ、１０００ｍを超える骨組を作り、仮りに、高さ２００ｍごとに、人工地盤を５層作り、杭の中、骨組内の要所、骨組同士の接合部、人工地盤の必要部に、クッション材を入れ、１０００ｍの高さを、５つの空間に別ける。
５層の人工地盤を、柱、梁、斜め材で支え、人工地盤の中を地下、人工地盤の上を地上として、有効利用すると伴に、柱、梁、斜め材も、建物施設として有効利用し、カルデラ噴火時は、５層の人工地盤によって、５０ｋｍ四方の、噴煙の上昇を防ぎ、横に逃げる噴煙や火砕流は、カルデラを囲んだ壁や、５層の各階の必要場所に、利用法２１と２２の津波用の落下式堤防と回転式堤防を、高さ２００ｍ分、必要量、設置して止める。
カルデラ噴火の前には、交通機関によって、前もって、居住者全員を、避難させておくことで、もしも、マグマだまりに、５０ｋｍ四方、１０００ｍ分の空間が、落ちたとしても、骨組の形を維持させることで、噴煙の上昇を防ぐことができる。
５層それぞれの、人工地盤の下側は、薄いモニターを貼り、屋上に設置したカメラで、空模様を中継したり、又は、空の色の変化や、太陽の位置による日陰の変化を、作ることもできる自動的な照明を、設置すると伴に、落下物の事故防止のため、利用法１のネットを利用する。
管理や有効利用のため、階段、通路、倉庫、避難場所、避難通路、エレベータ、スロープ、監視カメラ、消防設備、クレーン設備、発電設備、畜電設備、送配電設備、自動車、電車など交通機関、オフィスやマンションなど建物施設、観光施設、宿泊施設、スポーツ施設、レクリエーション施設、学校施設、研究施設、物流施設、商業施設、工業施設、農業施設のあるもので、人間の生活と居住に必要な、設備と施設のある骨組。
【請求項８】
骨組の利用法７  骨組を火山の急傾斜地に使うと、火山の急傾斜地を、峰ずたいと、中腹などに別けて、硬い地盤、又は岩盤まで杭を打ち、柱、梁、斜め材で骨組を作り、杭の中、骨組内の要所、骨組同士の接合部にクッション材を入れる。
骨組の上に、重り付きシートを巻いた状態で固定し、重り付きシートの上には、屋根を付け、雪に備える。
重りには、車輪やローラー、又は、そりを付け、先端は上に向け、引っ掛かりをなくす
山の下部に設置した機械と、重り付きシートの重りを、帯やひも状のもので結んでおき噴火時、噴火口に近い重り付きシートを、自動や手動で、固定を解除し、落下させ、車輪やローラー、又は、そりによって、重り付きシートを噴火口に向って、移動させると伴に噴火口に近い、山の下部からも、機械によって引っ張り、噴火口の上部に大きく、屋根をかけるように降ろし、噴煙、噴石の上昇を防ぐ。
管理や有効利用のため、階段、通路、監視カメラ、スロープ、機械設備、発電設備、畜電設備、送配電設備、倉庫のある骨組。
【請求項９】
骨組の利用法８．骨組を、既に、噴火中で、火口に近よれず、火口近くに骨組を作ることができない時に、使うと、硬い地盤、又は岩盤まで杭を打ち、柱、梁、斜め材で骨組を作り、杭の中、骨組内の要所、骨組同士の接合部にクッション材を入れる。
山の中腹（山の上部の火山灰と、山の下部の樹木との中間辺り）と、樹木より下部の住宅地の山側に、火山を２重に囲むように、骨組を作り、新しい場所の噴火や、既に噴火中の火口の、より大きな噴火に備える。
骨組上部の屋根に、シートを収納しておくと伴に、機械を設置する。
噴火時、噴火口の近くの骨組の屋根より、帯又は、ひも状のものを、誘導ロケット、又は、リモコンの飛行物（以下、ロケット）に付けて、噴火口の反対側の骨組に飛ばし、反対側の骨組の上の機械と結ぶ。
ロケットを飛ばした方では、帯又は、ひも状のものをシートに結び、反対側から、帯又は、ひも状のものが、機械によって、引き上げられ、ロケットを飛ばした方の骨組上部から、シートが、火口に向って移動して、噴火口を塞ぐ。
反対に、山の下部の、樹木の方で噴火した時は、樹木の方に、ロケットを飛ばし、住宅地の山側に作った骨組の上の機械で、引っ張るもの。
シートは、マグマの熱にも耐えられるもので、先端が上を向いていて、引っ掛かりをなくすもの。
又は、シート自身が、帯又は、ひも状のものに沿って、噴火口まで、自動で上ってゆき噴火口を塞ぐもの。
管理や有効利用のため、階段、通路、スロープ、監視カメラ、倉庫、エレベータ、機械設備、発電設備、畜電設備、送配電設備、観光施設、宿泊施設、研究施設、がある骨組。
【請求項１０】
骨組の利用法９  骨組を土砂災害防止に使うと、まず、土砂災害の起こりそうな山を間伐して、山の下部より、帯を、山の上部に向って伸ばし、頂上を越えて、反対側の山の下部まで、必要本数、山全体を覆うように伸ばしてゆき、横にも伸ばし、縦の帯と横の帯をつなげ、仮りに格子状にして、仮りに、１０ｍごとに、硬い地盤、又は岩盤まで杭を打ち固定する（図２）。
その格子状の帯は、内部に仕切りを入れたもので、人間が上を歩ける、強度のもので、木と木の間が広い所では、横に帯を部分的に増設し、なるべく広い幅にして、高さ、仮りに５０ｃｍとし、急傾斜の所では、階段状にして（図２）、帯上部はメッシュ状で、水分しか入らない位の目の小さいものにして、内部は、仕切りを入れて、人間が上を歩ける強度のものとし、帯上部に降った雨を、全て中に入れ、帯の底部には、小さい排水口を設け、仮りに、２〜３日かけて、山の地表面や、硬い地盤、又は岩盤まで打ち込んだ、杭の中の小さい排水口を通して  山の内部に浸透させてゆくものとし、又、格子状の帯から、近くの木、一本一本に、ひも状のものや、帯と同じく、小さい排水口を設けたひも状のものを木の成長を見越して、木の上下など必要箇所に、巻き付け固定する（図２）。
上記、格子状の帯と、ひも状のものを設置した後、土砂災害の起こりそうな住宅地の上部山に、硬い地盤、又は岩盤まで、杭を打ち、柱を建て、梁、斜め材で、必要な数だけ、骨組を作り、杭の中、骨組内の要所、骨組同士の接合部にクッション材を入れ、仮りに、梁の長さと同じ位のシートの先端に、棒状の重りを付けたもの（以下、重り付きシート）を、上部梁に、巻いた状態で固定し、上部梁から、山の斜面の下部梁に、部材を架け渡し（図２）。その部材に、重り付きシートの重りの両端をスライドさせて、斜めに降ろしていくための斜めの誘導管を、設置する。
同じ傾きで、上部梁から下部梁に、シートを安定させるため、重り付きシートを上下に挟む形で、斜めの補助管を架け渡し、斜めの補助管の上下の間に、重りを滑らせ、屋根を作る。
下部梁に、水が外に、こぼれないように、箱形の樋を設置し、円柱状で取替えのできる仕切りの入った、ビニール状容器（以下、ビニール状容器）を入れた、断面積の大きい樋を、柱の近くに設置し、地中の中まで埋めて  大雨の水を誘導し、流し込み、断面積の大きい樋から、地表の帯や、小さい排水口を設けたひも状のもの、帯を固定するための杭の下部の排水口、地中の中まで埋めた断面積の大きい樋の下部の小さい排水口を通して、仮りに、２〜３日かけて、地表や地中に浸透させていくものであり、断面積の大きい樋が一杯になると、予備のビニール状容器を入れた、断面積の大きい樋に、誘導していくもの。
山火事を止めるため、梁の下の壁の部分は、柱に、梁と平行に、補助管を何本も設置し柱には、重りが、補助管を編むように降りていくための、波形の誘導管を設置する。
屋根には、中央部附近を、上方に折り曲げた、山形の誘導管と、山形の補助管、壁には柱と平行に、直線的に降ろす、直線的誘導管と直線的補助管も、使えるものである。
又、壁は、誘導管、補助管なしで、直接、降ろすことができるもの
雨に関係なく、地震によって起こる土砂崩れは、骨組の、硬い地盤、又は岩盤まで打ち込んだ、杭と杭の山側に、地下水を通す穴を開けた板状のものを設置、杭と杭によって、板状のものを支え、土砂を止める。
地面より上の部分に流れ落ちてきた土砂は、山火事を止めるための、重り付きシートを誘導管も補助管も使わず、自動や手動によって、骨組の山側に降ろし、壁としたり、又は利用法２２の回転式堤防を使う、と伴に、山の山頂や峰を越えて、山の反対側まで設置した帯や、帯から伸ばした、ひも状のものを、骨組の柱の上下に、固定することで、土砂崩れの力を、帯を使って、山全体で支え、止めるもの。
骨組の、柱の高さを変え、屋根に傾きをもたせ、帯や、ひも状のものの替わりに、道路や歩道の地下に、一時的貯水機能をもった空間を作ると、平地でも使えるものとなる。
下流の河川の洪水防止や、下水道の負担軽減のために、河川の上流地域の、平地に降った大雨を、坂道や平地の道路や歩道の地下に、仮りに、２〜３ｍ位の深さの、仕切りの入った空間を作り、大雨を流入させる。
平地に作った骨組の断面積の大きい樋は、地中の中まで埋めずに、仮りに、２〜３日かけて、樋下部より、道路や歩道の地下の空間に誘導し、予備の断面積の大きい樋に入り切らない大雨も、道路や歩道の地下の空間に誘導し、道路上を流れてきた大雨も、側溝上部の排水口から、道路や歩道の地下の空間に誘導する。
例えば、坂道の道路の地下の空間は（図３）であり、（図３）の各仕切りの下水道側の下部に、仮りに、２〜３日かけて、下水道や、河川に至る排水路に、排出するための、小さい排出口を作り、仕切り１が一杯になった時、仕切り１の上部より、隣りの、仕切り２に、水が入っていくものであり、空間そのものは、硬い地盤まで、クッション材を入れた杭を打ち、固定させるもの。
山の斜面や平地での骨組は、必要なだけ増やしていくものであり、管理や有効利用のため、階段、通路、スロープ、監視カメラ、消防設備、発電設備、畜電設備、送配電設備がある骨組。
【請求項１１】
骨組の利用法１０、骨組を、平地や傾斜地の住宅地で、大雨の後の、長時間の地震による液状化で、平地や傾斜地全体が、地滑りするようなおそれのある場所に使うとすると、住宅地造成時、硬い地盤、又は岩盤まで、杭を打った骨組に、人工地盤を作り、建物、道路、歩道など、全て載せ、液状化で地滑りが起ったとしても、骨組の杭によって、人工地盤が、そのままの位置に残るようにするもの。
人工地盤に地震動を伝えないようにするため、人工地盤の周りと、人工地盤の下の硬い地盤、又は岩盤まで、人工地盤から必要箇所に、溝を深く掘り、仮りに、仕切りの入ったエア、マットなどのクッション材を、人工地盤と一体化させ、溝に入れることで、人工地盤の下の硬い地盤、又は岩盤を伝わる地震動を吸収させ、又、人工地盤そのものの要所にも、クッション材を入れるもの。
住宅地内の個々の建物の耐震のため（図２）、人工地盤と一体となった、高さ、仮りに１．５ｍの立ち上げ部分の中に、建物を作り、建物の１階部材接合部の変形を防ぐ。
床下換気口や開口部の位置、それぞれの家の形、間どりによって、立ち上げ部分の、厚さや高さなどの形状は、必要により変えたとしても、１階部材接合部の変形を防ぐための強度は、維持する。
２階、３階なども、部材接合部の位置に、直接又は、壁の外側から、仮りに、１．５ｍ位の接合部を固定する帯状、又は、板状のものを周し、２階、３階の部材接合部の変形を防ぐ（図２）。
隣地境界線の上に、硬い地盤、又は岩盤までの杭を打ち、柱を建て、梁、斜め材で、人工地盤全体に骨組を作り、骨組から、建物の外壁に、クッション材の付いた梁を伸ばし、骨組全体の力で、個々の建物を耐震させる（図２）。
杭の中、骨組内の要所、骨組同士の接合部にクッション材を入れる。
隣地境界線上に、個々の建物の敷地の壁を作るため、骨組の各梁に、重り付きシートを巻いたものを設置して、梁と平行に、柱と柱の間に、補助管を設置する。
柱には、重りの両端が、スライドして、補助管を編むように降ろすための、波形の誘導管を設置することで、敷地を囲う壁を作る。
道路、歩道や敷地の屋根を作るため、重り付きシートが、骨組の上部梁から、道路、歩道や建物の屋根の上を、斜めに降りていくように、梁１の両端と梁２の両端に、斜めの部材を架け渡し（図２）、斜めの部材に、斜めの誘導管を設置する。
重り付きシートを安定させるため、斜めの誘導管と同じ傾きで、仮りに、２ｍ間隔で、重り付きシートを上下に挟む形で、梁１から梁２に、斜めの補助管を架け渡す。
誘導管と補助管は、山形の誘導管と山形の補助管、壁は、直線的誘導管と直線的補助管も使えるもので、屋根、壁は、自動や手動で降ろすもの。
シートを降りてきた火山灰、大雨、大雪を、梁２に付けた、箱形の樋で、柱２や柱３の近くに付けた、ビニール状容器の入った、断面積の大きい樋に誘導し、下部の小さい排出口より、仮りに、２〜３日かけて、排出するもの。
骨組と重り付きシートは、火に強く、断面積の大きい樋は、ビニール状容器を入れたもので、一時的貯水機能を有するが、貯水漕として、水を溜めるものではなく、常に、小さい排出口より、排出しているものであり、もし、水が一杯になると、予備のビニール状容器の入った、断面積の大きい樋に、誘導するものであるが、雪、火山灰の処理のために、小さい排出口を大きくしたり、暖め雪を解かすことができるもの。
雪の落下事故を防ぐため、又、重り付きシートをスムーズに降ろすため、誘導管、補助管、梁などに、雪が、積もらないように、雪の時だけ、必要場所を、暖める、又は、滑りやすい塗料を塗る、又は滑りやすい素材を使う、風圧で飛ばす、振動させる、などで、雪の附着を避けるもの。
又は、隣地境界線に、個々の建物の屋根と壁を作るのでなく、住宅地の一定の広さごとに、屋根と壁を降ろし、集中コントロールすることもできるもの。
管理や有効利用のため、階段、通路、スロープ、消防設備、発電設備、畜電設備、送配電設備、クレーン設備、監視カメラのある骨組。
【請求項１２】
骨組の利用法１１  骨組で建物を吊り上げると、液状化による地盤沈下を原因とする、建物の傾斜による破損の防止ができる（図５）。
敷地の必要場所に、硬い地盤までの杭を打ち、杭の上部を梁で結び、柱を建て、梁、斜め材により、建物の周りに、骨組を作り、杭の中、骨組内の要所にクッション材を入れる。
建物の外壁の各階の最適場所に、帯状のもの、又は板状のものを周し、固定し、帯状のもの、又は板状のものから、骨組の柱に向って  帯状のものによって吊り上げるようにして、固定する。又は、地面から建物を浮かせ、骨組と建物の間に、クッション材を入れる。
重り付きシートを巻き付け固定した、上部梁の両側の柱から  仮りに、４５度位の角度で、斜め材を架け渡し、斜め材に、斜めの誘導管を付け、斜め材の下部の位置に、下部梁を設置し、箱形の樋と、柱の近くに、ビニール状容器の入った、断面積の大きい樋と、予備の、ビニール状容器の入った、断面積の大きい樋を設置する。
重り付きシートを安定させるため、上部梁から下部梁に、仮りに、２ｍ位の間隔で、重り付きシートを、上下で挟むように、斜めの補助管を架け渡し、上下の間に、重り付きシートを、降ろして屋根とする。
骨組と重り付きシートは、火に強く、断面積の大きい樋は、ビニール状容器を入れたもので、一時的貯水機能を有するが、貯水漕として、水を溜めるものではなく、常に、小さい排出口より、排出しているものであり、もし、水が一杯になると、予備のビニール状容器の入った、断面積の大きい樋に、誘導するものであるが、雪、火山灰の処理のために、小さい排出口を大きくしたり、暖め雪を解かすことができるもの。
雪の落下事故を防ぐため、又、重り付きシートをスムーズに降ろすため、誘導管、補助管、梁などに、雪が、積もらないように、雪の時だけ、必要場所を、暖める、又は、滑りやすい塗料を塗る、又は滑りやすい素材を使う、風圧で飛ばす、振動させる、などで、雪の附着を避けるもの。
壁は、各梁に、重り付きシートを巻いた状態で固定して、波形の誘導管と補助管、又は直線的誘導管と直線的補助管により、重り付きシートを降ろし、壁とする。
屋根は、山形の誘導管と山形の補助管も使えるもので、屋根と壁は自動や手動で降ろし、通路、階段、発電設備、畜電設備、送配電設備がある骨組。
上記の骨組を、高架の交通機関での液状化や、橋脚のコンクリートの、はがれ落ちが起きた時にも使い、橋桁を、骨組の柱で、吊り上げ支え、又、石油コンビナートでの液状化では、石油や化学物質の貯蔵タンクを、１つ１つ、柱に、吊り上げ固定することで、火災が起きたとしても、骨組の上から、自動、又は、防火壁に囲まれた通路からの、手動による消火が可能となり、壁と屋根で囲えば、延焼や爆発の、被害の軽減が可能となるもの。
エレベータのある建物では、エレベータ棟の硬い地盤までの杭の中と、エレベータ棟の骨組内の要所に、クッション材を入れ、エレベータ棟を耐震し  エレベータ棟と建物を独立させ、エレベータ棟と建物の間に、クッション材を入れ、エレベータ棟の上部と建物屋上の角や、屋上側面の必要箇所、建物外壁の必要箇所を、帯、又は、ひも状の物で、エレベータ棟の上部に、吊り上げるようにして結び、横揺れを、減少させるもの。
【請求項１３】
骨組の利用法１２  骨組をアンダーパスの上に使うとすると、硬い地盤までの杭と、杭の上部を梁で結び、柱、梁、斜め材で骨組を作り、杭の中、骨組内の要所、骨組同士の接合部にクッション材を入れ、斜めの誘導管と斜めの補助管、又は山形の誘導管と山形の補助管によって、自動や手動で、梁に巻いた状態で固定した重り付きシートを降ろして、屋根を作り、屋根部分下部の梁に設置した、箱形の樋によって、ビニール状容器の入った、断面積の大きい樋に、火山灰、大雨、大雪を誘導し、又、下り坂の上部に、溝を作り、大雨の水が、坂道の下に、流れていかないように、近くの下水道に誘導するもの。
骨組と重り付きシートは、火に強く、断面積の大きい樋は、ビニール状容器を入れたもので、一時的貯水機能を有するが、貯水漕として、水を溜めるものではなく、常に、小さい排出口より、排出しているものであり、もしも、水が一杯になると、予備のビニール状容器の入った、断面積の大きい樋に、誘導するものであるが、雪、火山灰の処理のために小さい排出口を大きくしたり、暖め、雪を、解かすことができるもの。
雪の落下事故を防ぐため、又、重り付きシートをスムーズに降ろすため、誘導管、補助管、梁などに、雪が、積もらないように、雪の時だけ、必要場所を、暖める、又は滑りやすい塗料を塗る、又は滑りやすい素材を使う、風圧で飛ばす、振動させる、などして、雪の附着を避けるもの。
管理や有効利用のため、階段、通路、監視カメラ、消防設備、クレーン設備、発電設備畜電設備、送配電設備が、ある骨組。
【請求項１４】
骨組の利用法１３  骨組の上に緑の屋根を作るとすると、道路や歩道の上に、硬い地盤までの杭を打ち、杭の上部を梁で結び、柱、梁、斜め材で、骨組を作り、杭の中、骨組内の要所、骨組同士の接合部にクッション材を入れる。
硬い地盤まで打ち込んだ、杭と杭の上部を結んだ梁より、必要場所に、硬い地盤まで、溝を掘り、硬い地盤まで打ち込んだ杭と杭の上部を結んだ梁に、固定した状態で、仮りに仕切りの入ったエア、マットなどのクッション材を入れる。
日陰を作るため、骨組の上部に、仮りに、３０ｃｍ四方のネットをかけ、固定し、植物を成長させる。
必要時、ネットの上、又は、下に、梁に巻いた状態で固定した重り付きシートを、斜めの誘導管と斜めの補助管により、自動や手動で降ろし、屋根を作り、屋根部分下部の梁に設置した箱形の樋で、柱の近くに設置した、ビニール状容器の入った、断面積の大きい樋に、火山灰、大雨、大雪を誘導する（図３）。
壁面の梁に、巻いた状態で固定した重り付きシートを  波形の誘導管と補助管で、自動や手動で降ろし、壁を作り、延焼を防ぐ、と伴に、建物からのガラスの飛散を防止する。
屋根は、山形の誘導管と山形の補助管、壁は、直線的誘導管と直線的補助管も使えるもので、骨組と重り付きシートは、火に強く、断面積の大きい樋は、ビニール状容器を入れたもので、一時的貯水機能を有するが、貯水漕として、水を溜めるものではなく、常に、小さい排出口より、排出しているものであり、もし、水が一杯になると、予備のビニール状容器の入った、断面積の大きい樋に、誘導するものであるが、雪、火山灰の処理のため小さい排出口を大きくしたり、暖め、雪を、解かすことができるもの。
雪の落下事故を防ぐため、又、重り付きシートをスムーズに降ろすため、誘導管、補助管、梁などに、雪が、積もらないように、雪の時だけ、必要場所を、暖める、又は、滑りやすい塗料を塗る、又は、滑りやすい素材を使う、風圧で飛ばす、振動させる、などして雪の附着を避けるもの。
骨組は、建物との間に、直接、クッション材を設置したり、又は、クッション材を梁に付けて、建物に伸ばし耐震させる。
管理や有効利用のため、階段、通路、スロープ、エレベータ、避難場所、避難通路、倉庫、監視カメラ、クレーン設備、消防設備、発電設備、畜電設備、送配電設備、商業施設工業施設、農業施設、物流施設、研究施設、学校施設、オフィスやマンションなどの建物施設、医療施設、福祉施設、観光施設、宿泊施設、スポーツ施設、レクリエーション施設自動車、電車などの交通機関の設置が可能な骨組。
【請求項１５】
骨組の利用法１４  骨組を、乾燥、砂漠に使うと、海の中から、乾燥、砂漠地帯まで、トンネルを掘り、土の中に、塩分、有害物質が浸透しないように、トンネル表面をコーティングする。
地下の施設で、海水から、塩分、有害物質を取除いて、発電設備を使い、地上まで水を揚げ、貯水池や湖を作り、水を引いて、植物、農作物商品、樹木を作り、緑化する。
又は、発電設備で、地表の施設に海水を揚げ、塩分、有害物質を取除く。
乾燥、砂漠地帯の、風や日射、夜の冷気など自然条件から、植物を守るため、硬い地盤まで杭を打ち、杭の上部を梁で結び、柱、梁、斜め材で、骨組を、２重に作り、杭の中、骨組内の要所、骨組同士の接合部にクッション材を入れる。
骨組と骨組の間には、重り付きの透明、又は半透明のシートを、巻いた状態で、各梁に設置して、斜めの誘導管と斜めの補助管、又は、山形の誘導管と山形の補助管で、屋根を作り、波形の誘導管と補助管、又は、直線的誘導管と直線的補助管によって壁を作る。外側の骨組は、屋根の各梁に、重り付きシートを巻いたものを固定して、斜めの誘導管と斜めの補助管、又は、山形の誘導管と山形の補助管により、屋根を作り、壁を作るため、各梁に、重り付きシートを巻いたものを設置して、波形の誘導管と補助管、又は、直線的誘導管と直線的補助管によって、必要な場所に、必要な広さの、屋根と壁を、自動や手動で作るもので、砂漠、乾燥地帯の緑化だけでなく、人間も住める環境を作る。
管理や有効利用のため、階段、通路、エレベータ、スロープ、倉庫、監視カメラ、消防設備、クレーン設備、発電設備、蓄電設備、送配電設備、自動車、電車などの交通機関、オフィスやマンションなどの建物施設、スポーツ施設、レクリエーション施設、観光施設宿泊施設、畜産や養殖や加工施設、研究施設、学校施設  医療施設、福祉施設、商業施設工業施設、農業施設、市場、物流施設が、ある骨組。
【請求項１６】
骨組の利用法１５、骨組の利用法１４の、貯水池、湖を作った後、骨組を使って、高さ１０００ｍ以上の階段状の構造物を作り、一段ずつ、植物や農作物商品を、構造物上部まで作り、貯水池や湖から  水を引いて、構造物上部より用水する。
構造物は、硬い地盤まで杭を打ち、杭の上部は梁で結び、柱、梁、斜め材で、ピラミッドのような形の骨組にして、山脈のように長く伸ばし、何十本も並べる。
杭の中、骨組内の要所、骨組同士の接合部にクッション材を入れ、地震や強風に耐えるようにして、構造物と構造物の間は、養殖、畜産、放牧に使う。
砂漠の砂、石、砂から作ったレンガで、階段状の部分を作り、植物、樹木、農作物商品を育てる。
階段状の外側の部分は、乾燥、砂漠地帯の自然条件から、植物を守るため、骨組を２重にして、骨組と骨組の間には、各梁に  重り付きの透明、又は、半透明のシートを巻いた状態で設置して、ビニールハウスと同じ役目をさせ、２重にした骨組の、外側の各梁に重り付きシートを巻いたものを設置し、両方とも、屋根は、斜めの誘導管、と斜めの補助管又は、山形の誘導管と山形の補助管、壁は、波形の誘導管と補助管、又は、直線的誘導管と直線的補助管を使う（図５）。
管理や有効利用のため、階段、通路、スロープ、エレベータ、監視カメラ、消防設備、クレーン設備、採光設備、構造物の上まで水を運ぶポンプ設備、撒水設備、防水設備、階段状部分の上から、横や下に続く用水路と通路や階段やスロープ、作業用エレベータ、発電設備、畜電設備、送配電設備、電車や自動車などの交通機関、オフィスやマンションなどの建物施設、商業施設、工業施設、農業施設、市場、物流や加工施設、学校や研究施設スポーツやレクリエーション施設、観光や宿泊施設、医療や福祉施設があるもので、乾燥砂漠地帯の緑化の面積を減らさないため、電車や自動車などの交通機関は、構造物内部や地下に、トンネルを作り入れる骨組。
地震時のトンネルの、壁の落下事故を防ぐため、トンネルの形に合わせて、柱、梁、斜め材、円形の材料などで骨組を作り、硬い地盤まで、杭を打ち、杭の中、骨組内の要所、骨組同士の接合部にクッション材を入れる。
トンネルの壁と骨組の間に、ネットを入れて固定し、地震時の壁の崩落と骨組による、トンネルの耐震を行う。
構造物の内部や、地下部分のトンネルに、電車や自動車を通すと、風景が見えず、しかも、長時間、壁のままであると、ストレスを感じ、又、単調となり、事故の原因となるので、構造物の上部に、カメラを並べ、並べた場所から見える風景を、カメラの下を通過する電車の、窓に設置したモニターに中継したり、又、電車を通すトンネルの壁に、モニターを設置して並べ、その地点の構造物上部から見える風景を、その下のトンネルのモニターに中継する。
そうすることで、構造物や地下のトンネルを走っていても、構造物上部を走っているように感じることができる。
車を通すトンネルも、壁にモニターを設置して並べ、構造物上部から見える風景を、中継する。
もしくは、構造物の上部に、電車や自動車などの交通機関を、実際に走らせて、風景を視ることができるようにするもの。
又、モニターの風景は、その地点の中継でなく、他の場所の中継でもよいし、又、その他の場所、例えば、海の中、宇宙などの録画でもよいもの。
【請求項１７】
骨組の利用法１６  骨組を海の上で使うと、海の上で、仮りに、円筒状の容器に、仕切りの入ったビニール状の容器に、空気を入れたもの、を入れ、浮力として、海に浮かせ、柱、梁、斜め材を使い、仮りに、高さ５００ｍ位の骨組を作り、骨組内の要所、骨組同士の接合部にクッション材を入れ、５００ｋｍ四方の島状の構造物を作り、大型船が通行できる、海水面上、２００ｍ位の所に、必要な面積の人工地盤を作り、その上の、仮りに、３００ｍの高さに、屋根として、開閉式のソーラーパネルや、重り付きシートによる屋根（斜めの誘導管と斜めの補助管、又は、山形の誘導管と山形の補助管を使う）を設置してその上に、風力発電を設ける、（図３）。
落下物のおそれのある所には、利用法１と同じネットを張っておく。
島状構造物の外周など、必要場所に、柱と柱の間に、梁と平行に補助管を、仮りに、５ｍ間隔で設置して、各梁に巻いた状態で設置した重り付きシートを、波形の誘導管と補助管によって、自動や手動により、降ろすことで、開閉式の壁を作り、強風を調整させる。
ソーラーパネルの高さの位置で、島状構造物の外周に、仮りに、１０００ｍ位の張り出しを作り、仮りに、円筒状の容器による浮力と、柱、梁、斜め材で、張り出しを支え、台風時の上昇気流を防ぐ。
台風時、５００ｋｍ四方の、日陰げを作ると伴に、発電設備、畜電設備によって、ポンプなどで、海底まで伸ばしたホースにより、冷たい海水を海水面に吸い上げ、海水面の温度を下げ、水蒸気を減少させ、台風発生時より、台風の目の中に入り、ホースで、冷たい海水を吸い上げながら、台風の目と伴に移動して、台風の発達をコントロールするもの。
平時は、海底の資源掘削、プレートとプレートの接合部を削って、ガス抜きをするように、小さい地震を起こさせ、大きい地震を防ぐものであり、日本海側で、海水温の上昇を防ぐと、大雪を減少させるものであり、壁は、直線的誘導管と直線的補助管も使えるもので、島状構造物本体の移動のための設備、太陽光、太陽熱、風力、火力、バイオ、水素、潮力、潮流などの発電施設、畜電施設、送配電施設、飛行場、道路、港、鉄道などの交通機関、学校や研究施設、スポーツやレクリエーション施設、公園、森、田、畑、果樹園などの農林施設、商業施設、工業施設、養殖場や牧場や加工場などの畜産施設や水産施設、海水や雨水の淡水化や再利用の設備施設、オフィスやマンションなど建物施設、観光や宿泊施設、防衛施設、市場や物流施設など、人間の生活と居住に必要な設備と施設を備えたもので、カルデラ噴火などの大災害に対する、避難場所となる骨組。
オフィスやマンションなどの建物施設は、建物と建物の間に  柱、梁、斜め材、クッション材による骨組を使い、建物と建物をつなぎ、一体化させ、建物と建物を結ぶ通路として使うと伴に、津波や台風の力に対しても、建物群を安定させる役目をさせる。
開閉式の壁やソーラーパネル、重り付きシートの屋根は、自動や手動で作動させるものであり、仮りに、１００ｋｍ四方の大きさにして、複数、台風の進路に、あらかじめ並べ日陰を作ることと、海底からの冷水を、汲み上げることで、前もって、水蒸気の量を減らしながら、常に、台風の進路に、移動するような形で、台風を小さくしていくもの。
更には、台風の進路と思われる各場所に、多数、島状構造物を、あらかじめ配置して、台風の近づきに伴に、日陰を作り、海底より、冷水を汲み上げて、水蒸気の量を減らし、台風の進路と大きさを、コントロールするもの。
しかし、海底の水温の高い時や、水深の浅い場所では、冷水の効果はでないので、その対策としては、仮りに、南極と北極などの冷水を、仮りに、直径５００ｍの送水管で結び網状にネットワークを作り、西太平洋やインド洋などの、海水温の高い場所の海底や海中に、多数、配置する。
送水管は、プロペラで冷水を移動させ、クッション材を入れた骨組によって囲い、送水管自体も、必要箇所に、クッション材を入れ、骨組と送水管の間も、クッション材を入れ安定させたもので、ホースと同じく、断熱性の高いもので、骨組は、発電設備、送配電設備、畜電設備があり、網状の形成や調整のため、骨組自体の移動設備のあるもの。
送水管の利用法１は、台風の発生、近づきに伴い、ホースとポンプを備えた大型船や、仮りに、１００ｋｍ四方の島状構造物を、多数、台風の進路と思われる場所に移動させ、ホースを多数、伸ばし、送水管と多数、連結させ、ポンプなどで、冷水を吸い上げ、台風の進路と思われる場所を、前もって冷やすもの。
送水管の利用法２は、島状構造物を作らずに、骨組で囲った送水管を、網状に配置して骨組を、浮力によって、海中に浮かせ、仮りに、海上１００ｍの高さまで、骨組を伸ばし船の通行を確保した上で、ホースとポンプを備えた大型船を移動させたり、送水管から、骨組を通して、海上の必要場所に、自動や手動で、冷水を吸い上げ、海水面を冷やすもので、海上１００ｍの骨組は、島状構造物と同じ設備、施設のあるもの。
島状構造物と送水管は、台風に限らず、大雨、猛暑、乾燥、砂漠化による被害を小さくするため、海水温の高い場所に使い、水蒸気の量を増やさないもの、又
島状構造物と送水管は、人工地盤の上に、利用法１５の階段状の構造物を作ることもでき、日陰を作ると伴に、ＣＯ２の吸収をすることができるもの。
【請求項１８】
骨組の利用法１７  骨組を河川に使い、吊り上げ式の堤防を作ると、川の中や周辺に、硬い地盤、又は、岩盤までの杭と、杭の上部を梁で結び、柱、梁、斜め材で骨組を作る。
杭の中、骨組内の要所、骨組同士の接合部にクッション材を入れる。
川岸に建てた柱と柱を梁で結び、梁に重り付きシートを、巻いた状態で固定、柱から対岸の柱に、仮りに、４５度位の角度で、斜め材を架け渡し、梁でつなぐ。
斜め材に、重りの両端をスライドさせる、斜めの誘導管を設置する。
必要時、自動や手動により、固定を解除して、対岸の梁に、重り付きシートをスライドさせ、シートを開かせると同時に、シートの中程に付けた重り、又は、シート自体の重さにより、シートが護岸に沿って、川底近くまで沈み、柱と梁によって、シートが、吊り上げられる形にして、川の堤防とする（図５）。
重りの位置や、シートの長さは、その場所により決める。
シートは内側に、仕切りを入れ、補強する。
シートは、川岸の従来の堤防より、外側に開くものとする。
骨組の壁の部分は、梁に巻いた状態で固定した重り付きシートを、直線的誘導管と直線的補助管、又は、波形の誘導管と補助管で、壁を作り、予備的に使う。
又、重り付きシートは、４５度位に、スライドさせるのでなく、対岸より水平に、自動又は、手動により、引寄せることができるもの。
管理や有効利用として、発電設備、畜電設備、送配電設備、通路、階段、スロープ、監視カメラ、倉庫、対岸に渡る橋がある骨組。
【請求項１９】
骨組の利用法１８（図５）  骨組を使って、河川の上に水路を作るとしたら、川の中や周辺に、硬い地盤又は、岩盤までの杭と、杭の上部を梁で結び、柱と梁、斜め材で骨組を作り、杭の中、骨組内の要所、骨組同士の接合部に、クッション材を入れる。
川岸に建てた柱と柱を梁で結び、梁に重り付きシートを巻いた状態で固定、柱から、対岸の柱に、仮りに、４５度位の角度で、斜め材を架け渡し、梁でつなぐ。
斜め材に、重りの両端をスライドさせる、斜めの誘導管を設置する。
川岸の従来の堤防より高い位置で、川の上に、骨組の一部として、底辺と側面からなる箱形の骨組を作り、洪水時、自動や手動により、固定を解除して、対岸の梁に、重り付きシートをスライドさせ、シートを広げ、箱形の骨組の上に、シートに付けた重り、又は、シート自身の重さによって、シートを降ろし、水路を作る。
川の上流に小さいダムを作り、水位を上げ、ダムから箱形の水路に、水流を切り替え、流し、川と箱形の水路の、水量を調整して、川岸の、従来の堤防の、破壊を防ぐ。
又、箱形の骨組を作らず、柱と柱の間に、シートを吊り下げるようにして、川の上に水路を作るもの。その時は、シートに仕切りを入れ、補強する。
骨組の壁の部分は、梁に、重り付きシートを巻いたものを固定して、直線的誘導管と直線的補助管、又は、波形の誘導管と補助管で、壁を作り、予備的に使う。
又、重り付きシートを、４５度位にスライドさせるのでなく、対岸より水平に、自動又は、手動で、引寄せることもできるもの。
管理と有効利用のため、発電設備、畜電設備、送配電設備、階段、通路、スロープ、対岸に渡る橋、倉庫、監視カメラのある骨組。
【請求項２０】
骨組の利用法１９  骨組を屋外の避難所に使うとすると、複合災害時、多数の人間が避難してくる、河川敷、運動施設、公園、学校のグランドなどの、屋外の避難所に、硬い地盤までの杭と、杭の上部を梁で結び、柱、梁、斜め材によって、骨組を作り、杭の中、骨組内の要所、骨組同士の接合部にクッション材を入れる。
屋根部分の各梁に、重り付きシートを巻いた状態で設置し、斜めの誘導管と斜めの補助管、又は、山形の誘導管と山形の補助管で、屋根を作り、壁部分の各梁に、重り付きシートを巻いた状態で設置し、波形の誘導管と補助管、又は、直線的誘導管と直線的補助管により、壁を作る。
屋根部分の下部梁には、箱形の樋と、柱の近くに、ビニール状容器の入った、断面積の大きい樋と、予備のビニール状容器の入った、断面積の大きい樋を設置する。
骨組と重り付きシートは、火に強く、断面積の大きい樋は、ビニール状容器の入ったもので、一時的貯水機能を有するが、貯水漕として、水を溜めるものではなく、常に、小さい排出口より、排出しているものであり、もし、水が一杯になると、予備のビニール状容器の入った、断面積の大きい樋に、誘導するものであるが、雪、火山灰の処理のために、小さい排出口を大きくしたり、暖め、雪を解かすことができるもの。
雪の落下事故を防ぐため、又、重り付きシートをスムーズに落ろすため、誘導管、補助管、梁などに、雪が積もらないように、雪の時だけ、必要場所を、暖める、又は、滑りやすい塗料を塗る、又は、滑りやすい素材を使う、風圧で飛ばす、振動させる、などで、雪の附着を避けるもの。
田、畑、果樹園と同じく、骨組を２重にすると、冬など、災害時の断熱効果を高くできるもの。
管理や有効利用のため、階段、通路、スロープ、監視カメラ、倉庫、発電設備、畜電設備、送配電設備、消防設備のある骨組。
【請求項２１】
骨組の利用法２０（図４）骨組を船に使うと、仮りに、長さ３００ｍのコンテナ船で、コンテナを、船体の上の５０ｍの高さまで積むとして、船体の周りに、仮りに、海水面近くから、船体の上の高さ５０ｍまでの、柱、梁、斜め材で、骨組を作り（以下、船体周辺の骨組）、船体周辺の骨組の外側（海側）に、海水面近くから、船体の上の５０ｍまでの高さに、仮りに、５ｍごとの格子状の骨組を、２枚作り、仮りに、１ｍ離して、箱状にして、船体周辺の骨組と一体化させ、箱状にした骨組の、屋根部分の裏に、直線的に降ろせる、仕切りの入った、袋状のシートを、空気を抜いた状態で、先端に棒状の重りを付け、巻いた状態で固定し（以下、格子状骨組）、津波時、重りの付いた袋状シートを、自動や手動で降ろし、格子状骨組を、自動や手動で、９０度位、海に回転させ、自動や手動で、斜め材で、固定する。
転覆、沈没のおそれのある時は、排気ガスや空気を、自動や手動で、仕切りの入った袋状のシートに送り、膨らませるもので、必要な時は、格子状骨組を、救命艇として、自動や手動で、船体から外せるもの。
コンテナ船に限らず、他の小さい船では、船体周辺の骨組の外側に、柱と梁によって、骨組を作り、上部に、重り付きの浮力のあるシートを、巻いた状態で固定し、必要時、波形の誘導管と補助管、又は、直線的誘導管と直線的補助管によって、降ろし、９０度位回転させ  海面にシートを広げて、斜め材で固定し、船を安定させることができるもの。
又、より安定させるため、コンテナ船に限らず、他の船でも、格子状骨組を上下に別けて、上半分を下半分の、内側に重ね収納することで、津波時、シートの面積を、より大きくすることができる。
船の前面の格子状骨組を、３枚重ねて、重ねた２枚を、左右に開く、又は、左右にスライドさせて、横に３枚並べ、表面積を大きくしたり、又は、船体側面の前部、仮りに、５０ｍ分を、回転軸で開いて、船の前面の、格子状骨組の表面積を、大きくできるもので、いずれも、上下に別けた部分を上昇させ、上昇した格子状骨組の上部と、船体周辺の骨組の後部を、ワイヤーなどでつないで、後方からの風に対する補強とするもの。
骨組内の要所には、クッション材を入れて、津波や台風の力に、対応できるもの。
骨組上部からの、雪の落下事故を防止するため、又は、重り付きの浮力のあるシートをスムーズに降ろすため、雪の落下のおそれのある骨組の各場所を、暖める、滑りやすい塗料を塗る、滑りやすい素材を使う、風圧で飛ばす、振動させる、などして、雪の附着をなくし、そのための発電設備、畜電設備、送配電設備を設置した骨組。
【請求項２２】
骨組の利用法２１  骨組を津波災害に使うとして、従来の落下式堤防（特願２０１３−２３２５３３）を改良すると、落下式堤防の可動性の向上ができる（図５）。
従来の落下式堤防は、柱と横材で補強壁を作り、補強壁の海側や、河川に面した、補強壁の最上部に、巻き付け固定した、重り付きシートを、誘導管によって、横材を編むように、落下させる、というものであった。
しかし、これでは、雪の多く降る日本海側や、雪の多い地方の河川では、誘導管に雪が附着し  塊となり、氷結し、可動時に、横材を編むように、落下させることが、不可能となる可能性がある。
その改善策として、沿岸において、硬い地盤まで杭を打ち、柱を建て、梁、斜め材で、骨組を作り、骨組上部に屋根を作る。
杭の中、骨組内の要所、骨組同士の接合部にクッション材を入れる。
海底近くの柱と柱を梁で結ぶ。
海側の骨組上部で屋根の下に、重り付きシートを巻いた状態で固定、雪の影響をなくし誘導管を使わず、直接、重り付きシートを海底まで落下させ、骨組の海側前面に、シートを張るような形にして、堤防とする。
予備として、海側の雪の届かない骨組内に、誘導管を設置し、梁を編むように、海底まで、重り付きシートを降ろしてゆくか、又は、海側の骨組上部で、雪の影響のない屋根の下に、巻いた状態で固定した、重り付きシートを並べるように設置して、誘導管なしで、海底まで降ろす。
沿岸に落下式堤防を並べる時、船の通行する部分には、回転式堤防、又は、吊り上げ式堤防を使う。
場所により、骨組を有効利用する時は、屋根を、重ねるようにして、２階、３階などの空間を作り、自動車や電車などの交通機関、船や潜水艇などの停泊場、飛行場、飛行機の訓練施設、養殖場や加工場などの水産施設、市場、物流施設、学校や研究施設  スポーツやレクリエーション施設、オフィスやマンションなどの建物施設、防衛施設、商業施設、工業施設、農業施設、医療や福祉施設、畜電設備、送配電設備、消防設備、クレーン設備エレベータ、スロープ、通路、階段、倉庫、変電設備、宿泊施設のある骨組。
【請求項２３】
骨組の利用法２２、骨組を津波災害に使うとして、従来の回転式堤防（特願２０１３−２３２５３３）を改良すると、補強壁の屋根部分の有効利用ができる（図５）。
従来の回転式堤防は、柱と横材で作った補強壁の屋根部分に、板状の堤防を、海に突き出すようにして載せ、回転させるというものであったが、これでは、補強壁の屋根部分を板状の堤防を載せて可動させるがゆえに、板状の堤防の上を、ソーラーパネルを張る、などにしか、利用できなかった。
そこで、補強壁の屋根部分の全てを、有効利用するために改良した、その方法は、
沿岸に、硬い地盤まで杭を打ち、柱、梁、斜め材で骨組を作り、骨組の上に屋根を作る。
杭の中、骨組内の要所、骨組同士の接合部にクッション材を入れ、海底近くの柱と柱を梁で結ぶ。
陸や海から、船の通行が可能なスペースを設ける。
骨組の陸側上部に回転軸、海側上部にワイヤなどで、板状のものを、骨組上部の位置で、屋根の下に、水平に設置する。
津波時、固定を解除して、海側より、９０度位回転させ、海底近くの柱や梁で、止めることで堤防とする。
予備として、吊り上げ式堤防を、併用できるもの。
場所により、骨組を有効利用する時は、屋根を重ねるようにして、２階、３階などの空間を作り、落下式堤防と同じ設備、施設がある骨組。
【請求項２４】
骨組の利用法２３．骨組を津波災害に使うとして、吊り上げ式の堤防を作ると、沖合や沿岸に、硬い地盤までの杭を打ち、柱、梁、斜め材で骨組を作り、杭の中、骨組内の要所骨組同士の接合部にクッション材を入れ、骨組の上に屋根を作る。
海底近くの柱と柱は梁で結ぶ。
屋根の下に、箱状のものを、折りたたむ、又は、縮めて小さくして、平らな状態で、柱の上部に水平に、固定しておく。
屋根の下は、大型船が通行するとして、海水面より屋根までの高さは、仮りに、１００ｍの高さで、海水面より海底まで、５０ｍの深さとする。
箱状のものは、海側下部に重りを付けるか、重くして、津波時、自動や手動で、固定を解除し、屋根の下から、海水面の上に、１００ｍ位の高さの、箱状のものを作り、重りで箱状のものの海側下部を、海底近くまで沈ませ、結果として、屋根より、１５０ｍ位の箱状のものを作る。
箱状のものは、仮りに、２５ｍごとに、仕切りの床を作り、上から下まで、６つの箱を積み重ねるような形にして、仕切りの床の位置より、少し下に、水の流入する穴を作る。
それぞれの箱の海側上部に、海水を入れる穴を作ることで、津波の水位が、一時、下ったとしても、それぞれの箱の中に、穴の位置まで、海水が残り、海水の入った箱状のものとなり、堤防の役目をする（図５）。
仕切りは、床だけでなく、壁として、縦方向にも入れ、箱状のものの補強とする。
又は、海底近くで、吊り上げた状態でなく、海底まで、降ろすこともできるもの。
箱状のものの、上部や必要場所には、浮力のあるものを設置して、津波時、箱状のものと、柱の上部との固定が、壊れた時でも、海の中で、箱の形を維持できるようにするもの
予備として、回転式堤防を、併用することができるもの。
場所により、骨組も有効利用する時は、屋根を重ねるようにして、２階、３階などの空間を作り、落下式堤防と同じ設備、施設がある骨組。
【請求項２５】
骨組の利用法２４  骨組を建物の部材接合部の変形防止に使うと、基礎の下部から、地面より、仮りに、１．５ｍ位の高さまでの、建物の外周を、壁状のもので囲う。
床下換気口や開口部の位置、それぞれの家の形、間どりによって、壁状のものの、厚さや高さなどの形状は、必要により、変えることになっても、部材接合部の変形を防ぐための強度は、維持する。
２階、３階も部材接合部の変形を防ぐため、壁状のものを周し、１階の壁状のものと、柱や梁、斜め材によって結び、骨組とする。
１階の壁状のものより、硬い地盤まで、杭を打ち、１階の壁状のものの下部から、建物外周の基礎の下に、壁状のものより、張り出しを作り、基礎を持ち上げるようにして、支え、沈下させないもの。
杭の中と骨組内の要所に、クッション材を入れて、骨組自身を耐震した骨組（図２）。
【請求項２６】
骨組の利用法２５  骨組を熱吸収防止と建物冷却に使うと、建物の外壁の、仮りに、１０〜２０ｃｍ位外側に、硬い地盤までの杭と、杭上部を梁で結び、柱、梁、斜め材で、骨組を作り、建物を囲み、骨組の内側又は外側の必要場所に、パネル、又は、板状のものを設置する。
杭の中、骨組内の要所、骨組と建物の間に、クッション材を入れる。
骨組と建物の間の下部や横、パネルや板状のものの、すき間など必要箇所から、風が入るようにする。
建物本体外壁には、浸水性のタイルや、脱脂綿、和紙のような浸水性のものを張り付け浸水性のものの各部に、水を浸み込ませたり、建物外壁や窓に、霧状の水分を噴霧させる
建物屋根部と骨組の間は、雨の入らない構造として、建物上部に金属など、熱を吸収するものを設け、日射、又は、発電設備、畜電設備などにより、温度上昇させ、パネル、又は板状のものと、建物の間に、上昇気流を作り、風を流入させ、気化熱によって、建物外壁を冷やし、建物本体を冷却していくもので、その際、パネル、又は、板状のものの裏面には、空気をポンプなどで抜いた、仮りに、仕切りの入ったエア、マットを取り付け、冬に空気を送り、膨らませ、パネル又は、板状のものと、外壁の間を、仮りに、仕切りの入ったエア、マットで埋めて、建物表面に空気層を作り、断熱する。
骨組と建物の間に、小型の風力発電や、骨組の外側に、ソーラーパネルを設置して、その電気で、建物本体の柱や壁の中の鉄骨や鉄筋を冷却し、鉄骨、鉄筋と接触しているコンクリートなどを冷やして、建物本体を冷却してゆく、冬は、温める。
パネル又は、板状のものの落下を防ぐため、各パネル、又は、板状のものを、ひも状のもので結び、一体化させ、落下を防止する。
上記方法を、建物の屋根と、高架の交通機関の橋脚や橋桁など、熱の吸収を伴なう構造物にも使う。
管理を有効利用のため、発電設備、畜電設備、送配電設備がある骨組（図３）。
【請求項２７】
骨組の利用法２６  骨組を熱吸収防止と洪水の防止に使うと、建物の、仮りに、１０〜２０ｃｍ位外側に、硬い地盤までの杭と、杭の上部を梁で結び、柱、梁、斜め材で、骨組を作り、杭の中、骨組内の要所、骨組と建物の間にクッション材を入れて、建物を囲み、骨組に、パネル又は、板状のものを、骨組の内側又は外側の、必要場所に設置する。
骨組と建物の間に、ビニール状容器を設置して、屋根又は屋上の排水口より、大雨の水を、ビニール状容器の一部に誘導し、２〜３日かけて排水するが、一部のビニール状容器が一杯になると、一部のビニール状容器の上部より、他の一部のビニール状容器に、大雨の水が入っていくようにする。
建物の屋根部と骨組との間は、雨の入らない構造とする。
ビニール状容器は、仕切りを入れて、水圧に耐えるものとする。
管理や有効利用のため、発電設備、畜電設備、送配電設備がある骨組。
【請求項２８】
骨組の利用法２７  山岳地帯の災害で、車が使えない時、山の上に物資を運ぶため、骨組を使うとすると、山の下から頂上を越えて、山の反対側の下まで、骨組を作り、レールを設置する。仮りに、車輪の付いた、バス位の大きさのもの（以下、バス）を、山の下に設置して、頂上のバスと、帯又は、ひも状のもので結ぶ。
骨組は、硬い地盤、又は岩盤まで杭を打ち、柱、梁、斜め材で作り、杭の中、骨組内の要所に、クッション材を入れ、耐震させる。
骨組は、バスを頂上まで運ぶ、通路として使い、山の下のバスには、災害時の物資を入れ、頂上のバスには、物資の重さより重くなる人数の、人間など、重りになるものを入れ山の反対側に、バスを滑らせ、降ろすことで、山の下から、物資を頂上まで、運び上げる。
山の頂上が高く、頂上を越えて、帯又は、ひも状のものを、設置できない時は、骨組を頂上まで作らず、山の必要場所（村や街）まで作り、骨組を２階建てにして、１階部分のバスに、山の下から物資を入れ、山の必要場所（村や街）の骨組の、２階部分のバスに、人間を入れて、１階のバスと２階のバスを、帯又は、ひも状のもので結び、２階部分のバスの重さによって、山の下から、物資を引き上げる。
山の下に着いたバスは、人間と物資を入れ替え、再び、山の必要場所（村や街）から、人間の入ったバスを降ろすことで、山の下から、物資を引き上げる。
人間は、歩いて登らなければならないが、物資を背負う必要がなくなり、道路のない山岳地帯や、災害で道路がなくなった時、停電で鉄道が使えない時、ヘリコプターが使えない時、有効となる。
火山灰、大雨、大雪などに対応するため、屋根や壁の必要場所に、ソーラーパネルを設置したり、梁に、巻いた状態で固定した、重り付きシートを、自動や手動で、斜めの誘導管と斜めの補助管、又は、山形の誘導管と山形の補助管によって屋根としたり、波形の誘導管と補助管、又は、直線的誘導管と直線的補助管によって、壁とする。
屋根部分の下部梁には、箱形の樋と、柱の近くに、ビニール状容器の入った断面積の大きい樋と、予備の、ビニール状容器の入った、断面積の大きい樋を設置する。
骨組と重り付きシートは、火に強く、断面積の大きい樋は、ビニール状容器を入れたもので、雪、火山灰の処理のために、小さい排出口を大きくしたり、暖め、雪を解かすことができるもので、雨水は、排出口から、送水管によって、浄水機能のある、骨組の特定場所に、集めることができるもの、ビニール状容器は、取替えができ、仕切りの入ったもの雪の落下事故を防ぐため、又、重り付きシートを、スムーズに降ろすため、誘導管、補助管、梁、シートなどに、雪が積もらないように、雪の時だけ、必要箇所を、暖める、又は滑りやすい塗料を塗る、又は、滑りやすい素材を使う、風圧で飛ばす、振動させる、などで、雪の附着を避けるもの。
管理や有効利用のため、階段、通路、スロープ、監視カメラ、避難場所、避難通路、倉庫、消防設備、クレーン設備、発電設備、畜電設備、送配電設備、ガスや上下水道の設備があるが、場所により、小さい村などは、仮りに  作物や汚水タンクを重りにして、貯水タンクを引き上げることもできる骨組。
下りのバスの、車輪の回転で、モーターを回し、発電ができるもの
利用法３と同じく、骨組を２重にすると、冬など、断熱効果が出るもので、帯や、ひも状のものが切れた時のために、同じ場所に、少し長めの、予備の、帯や、ひも状のものが設置され、自動や手動のブレーキがあるもの。
物資より、重たいものを、降ろすことで、物資を引き上げる方法は、高層建物で、エレベータが使えない時、非常階段の中心附近でなく、壁づたいに、骨組を作り、非常階段への出入りの空間を維持した上で、天上近くに、上下２つの、らせん状のスベリ台を作り、建物の上階には、梯子や脚立によって、上又は、下の段の荷台に、人間などの重りを載せ建物の下階の荷台には、生活に必要な物資を載せ、建物上階の荷台と、建物下階の荷台を帯又は、ひも状のもので結び、上から、人間が荷台で、スベリ降りることで、下から、物資が引き上げられるもの。
又は、スベリ台を１つにして、非常階段のスペースの一部に、建物の下から、直線的に物資を引き上げることのできる、井戸のような、通路を作り、スベリ台の荷台と結び、上階から人間が、荷台で、スベリ降りることで、建物の下階から直線的に、物資を、引き上げることができるもの。
骨組を作り、らせん状のスベリ台を作ることで、非常階段を、より耐震させると伴に、帯又は、ひも状のものが、切れた時のために、同じ場所に、少し長めの、予備の、帯又はひも状のものが設置され、荷台には、停まりたい場所で、停まることができる。自動や手動のブレーキのあるもの、そのための、発電設備、畜電設備、送配電設備がある骨組。
【請求項２９】
骨組の利用法２８  骨組を使って、災害時に、被災者が移住できる街を作るとすると、各地方ごとに、仮りに、２〜３ヶ所、利用法１の骨組によって、５万人以上の被災者が、移住できる街を、あらかじめ、作っておくことができる。
利用法１の骨組に人工地盤を作り、骨組と一体化させ、人工地盤の周りや、人工地盤そのもの、人工地盤の下の硬い地盤、又は岩盤に、溝を作り、仮りに、エア、マットのようなクッション材を、人工地盤と一体化させ、溝に入れることで、地震動を、吸収させる。
人工地盤からも、必要場所に、硬い地盤、又は岩盤に、クッション材を入れた杭を打つ。
平時は、被災者が移住する、５万人分の高層建物を、下記の施設を利用するための、短期の高層の宿泊施設として、利用する。
下記の施設とは、スポーツの合宿場や競技場、イベント会場、会議場や研修施設、遊戯場やレジャー施設などのレクリエーション施設、コンサート会場、劇場、美術館などの文化、芸術施設、観光施設、総合病院や高齢者施設など、医療、福祉施設、通学用の学校、大学、研究施設、商業施設やオフィスビル、工業施設、農業施設、物流施設、広域行政施設、マンション型の墓地施設、ペットの預り施設、飛行場、駐車場、電車の駅、バスターミナルなどの交通機関、大規模備畜倉庫など、住居以外の施設であり、５万人分の高層建物は、災害時、会議場やイベント施設などの利用者や利用客に、優先して、被災者が、使うものとなる。
平時は、５万人分の高層建物を、維持、有効利用するため、高層建物の近くに、会議場やイベント施設などの、短期の宿泊、又は滞在を伴う施設を、集積させ、街とする。
短期の高層の宿泊施設は、赤ちゃんやペット、高齢者や障害者、家族や単身者に対応するため、防音や防臭設備のある建物、車イスやベッドでの移動可能な建物、高齢者や障害者の入浴やトイレなど、高齢者や障害者に対応可能な建物、主に家族対応型の建物、主に単身者対応型の建物、共同浴場、自家発電設備、し尿処理浄化槽のある建物があり、５万人以上の人間が生活できる設備と施設を有する街であり、上記の会議場やイベント施設などと伴に、５万人分の高層建物を、利用法１の骨組と人工地盤で耐震する骨組であり、必要により、他の利用法        も使うもの。
更には、会議場やイベント施設など、住居以外の施設を集約して、高速道路、高速鉄道運河による大型船の乗り入れ、飛行場などの交通機関を使い、外国の都市と結ぶと、気候難民、災害での集団移転、紛争など人災による難民を、一時的  大量に、受け入れることができるもので、そのための、１００万人分の高層建物がある骨組。
【手続補正３】
【補正対象書類名】図面
【補正対象項目名】図３
【補正方法】変更
【補正の内容】
【図３】
2017218882.tif 000008
【手続補正４】
【補正対象書類名】図面
【補正対象項目名】図４
【補正方法】変更
【補正の内容】
【図４】
2017218882.tif 000009